(57)【特許請求の範囲】
【請求項１】
下記の成分を含んでなる、水性の、安定な、布帛柔軟剤組成物：
Ａ．布帛柔軟剤活性分：
前記布帛柔軟剤活性分は、
（１）下記式を有する柔軟剤：
0003935933.tif 000080
ここで、上式中各Ｒ置換基は短鎖Ｃ1−Ｃ6アルキルまたはヒドロキシアルキル基、またはそれらの混合物である；各ｍは２または３である；各ｎは１〜４である；各Ｙは−Ｏ−（Ｏ）Ｃ−、または−Ｃ（Ｏ）−Ｏ−である；各Ｒ1中の炭素の合計（ただし、Ｙが−Ｏ−（Ｏ）Ｃ−であるとき＋１）は、Ｃ6−Ｃ22であるが、炭素数１２未満のＲ1またはＹＲ1が１個もしくは無い場合は、他のＲ1またはＹＲ1の炭素数は少なくとも１６であり、各Ｒ1は長鎖Ｃ5−Ｃ22ヒドロカルビル、または置換ヒドロカルビル置換基であり、そして、炭素の合計がＣ16−Ｃ18でありかつＲ1が直鎖状アルキルまたはアルキレン基であるとき、このＲ1基の親脂肪酸のヨウ素価４０〜１４０；そして対イオンＸ-は、塩化物、臭化物、メチル硫酸、硫酸、および硝酸塩からなる群から選ばれた、柔軟剤と適合性のイオンである；
（２）下記式を有する柔軟剤：
0003935933.tif 000081
ただし、式中各Ｙ、Ｒ、Ｒ1、およびＸ(-)は上記と同一の意味を有する；および
（３）それらの混合物；
からなる群より選択される；
Ｂ．  ３５重量％より少ない主要な溶剤であって、前記主要な溶剤は０．１５〜０．６４のＣｌｏｇＰを有し、下記の溶剤から成る群より選択される：
Ｉ．  下記のものを包含するヘキサンジオール異性体：２，３−ブタンジオール、２，３−ジメチル−；１，２−ブタンジオール、２，３−ジメチル−；１，２−ブタンジオール、３，３−ジメチル−；２，３−ペンタンジオール、２−メチル−；２，３−ペンタンジオール、３−メチル−；２，３−ペンタンジオール、４−メチル−；２，３−ヘキサンジオール；３，４−ヘキサンジオール；１，２−ブタンジオール、２−エチル−；１，２−ペンタンジオール、２−メチル−；１，２−ペンタンジオール、３−メチル−；１，２−ペンタンジオール、４−メチル−；および／または１，２−ヘキサンジオール；
ＩＩ．  下記のものを包含するヘプタンジオール異性体：１，３−プロパンジオール、２−ブチル−；１，３−プロパンジオール、２，２−ジエチル−；１，３−プロパンジオール、２−（１−メチルプロピル）−；１，３−プロパンジオール、２−（２−メチルプロピル）−；１，３−プロパンジオール、２−メチル−２−プロピル−；１，２−ブタンジオール、２，３，３−トリメチル−；１，４−ブタンジオール、２−エチル−２−メチル−；１，４−ブタンジオール、２−エチル−３−メチル−；１，４−ブタンジオール、２−プロピル−；１，４−ブタンジオール、２−イソプロピル−；１，５−ペンタンジオール、２，２−ジメチル−；１，５−ペンタンジオール、２，３−ジメチル−；１，５−ペンタンジオール、２，４−ジメチル−；１，５−ペンタンジオール、３，３−ジメチル−；２，３−ペンタンジオール、２，３−ジメチル−；２，３−ペンタンジオール、２，４−ジメチル−；２，３−ペンタンジオール３，４−ジメチル−；２，３−ペンタンジオール、４，４−ジメチル−；３，４−ペンタンジオール、２，３−ジメチル−；１，５−ペンタンジオール、２−エチル−；１，６−ヘキサンジオール、２−メチル−；１，６−ヘキサンジオール、３−メチル−；２，３−ヘキサンジオール、２−メチル−；２，３−ヘキサンジオール、３−メチル−；２，３−ヘキサンジオール、４−メチル−；２，３−ヘキサンジオール、５−メチル−；３，４−ヘキサンジオール、２−メチル−；３，４−ヘキサンジオール、３−メチル−；１，３−ヘプタンジオール；１，４−ヘプタンジオール；１，５−ヘプタンジオール；および／または１，６−ヘプタンジオール；
ＩＩＩ．  下記のものを包含するオクタンジオール異性体：１，３−プロパンジオール、２−（２−メチルブチル）−；１，３−プロパンジオール、２−（１，１−ジメチルプロピル）−；１，３−プロパンジオール、２−（１，２−ジメチルプロピル）−；１，３−プロパンジオール、２−（１−エチルプロピル）−；１，３−プロパンジオール、２−（１−メチルブチル）−；１，３−プロパンジオール、２−（２，２−ジメチルプロピル）−；１，３−プロパンジオール、２−（３−メチルブチル）−；１，３−プロパンジオール、２−ブチル−２−メチル−；１，３−プロパンジオール、２−エチル−２−イソプロピル−；１，３−プロパンジオール、２−エチル−２−プロピル−；１，３−プロパンジオール、２−メチル−２−（１−メチルプロピル）−；１，３−プロパンジオール、２−メチル−２−（２−メチルプロピル）−；１，３−プロパンジオール、２−ｔ−ブチル−２−メチル−；１，３−ブタンジオール、２，２−ジエチル−；１，３−ブタンジオール、２−（１−メチルプロピル）−；１，３−ブタンジオール、２−ブチル−；１，３−ブタンジオール、２−エチル−２，３−ジメチル−；１，３−ブタンジオール、２−（１，１−ジメチルエチル）−；１，３−ブタンジオール、２−（２−メチルプロピル）−；１，３−ブタンジオール、２−メチル−２−イソプロピル−；１，３−ブタンジオール、２−メチル−２−プロピル−；１，３−ブタンジオール、３−メチル−２−イソプロピル−；１，３−ブタンジオール、３−メチル−２−プロピル−；１，４−ブタンジオール、２，２−ジエチル−；１，４−ブタンジオール、２−メチル−２−プロピル−；１，４−ブタンジオール、２−（１−メチルプロピル）−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，４−ブタンジオール、２−（２−メチルプロピル）−；１，４−ブタンジオール、２−メチル−３−プロピル−；１，４−ブタンジオール、３−メチル−２−イソプロピル−；１，３−ペンタンジオール、２，２，３−トリメチル−；１，３−ペンタンジオール、２，２，４−トリメチル−；１，３−ペンタンジオール、２，３，４−トリメチル−；１，３−ペンタンジオール、２，４，４−トリメチル−；１，３−ペンタンジオール、３，４，４−トリメチル−；１，４−ペンタンジオール、２，２，３−トリメチル−；１，４−ペンタンジオール、２，２，４−トリメチル−；１，４−ペンタンジオール、２，３，３−トリメチル−；１，４−ペンタンジオール、２，３，４−トリメチル−；１，４−ペンタンジオール、３，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；１，５−ペンタンジオール、２，３，４−トリメチル−；２，４−ペンタンジオール、２，３，３−トリメチル−；２，４−ペンタンジオール、２，３，４−トリメチル−；１，３−ペンタンジオール、２−エチル−２−メチル−；１，３−ペンタンジオール、２−���チル−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチル−３−メチル−；１，４−ペンタンジオール、２−エチル−４−メチル−；１，４−ペンタンジオール、３−エチル−２−メチル−；１，４−ペンタンジオール、３−エチル−３−メチル−；１，５−ペンタンジオール、２−エチル−２−メチル−；１，５−ペンタンジオール、２−エチル−３−メチル−；１，５−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；１，５−ペンタンジオール、２−イソプロピル−；２，４−ペンタンジオール、３−プロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，３−ヘキサンジオール、４，４−ジメチル−；１，４−ヘキサンジオール、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；１，６−ヘキサンジオール、２，２−ジメチル−；１，６−ヘキサンジオール、２，３−ジメチル−；１，６−ヘキサンジオール、２，４−ジメチル−；１，６−ヘキサンジオール、２，５−ジメチル−；１，６−ヘキサンジオール、３，３−ジメチル−；１，６−ヘキサンジオール、３，４−ジメチル−；２，４−ヘキサンジオール、２，３−ジメチル−；２，４−ヘキサンジオール、２，４−ジメチル−；２，４−ヘキサンジオール、２，５−ジメチル−；２，４−ヘキサンジオール、３，３−ジメチル−；２，４−ヘキサンジオール、３，４−ジメチル−；２，４−ヘキサンジオール、３，５−ジメチル−；２，４−ヘキサンジオール、４，５−ジメチル−；２，４−ヘキサンジオール、���，５−ジメチル−；２，５−ヘキサンジオール、２，３−ジメチル−；２，５−ヘキサンジオール、２，４−ジメチル−；２，５−ヘキサンジオール、２，５−ジメチル−；２，５−ヘキサンジオール、３，３−ジメチル−；２，５−ヘキサンジオール、３，４−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、３−メチル−；３，５−ヘプタンジオール、４−メチル−；２，４−オクタンジオール；２，５−オクタンジオール；２，６−オクタンジオール；２，７−オクタンジオール；２，７−オクタンジオール；３，５−オクタンジオール；および／または３，６−オクタンジオール；
ＩＶ．  下記のものを包含するノナンジオール異性体：２，４−ペンタンジオール、２，３，３，４−テトラメチル−；２，４−ペンタンジオール、３−ｔ−ブチル−；２，４−ヘキサンジオール、２，５，５−トリメチル−；２，４−ヘキサンジオール、３，３，４−トリメチル−；２，４−ヘキサンジオール、３，３，５−トリメチル−；２，４−ヘキサンジオール、３，５，５−トリメチル−；２，４−ヘキサンジオール、４，５，５−トリメチル−；２，５−ヘキサンジオール、３，３，４−トリメチル−；および／または２，５−ヘキサンジオール、３，３，５−トリメチル−；および
Ｖ．  それらの混合物；および
Ｃ．１％〜１０％の、エタノール、イソプロパノール、プロピレングリコール、１，３−プロパンジオール、プロピレンカーボネート、およびそれらの混合物からなる群より選択される低分子量の水溶性溶剤；
Ｄ．残部としての水；
ここで前記主要な溶剤／前記布帛柔軟剤活性分のモル比は３以上である。
【請求項２】
前記主要な溶剤／前記布帛柔軟剤の活性モル比は４〜２５である、請求項１に記載の、水性の、安定な、布帛柔軟剤組成物。
【請求項３】
前記主要な溶剤が１，２−ヘキサンジオール；２，２，４−トリメチル−、１，３−ペンタンジオール；２，２，４−トリメチル−、１，３−ペンタンジオール；およびそれらの混合物から成る群より選択される、請求項１に記載の組成物。
【請求項４】
請求項１〜３のいずれか１項に記載の組成物を含んでなる、予備混合物。
【請求項５】
請求項４に記載の予備混合物を使用し、そして前記予備混合物を水に添加することからなる、透明な布帛柔軟剤組成物を製造する方法。
【発明の詳細な説明】
技術分野
本発明は、布の柔軟化に有用な、好ましくは半透明の、または、より好ましくは、透明な、濃厚な、液状柔軟化組成物に関する。特に、本発明は、きわめてすぐれた布帛柔軟化／静電気抑制効果を提供する繊維材料洗濯のすすぎサイクルにおいて使用するための繊維材料柔軟化組成物に関し、組成物は特にきわめてすぐれた水分散性により、および、例えば、布帛（布地）の汚染の減少、およびきわめてすぐれた再湿潤性、および／または常温より低い温度、すなわち、常温、例えば、２５℃より低い温度、における改良された貯蔵および粘度安定性により特徴づけられる。
発明の背景
透明な、濃厚な布帛コンディショニング配合物を配合し、製造することに関連する問題がこの分野において開示されている。例えば、欧州特許出願第４０４，４７１号明細書（Ｍａｃｈｉｎ  ｅｔ  ａｌ．、１９９０年１２月２７日発行）において、少なくとも２０重量％の柔軟剤および少なくとも５重量％の短鎖有機酸を有する、等方性液状柔軟化組成物が教示されている。
高い溶剤レベルを含有する布帛柔軟化組成物はこの分野において知られている。しかしながら、組成物をすすぎサイクルにおいて添加するとき、柔軟剤の凝集物が形成し、凝集物は布上に付着し、これにより汚染が生じ、柔軟化性能を減少させることがある。また、組成物はより低い温度、すなわち、約４０°Ｆ（約４℃）〜約６５°Ｆ（約１８℃）において増粘および／または沈澱することがある。これらの組成物は、また、濃厚な、透明な製品を製造することに関連する高い溶剤レベルのために、消費者にとって費用がかかることがある。
上記の高い溶剤レベルの問題に加えて、ある布帛柔軟剤は、それをすすぎ水に添加するとき（例えば、柔軟剤を洗濯機のディスペンサーに添加するとき）ゲル化するか、または増粘または固化する。ゲル化、増粘または固化のために、このタイプの布帛柔軟剤はすすぎ水の中によく分散することができず、そして柔軟化性能は劣っている。
以上の理由で、低い溶剤レベルで粘度が低い布帛柔軟剤が要求されている。
本発明は、きわめてすぐれた水分散性を有し（すなわち、低い粘度を有し、ゲル化、増粘、または固化しない）かつ常温、すなわち、室温および常温より低い温度において延長した貯蔵条件下に改良された安定性を有する（すなわち、透明または半透明に止まり、沈澱しない）、有機溶剤／布帛柔軟剤の規定されたモル比範囲により特徴づけられる、比較的低い溶剤レベル（すなわち、好ましくは組成物の約５０重量％以下）を有する、濃厚な、水性液状繊維材料処理組成物を提供する。前記組成物は、また、布帛の汚染の減少、すぐれた冷水分散性、ならびにきわめてすぐれた柔軟化、静電防止性および布帛再湿潤性の特性、およびディスペンサー残留物蓄積の減少およびきわめてすぐれた凍結−融解回復を提供する。
本発明の目的は、すすぎ水中のきわめてすぐれた水分散性、低温において許容できる低い粘度および粘度安定性、および／または凍結からの回復を提供する、水性、濃厚な、安定な、半透明の、または、好ましくは、透明な、すすぎ添加液状布帛柔軟化組成物を提供することである。
発明の要約
本発明における組成物は：下記の成分を含んでなる：
Ａ．組成物の約１５〜約７０重量％、好ましくは約１７〜約６５重量％、より好ましくは約１９〜約６０重量％の布帛柔軟剤活性：前記布帛柔軟剤活性は、
１．  下記式を有する柔軟剤：
0003935933.tif 000002
式中各Ｒ置換基は短鎖Ｃ1−Ｃ6、好ましくはＣ1−Ｃ3アルキルまたはヒドロキシアルキル基、例えば、メチル（最も好ましい）、エチル、プロピル、ヒドロキシエチルなど、ベンジル、またはそれらの混合物である；各ｍは２または３である；各ｎは１〜約４である；各Ｙは−Ｏ−（Ｏ）Ｃ−、または−（Ｏ）Ｃ−Ｏ−である；各Ｒ1中の炭素の合計（ただし、Ｙが−Ｏ−（Ｏ）Ｃ−であるとき＋１）は、Ｃ6−Ｃ22、好ましくはＣ14−Ｃ20であるが、１以下のＹＲ1の合計は約１２より小さく、他のＹＲ1の合計は少なくとも約１６であり、各Ｒ1は長鎖Ｃ5−Ｃ22（またはＣ7−Ｃ21）ヒドロカルビル、または置換ヒドロカルビル置換基、好ましくはＣ10−Ｃ20（またはＣ9−Ｃ19）アルキルまたはアルキレン、最も好ましくはＣ12−Ｃ18（またはＣ11−Ｃ17）アルキルまたはアルキレンであり、そして、炭素の合計がＣ16−Ｃ18でありかつＲ1が直鎖状アルキルまたはアルキレン基であるとき、このＲ1基の親脂肪酸のヨウ素価（以後ＩＶと呼ぶ）は好ましくは約４０〜約１４０、より好ましくは約５０〜約１３０であり、最も好ましくは約７０〜約１１５である（本明細書おいて使用するように、「親」脂肪酸または「対応する」脂肪酸のヨウ素価は、同一Ｒ1基を含有する脂肪酸の中に存在する不飽和のレベルと同一であるＲ1基についての不飽和のレベルを定義するために用いる）；そして対イオンＸ-は任意の柔軟剤適合性アニオン、好ましくは塩化物、臭化物、メチル硫酸、硫酸、および硝酸塩、より好ましくは塩化物であることができる；
２．  下記式を有する柔軟剤：
0003935933.tif 000003
式中各Ｙ、Ｒ、Ｒ1、およびＸ(-)は上記と同一の意味を有する（このような化合物は下記式を有する化合物を包含する：
［ＣＨ3］3Ｎ(+)［ＣＨ2ＣＨ（ＣＨ2ＯＣ［Ｏ］Ｒ1）ＯＣ（Ｏ）Ｒ1］Ｃｌ(-)
ここでＣ（Ｏ）Ｒ1は不飽和の、例えば、オレイン酸、脂肪酸から誘導されそして、好ましくは、各Ｒはメチルまたはエチル基でありそして、好ましくは各Ｒ1はＣ15−Ｃ19の範囲であり、ある程度の分枝および置換がアルキル鎖の中に必要に応じて存在する）；および
３．  それらの混合物；
から成る群より選択される；
［１つの好ましい生物分解性第四級アンモニウム布帛柔軟化化合物において、Ｃ（Ｏ）Ｒ1は不飽和脂肪酸、例えば、オレイン酸、および／または脂肪酸および／または部分的に水素化された脂肪酸から誘導され、前記脂肪酸は植物油および／または部分的に水素化された植物油、例えば、カノラ油（ｃａｎｏｌａ  ｏｉｌ）；サフラワーオイル；落花生油；ヒマワリ油；大豆油；トウモロコシ油；タル油；米糠油；およびその他から誘導され、そして他の好ましい生物分解性第四級アンモニウム布帛柔軟化化合物において、Ｃ（Ｏ）Ｒ1は、例えば、ヤシ油から誘導された飽和（ヨウ素価は好ましくは１０またはそれより小さく、より好ましくは約またはそれより小さい）Ｃ8−Ｃ14、好ましくはＣ12−Ｃ14ヒドロカルビル、または置換ヒドロカルビル置換基である。］
Ｂ．  組成物の約４０重量％より少ない、より好ましくは約１０〜約３５重量％、より好ましくは約１２〜約２５重量％、なおより好ましくは約１４〜約２０重量％の主要な溶剤であって、この溶剤は約０．１５〜約０．６４、好ましくは約０．２５〜約０．６２、より好ましくは約０．４０〜約０．６０のＣｌｏｇＰを有し、前記主要な溶剤は、それら自体を使用するとき、透明な製品を提供するためには不十分な、好ましくは安定な製品を提供するためには不十分な、より好ましくは組成物の物理的特性の検出可能な変化を提供するためには不十分な量の２，２，４−トリメチル−１，３−ペンタンジオール；２，２，４−トリメチル−１，３−ペンタンジオールのエトキシレート、ジエトキシレート、またはトリエトキシレートの誘導体；および／または２−エチル−１，３−ヘキサンジオール、および／またはそれらの混合物から成る群より選択される溶剤を含有し、特に完全にそれらを含有せず；そして前記主要な溶剤は、好ましくは下記の溶剤から成る群より選択される：
Ｉ．  下記のものを包含するモノ−オール：
ａ．  ｎ−プロパノール；および／または
ｂ．  ２−ブタノールおよび／または２−メチル−２−プロパノール；
ＩＩ．  下記のものを包含するヘキサンジオール異性体：２，３−ブタンジオール、２，３−ジメチル−；１，２−ブタンジオール、２，３−ジメチル−；１，２−ブタンジオール、３，３−ジメチル−；２，３−ペンタンジオール、２−メチル−；２，３−ペンタンジオール、３−メチル−；２，３−ペンタンジオール、４−メチル−；２，３−ヘキサンジオール；３，４−ヘキサンジオール；１，２−ブタンジオール、２−エチル−；１，２−ペンタンジオール、２−メチル−；１，２−ペンタンジオール、３−メチル−；１，２−ペンタンジオール、４−メチル−；および／または１，２−ヘキサンジオール；
ＩＩＩ．  下記のものを包含するヘプタンジオール異性体：１，３−プロパンジオール、２−ブチル−；１，３−プロパンジオール、２，２−ジエチル−；１，３−プロパンジオール、２−（１−メチルプロピル）−；１，３−プロパンジオール、２−（２−メチルプロピル）−；１，３−プロパンジオール、２−メチル−２−プロピル−；１，２−ブタンジオール、２，３，３−トリメチル−；１，４−ブタンジオール、２−エチル−２−メチル−；１，４−ブタンジオール、２−エチル−３−メチル−；１，４−ブタンジオール、２−プロピル−；１，４−ブタンジオール、２−イソプロピル−；１，５−ペンタンジオール、２，２−ジエチル−；１，５−ペンタンジオール、２，３−ジメチル−；１，５−ペンタンジオール、２，４−ジメチル−；１，５−ペンタンジオール、３，３−ジメチル−；２，３−ペンタンジオール、２，３−ジメチル−；２，３−ペンタンジオール、２，４−ジメチル−；２，３−ペンタンジオール、３，４−ジメチル−；２，３−ペンタンジオール、４，４−ジメチル−；３，４−ペンタンジオール、２，３−ジメチル−；１，５−ペンタンジオール、２−エチル−；１，６−ヘキサンジオール、２−メチル−；１，６−ヘキサンジオール、３−メチル−；２，３−ヘキサンジオール、２−メチル−；２，３−ヘキサンジオール、３−メチル−；２，３−ヘキサンジオール、４−メチル−；２，３−ヘキサンジオール、５−メチル−；３，４−ヘキサンジオール、２−メチル−；３，４−ヘキサンジオール、３−メチル−；１，３−ヘプタンジオール；１，４−ヘプタンジオール；１，５−ヘプタンジオール；および／または１，６−ヘプタンジオール；
ＩＶ．  下記のものを包含するオクタンジオール異性体：１，３−プロパンジオール、２−（２−メチルブチル）−；１，３−プロパンジオール、２−（１，１−ジメチルプロピル）−；１，３−プロパンジオール、２−（１，２−ジメチルプロピル）−；１，３−プロパンジオール、２−（１−エチルプロピル）−；１，３−プロパンジオール、２−（１−メチルブチル）−；１，３−プロパンジオール、２−（２，２−ジメチルプロピル）−；１，３−プロパンジオール、２−（３−メチルブチル）−；１，３−プロパンジオール、２−ブチル−２−メチル−；１，３−プロパンジオール、２−エチル−２−イソプロピル−；１，３−プロパンジオール、２−エチル−２−プロピル−；１，３−プロパンジオール、２−メチル−２−（１−メチルプロピル）−；１，３−プロパンジオール、２−メチル−２−（２−メチルプロピル）−；１，３−プロパンジオール、２−ｔ−ブチル−２−メチル−；１，３−ブタンジオール、２，２−ジエチル−；１，３−ブタンジオール、２−（１−メチルプロピル）−；１，３−ブタンジオール、２−ブチル−；１，３−ブタンジオール、２−エチル−２，３−ジメチル−；１，３−ブタンジオール、２−（１，１−ジメチルエチル）−；１，３−ブタンジオール、２−（２−メチルプロピル）−；１，３−ブタンジオール、２−メチル−２−イソプロピル−；１，３−ブタンジオール、２−メチル−２−プロピル−；１，３−ブタンジオール、３−メチル−２−イソプロピル−；１，３−ブタンジオール、３−メチル−２−プロピル−；１，４−ブタンジオール、２，２−ジエチル−；１，４−ブタンジオール、２−メチル−２−プロピル−；１，４−ブタンジオール、２−（１−メチルプロピル）−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，４−ブタンジオール、２−（２−メチルプロピル）−；１，４−ブタンジオール、２−メチル−３−プロピル−；１，４−ブタンジオール、３−メチル−２−イソプロピル−；１，３−ペンタンジオール、２，２，３−トリメチル−；１，３−ペンタンジオール、２，２，４−トリメチル−；１，３−ペンタンジオール、２，３，４−トリメチル−；１，３−ペンタンジオール、２，４，４−トリメチル−；１，３−ペンタンジオール、３，４，４−トリメチル−；１，４−ペンタンジオール、２，２，３−トリメチル−；１，４−ペンタンジオール、２，２，４−トリメチル−；１，４−ペンタンジオール、２，３，３−トリメチル−；１，４−ペンタンジオール、２，３，４−トリメチル−；１，４−ペンタンジオール、３，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；１，５−ペンタンジオール、２，３，４−トリメチル−；２，４−ペンタンジオール、２，３，３−トリメチル−；２，４−ペンタンジオール、２，３，４−トリメチル−；１，３−ペンタンジオール、２−エチル−２−メチル−；１，３−ペンタンジオール、２−エ���ル−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチル−３−メチル−；１，４−ペンタンジオール、２−エチル−４−メチル−；１，４−ペンタンジオール、３−エチル−２−メチル−；１，４−ペンタンジオール、３−エチル−３−メチル−；１，５−ペンタンジオール、２−エチル−２−メチル−；１，５−ペンタンジオール、２−エチル−３−メチル−；１，５−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；１，５−ペンタンジオール、２−イソプロピル−；２，４−ペンタンジオール、３−プロピル−；１，３−ヘプタンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘプタンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，３−ヘキサンジオール、４，４−ジメチル−；１，４−ヘキサンジオール、４，５−ジメチル−；１，４−ヘキサンジオール、５，５−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；１，６−ヘキサンジオール、２，２−ジメチル−；１，６−ヘプタンジオール；２，３−ジメチル−；１，６−ヘキサンジオール、２，４−ジメチル−；１，６−ヘキサンジオール、２，５−ジメチル−；１，６−ヘキサンジオール、３，３−ジメチル−；１，６−ヘキサンジオール、３，４−ジメチル−；２，４−ヘキサンジオール、２，３−ジメチル−；２，４−ヘキサンジオール、２，４−ジメチル−；２，４−ヘキサンジオール、２，５−ジメチル−；２，４−ヘキサンジオール、３，３−ジメチル−；２，４−ヘキサンジオール、３，４−ジメチル−；２，４−ヘキサンジオール、３，５−ジメチル−；２，４−ヘキサンジオール、４，５−ジメチル−；２，４−ヘキサンジオール、５，５−ジメチル−；２，５−ヘキサンジオール、２���３−ジメチル−；２，５−ヘキサンジオール、２，４−ジメチル−；２，５−ヘキサンジオール、２，５−ジメチル−；２，５−ヘキサンジオール、３，３−ジメチル−；２，５−ヘキサンジオール、３，４−ジメチル−；２，６−ヘキサンジオール；３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、３−メチル−；３，５−ヘプタンジオール、４−メチル−；２，４−オクタンジオール；２，５−オクタンジオール；２，６−オクタンジオール；２，７−オクタンジオール；３，５−オクタンジオール；および／または３，６−オクタンジオール；
Ｖ．  下記のものを包含するノナンジオール異性体：２，４−ペンタンジオール、２，３，３，４−テトラメチル−；２，４−ペンタンジオール、３−ｔ−ブチル−；２，４−ヘキサンジオール、２，５，５−トリメチル−；２，４−ヘキサンジオール、３，３，４−トリメチル−；２，４−ヘキサンジオール、３，３，５−トリメチル−；２，４−ヘキサンジオール、３，５，５−トリメチル−；２，４−ヘキサンジオール、４，５，５−トリメチル−；２，５−ヘキサンジオール、３，３，４−トリメチル−；および／または２，５−ヘキサンジオール、３，３，５−トリメチル−；
ＶＩ．  下記のものを包含するグリセリルエーテルおよび／またはジ（ヒドロキシアルキル）エーテル：１，２−プロパンジオール、３−（ｎ−ペンチルオキシ）−；１，２−プロパンジオール、３−（２−ペンチルオキシ）−；１，２−プロパンジオール、３−（３−ペンチルオキシ）−；１，２−プロパンジオール、３−（２−メチル−１−ブチルオキシ）−；１，２−プロパンジオール、３−（イソ−アミルオキシ）−；１，２−プロパンジオール、３−（３−メチル−２−ブチルオキシ）−；１，２−プロパンジオール、３−（シクロヘキシルオキシ）−；１，２−プロパンジオール、３−（１−シクロヘキシ−１−エニルオキシ）−；１，３−プロパンジオール、２−（ペンチルオキシ）−；１，３−プロパンジオール、２−（２−ペンチルオキシ）−；１，３−プロパンジオール、２−（３−ペンチルオキシ）−；１，３−プロパンジオール、２−（２−メチル−１−ブチルオキシ）−；１，３−プロパンジオール、２−（イソ−アミルオキシ）−；１，３−プロパンジオール、２−（３−メチル−２−ブチルオキシ）−；１，３−プロパンジオール、２−（シクロヘキシルオキシ）−；１，３−プロパンジオール、２−（１−シクロヘキシ−１−エニルオキシ）−；１，２−プロパンジオール、３−（ブチルオキシ）−、トリエトキシル化；１，２−プロパンジオール、３−（ブチルオキシ）−、テトラエトキシル化；１，２−プロパンジオール、３−（ブチルオキシ）−、ペンタエトキシル化；１，２−プロパンジオール、３−（ブチルオキシ）−、ヘキサエトキシル化；１，２−プロパンジオール、３−（ブチルオキシ）−、ヘプタエトキシル化；１，２−プロパンジオール、３−（ブチルオキシ）−、オクタエトキシル化；１，２−プロパンジオール、３−（ブチルオキシ）−、オクタエトキシル化；１，２−プロパンジオール、３−（ブチルオキシ）−、ノナエトキシル化；１，２−プロパンジオール、３−（ブチルオキシ）−、モノプロポキシル化；１，２−プロパンジオール、３−（ブチルオキシ）−、ジブチレンエトキシル化；１，２−プロパンジオール、３−（ブチルオキシ）−、トリブチレンエトキシル化；１，２−プロパンジオール、３−フェニルオキシ−；１，２−プロパンジオール、３−ベンジルオキシ−；１，２−プロパンジオール、３−（２−フェニルエトキシ）−；１，２−プロパンジオール、３−（１−フェニル−２−プロパニルオキシ）−；１，３−プロパンジオール、２−フェニルオキシ−；１，３−プロパンジオール、２−（ｍ−クレジルオキシ）−；１，３−プロパンジオール、２−（ｐ−クレジルオキシ）−；１，３−プロパンジオール、−ベンジルオキシ；１，３−プロパンジオール、２−（２−フェニルエトキシ）−；１，３−プロパンジオール、２−（１−フェニルエトキシ）−；ビス（２−ヒドロキシブチル）エーテル；および／またはビス（２−ヒドロキシシクロペンチル）エーテル；
ＶＩＩ．  下記のものを包含する飽和および不飽和の脂環式ジオールおよびそれらの誘導体：
（ａ）  下記のものを包含する飽和ジオールおよびそれらの誘導体：１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロペンタンジオール；１，２−ジメチル−１，２−シクロペンタンジオール；１，４−ジメチル−１，２−シクロペンタンジオール；２，４，５−トリメチル−１，３−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス（ヒドロキシメチル）シクロヘキサン；１，２−ジメチル−１，３−シクロヘキサンジオール；１，３−ビス（ヒドロキシメチル）シクロヘキサン；１，３−ジメチル−１，３−シクロヘキサンジオール；１，６−ジメチル−１，３−シクロヘキサンジオール；１−ヒドロキシ−シクロヘキサンエタノール；１−ヒドロキシ−シクロヘキサンメタノール；１−エチル−１，３−シクロヘキサンジオール；１−メチル−１，２−シクロヘキサンジオール；２，２−ジメチル−１，３−シクロヘキサンジオール；２，３−ジメチル−１，４−シクロヘキサンジオール；２，４−ジメチル−１，３−シクロヘキサンジオール；２，５−ジメチル−１，３−シクロヘキサンジオール；２，６−ジメチル−１，４−シクロヘキサンジオール；２−エチル−１，３−シクロヘキサンジオール；２−ヒドロキシシクロヘキサンエタノール；２−ヒドロキシエチル−１−シクロヘキサノール；３−ヒドロキシエチル−１−シクロヘキサノール；３−ヒドロキシシクロヘキサンエタノール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−メチル−１，２−シクロヘキサンジオール；５，５−ジメチル−１，３−シクロヘキサンジオール；５−エチル−１，３−シクロヘキサンジオール；１，２−シクロヘプタンジオール；２−メチル−１，３−シクロヘプタンジオール；２−メチル−１，４−シクロヘプタンジオール；４−メチル−１，３−シクロヘプタンジオール；５−メチル−１，３−シクロヘプタンジオール；５−メチル−１，４−シクロヘプタンジオール；６−メチル−１，４−シクロヘプタンジオール；１，３−シクロオクタンジオール；１，４−シクロオクタンジオール；１，５−シクロオクタンジオール；１，２−シクロヘキサンジオール、ジエトキシレート；１，２−シクロヘキサンジオール、トリエトキシレート；１，２−シクロヘキサンジオール、テトラエトキシレート；１，２−シクロヘキサンジオール、ペンタエトキ���レート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；１，２−シクロヘキサンジオール、モノブトキシレート；１，２−シクロヘキサンジオール、ジブチレンオキシレ；および／または１，２−シクロヘキサンジオール、トリブチレンオキシレート；および
（ｂ）  下記のものを包含する不飽和脂環式ジオール：１，２−シクロヘプタンジオール、１−エテニル−２−エチル−；３−シクロブテン−１，２−ジオール、１，２，３，４−テトラメチル−；３−シクロブテン−１，２−ジオール、３，４−ジエチル−；３−シクロブテン−１，２−ジオール、３−（１，１−ジメチルエチル）−；３−シクロブテン−１，２−ジオール、３−ブチル−；１，２−シクロヘプタンジオール、１，２−ジメチル−４−メチレン−；１，２−シクロヘプタンジオール、１−エチル−３−メチレン−；１，２−シクロヘプタンジオール、４−（１−プロペニル）；３−シクロペンテン−１，２−ジオール、１−エチル−３−メチル−；１，２−シクロヘキサンジオール、１−エテニル−；１，２−シクロヘキサンジオール、１−メチル−３−メチレン−；１，２−シクロヘキサンジオール、１−メチル−４−メチレン−；１，２−シクロヘキサンジオール、３−エテニル−；１，２−シクロヘキサンジオール、４−エテニル−；３−シクロヘキセン−１，２−ジオール、２，６−ジメチル−；３−シクロヘキセン−１，２−ジオール、６，６−ジメチル−；４−シクロヘキセン−１，２−ジオール、３，６−ジメチル−；４−シクロヘキセン−１，２−ジオール、４，５−ジメチル−；３−シクロオクテン−１，２−ジオール；４−シクロオクテン−１，２−ジオール；および／または５−シクロオクテン−１，２−ジオール；
ＶＩＩＩ．  下記のものを包含するＣ3-8ジオールのアルコキシル化誘導体［下記の開示において、「ＥＯ」はポリエトキシレート、すなわち、−（ＣＨ2ＣＨ2Ｏ）nＨを意味する；Ｍｅ−Ｅnはメチルキャップドポリエトキシレート−（ＣＨ2ＣＨ2Ｏ）nＣＨ3を意味する；「２（Ｍｅ−Ｅn）」は要求される２Ｍｅ−Ｅn基を意味する；「ＰＯ」はポリプロポキシレート−（ＣＨ（ＣＨ3）ＣＨ2Ｏ）nＨを意味する；「ＢＯ」はポリブチレンオキシ基、（ＣＨ（ＣＨ2ＣＨ3）ＣＨ2Ｏ）nＨを意味する；そして「ｎ−ＢＯ」はポリ（ｎ−ブチレンオキシ）またはポリ（テトラメチレン）オキシ基−（ＣＨ2ＣＨ2ＣＨ2ＣＨ2Ｏ）nＨを意味する。本明細書において用語「（Ｃx）」は、アルコキシル化される基本物質における炭素数を意味する。］：
１．  １，２−プロパンジオール（Ｃ３）２（Ｍｅ−Ｅ1-4）；１，２−プロパンジオール（Ｃ３）ＰＯ4；１，２−プロパンジオール、２−メチル−（Ｃ４）（Ｍｅ−Ｅ4-10）；１，２−プロパンジオール、２−メチル−（Ｃ４）２（Ｍｅ−Ｅ1）；１，２−プロパンジオール、２−メチル−（Ｃ４）ＰＯ3；１，２−プロパンジオール、２−メチル−（Ｃ４）ＢＯ1；１，３−プロパンジオール（Ｃ３）２（Ｍｅ−Ｅ6-8）；１，３−プロパンジオール（Ｃ３）ＰＯ5-6；１，３−プロパンジオール、２，２−ジエチル−（Ｃ７）Ｅ1-7；１，３−プロパンジオール、２，２−ジエチル−（Ｃ７）ＰＯ1；１，３−プロパンジオール、２，２−ジエチル−（Ｃ７）ｎ−ＢＯ1-2；１，３−プロパンジオール、２，２−ジメチル−（Ｃ５）２（Ｍｅ−Ｅ1-2）；１，３−プロパンジオール、２，２−ジメチル−（Ｃ５）ＰＯ3-4；１，３−プロパンジオール、２−（１−メチルプロピル）−（Ｃ７）Ｅ1-7；１，３−プロパンジオール、２−（１−メチルプロピル）−（Ｃ７）ＰＯ1；１，３−プロパンジオール、２−（１−メチルプロピル）−（Ｃ７）ｎ−ＢＯ1-2；１，３−プロパンジオール、２−（２−メチルプロピル）−（Ｃ７）Ｅ1-7；１，３−プロパンジオール、２−（２−メチルプロピル）−（Ｃ７）ＰＯ1；１，３−プロパンジオール、２−（２−メチルプロピル）−（Ｃ７）ｎ−ＢＯ1-2；１，３−プロパンジオール、２−エチル−（Ｃ５）（Ｍｅ  Ｅ6-10）；１，３−プロパンジオール、２−エチル−（Ｃ５）２（Ｍｅ  Ｅ1）；１，３−プロパンジオール、２−エチル−（Ｃ５）ＰＯ3；１，３−プロパンジオール、２−エチル−２−メチル−（Ｃ６）（Ｍｅ  Ｅ1-6）；１，３−プロパンジオール、２−エチル−２−メチル−（Ｃ６）ＰＯ2；１，３−プロパンジオール、２−エチル−２−メチル−（Ｃ６）ＢＯ1；１，３−プロパンジオール、２−イソプロピル−（Ｃ６）（Ｍｅ  Ｅ1-6）；１，３−プロパンジオール、２−イソプロピル−（Ｃ６）ＰＯ2；１，３−プロパンジオール、２−イソプロピル−（Ｃ６）ＢＯ1；１，３−プロパンジオール、２−メチル−（Ｃ４）２（Ｍｅ  Ｅ2-5）；１，３−プロパンジオール、２−メチル−（Ｃ４）ＰＯ4-5；１，３−プロパンジオール、２−メチル−（Ｃ４）ＢＯ2；１，３−プロパンジオール、２−メチル−２−イソプロピル−（Ｃ７）Ｅ2-9；１，３−プロパンジオール、２−メチル−２−イソプロピル−（Ｃ７）ＰＯ1；１，３−プロパンジオール、２−メチル−２−イソプロピル−（Ｃ７）ｎ−ＢＯ1-3；１，３−プロパンジオール、２−メチル−２−プロピル−（Ｃ７）Ｅ1-7；１，３−プロパンジオール、２−メチル−２−プロピル−（Ｃ７）ＰＯ1；１，３−プロパンジオール、２−メチル−２−プロピル−（Ｃ７）ｎ−ＢＯ1-2；１，３−プロパンジオール、２−プロピル−（Ｃ６）（Ｍｅ  Ｅ1-4）；１，３−プロパンジオール、２−プロピル−（Ｃ６）ＰＯ2；１，３−プロパンジオール、２−プロピル−（Ｃ６）ＢＯ1；
２．  １，２−ブタンジオール（Ｃ４）（Ｍｅ  Ｅ2-8）；１，２−ブタンジオール（Ｃ４）ＰＯ2-3；１，２−ブタンジオール（Ｃ４）ＢＯ1；１，２−ブタンジオール、２，３−ジメチル−（Ｃ６）Ｅ1-6；１，２−ブタンジオール、２，３−ジメチル−（Ｃ６）ｎ−ＢＯ1-2；１，２−ブタンジオール、２−エチル−（Ｃ６）Ｅ1-3；１，２−ブタンジオール、２−エチル−（Ｃ６）ｎ−ＢＯ1；１，２−ブタンジオール、２−メチル−（Ｃ５）（Ｍｅ−Ｅ1-2）；１，２−ブタンジオール、２−メチル−（Ｃ５）ＰＯ1；１，２−ブタンジオール、３，３−ジメチル−（Ｃ６）Ｅ1-6；１，２−ブタンジオール、３，３−ジメチル−（Ｃ６）ｎ−ＢＯ1-2；１，２−ブタンジオール、３−メチル−（Ｃ５）（Ｍｅ  Ｅ1-2）；１，２−ブタンジオール、３−メチル−（Ｃ５）ＰＯ1；１，３−ブタンジオール  Ｃ４）２（Ｍｅ−Ｅ3-6）；１，３−ブタンジオール（Ｃ４）ＰＯ5；１，３−ブタンジオール（Ｃ４）ＢＯ2；１，３−ブタンジオール、２，２，３−トリメチル−（Ｃ７）（Ｍｅ  Ｅ1-3）；１，３−ブタンジオール、２，２，３−トリメチル−（Ｃ７）ＰＯ1-2；１，３−ブタンジオール、２，２−ジメチル−（Ｃ６）（Ｍｅ  Ｅ3-8）；１，３−ブタンジオール、２，２−ジメチル−（Ｃ６）ＰＯ3；１，３−ブタンジオール、２，３−ジメチル−（Ｃ６）（Ｍｅ  Ｅ3-8）；１，３−ブタンジオール、２，３−ジメチル−（Ｃ６）ＰＯ3；１，３−ブタンジオール、２−エチル−（Ｃ６）（Ｍｅ  Ｅ1-6）；１，３−ブタンジオール、２−エチル−（Ｃ６）ＰＯ2-3；１，３−ブタンジオール、２−エチル−（Ｃ６）ＢＯ1；１，３−ブタンジオール、２−エチル−２−メチル−（Ｃ７）（Ｍｅ  Ｅ1）；１，３−ブタンジオール、２−エチル−２−メチル−（Ｃ７）ＰＯ1；１，３−ブタンジオール、２−エチル−２−メチル−（Ｃ７）ｎ−ＢＯ2-4；１，３−ブタンジオール、２−エチル−３−メチル−（Ｃ７）（Ｍｅ  Ｅ1）；１，３−ブタンジオール、２−エチル−３−メチル−（Ｃ７）ＰＯ1；１，３−ブタンジオール、２−エチル−３−メチル−（Ｃ７）ｎ−ＢＯ2-4；１，３−ブタンジオール、２−イソプロピル−（Ｃ７）（Ｍｅ  Ｅ1）；１，３−ブタンジオール、２−イソプロピル−（Ｃ７）ＰＯ1；１，３−ブタンジオール、２−イソプロピル−（Ｃ７）ｎ−ＢＯ2-4；１，３−ブタンジオール、２−メチル−（Ｃ５）２（Ｍｅ  Ｅ1-3）；１，３−ブタンジオール、２−メチル−（Ｃ５）ＰＯ4；１，３−ブタンジオール、２−プロピル−（Ｃ７）Ｅ2-9；１，３−ブタンジオール、２−プロピル−（Ｃ７）ＰＯ1；１，３−ブタンジオール、２−プロピル−（Ｃ７）ｎ−ＢＯ1-3；１，３−ブタンジオール、３−メチル−（Ｃ５）２（Ｍｅ  Ｅ1-3）；１，３−ブタンジオール、３−メチル−（Ｃ５）ＰＯ4；１，４−ブタンジオール（Ｃ４）２（Ｍｅ  Ｅ2-4）；１，４−ブタンジオール（Ｃ４）ＰＯ4-5；１，４−ブタンジオール（Ｃ４）ＢＯ2；１，４−ブタンジオール、２，２，３−トリメチル−（Ｃ７）Ｅ2-9；１，４−ブタンジオール、２，２，３−トリメチル−（Ｃ７）ＰＯ1；１，４−ブタンジオール、２，２，３−トリメチル−（Ｃ７）ｎ−ＢＯ1-3；１，４−ブタンジオール、２，２−ジメチル−（Ｃ６）（Ｍｅ  Ｅ1-6）；１，４−ブタンジオール、２，２���ジメチル−（Ｃ６）ＰＯ2；１，４−ブタンジオール、２，２−ジメチル−（Ｃ６）ＢＯ1；１，４−ブタンジオール、２，３−ジメチル−（Ｃ６）（Ｍｅ  Ｅ1-6）；１，４−ブタンジオール、２，３−ジメチル−（Ｃ６）ＰＯ2；１，４−ブタンジオール、２，３−ジメチル−（Ｃ６）ＢＯ1；１，４−ブタンジオール、２−エチル−（Ｃ６）（Ｍｅ  Ｅ1-4）；１，４−ブタンジオール、２−エチル−（Ｃ６）ＰＯ2；１，４−ブタンジオール、２−エチル−（Ｃ６）ＢＯ1；１，４−ブタンジオール、２−エチル−２−メチル−（Ｃ７）Ｅ1-7；１，４−ブタンジオール、２−エチル−２−メチル−（Ｃ７）ＰＯ1；１，４−ブタンジオール、２−エチル−２−メチル−（Ｃ７）ｎ−ＢＯ1-2；１，４−ブタンジオール、２−エチル−３−メチル−（Ｃ７）Ｅ1-7；１，４−ブタンジオール、２−エチル−３−メチル−（Ｃ７）ＰＯ1；１，４−ブタンジオール、２−エチル−３−メチル−（Ｃ７）ｎ−ＢＯ1-2；１，４−ブタンジオール、２−イソプロピル−（Ｃ７）Ｅ1-7；１，４−ブタンジオール、２−イソプロピル−（Ｃ７）ＰＯ1；１，４−ブタンジオール、２−イソプロピル−（Ｃ７）ｎ−ＢＯ1-2；１，４−ブタンジオール、２−メチル−（Ｃ５）（Ｍｅ  Ｅ6-10）；１，４−ブタンジオール、２−メチル−（Ｃ５）２（Ｍｅ  Ｅ1）；１，４−ブタンジオール、２−メチル−（Ｃ５）ＰＯ3；１，４−ブタンジオール、２−メチル−（Ｃ５）ＢＯ1；１，４−ブタンジオール、２−プロピル−（Ｃ７）Ｅ1-5；１，４−ブタンジオール、２−プロピル−（Ｃ７）ｎ−ＢＯ1-2；１，４−ブタンジオール、３−エチル−１−メチル−（Ｃ７）Ｅ2-9；１，４−ブタンジオール、３−エチル−１−メチル−（Ｃ７）ＰＯ1；１，４−ブタンジオール、３−エチル−１−メチル−（Ｃ７）ｎ−ＢＯ1-3；２，３−ブタンジオール（Ｃ４）（Ｍｅ  Ｅ6-10）；２，３−ブタンジオール（Ｃ４）２（Ｍｅ  Ｅ1）；２，３−ブタンジオール（Ｃ４）ＰＯ3-4；２，３−ブタンジオール（Ｃ４）ＢＯ1；２，３−ブタンジオール、２，３−ジメチル−（Ｃ６）Ｅ3-9；２，３−ブタンジオール、２，３−ジメチル−（Ｃ６）ＰＯ1；２，３−ブタンジオール、２，３−ジメチル−（Ｃ６）ｎ−ＢＯ1-3；２，３−ブタンジオール、２−メチル−（Ｃ５）（Ｍｅ  Ｅ1-5）；２，３−ブタンジオール、２−メチル−（Ｃ５）ＰＯ2；２，３−ブタンジオール、２−メチル−（Ｃ５）ＢＯ1；
３．  １，２−ペンタンジオール（Ｃ５）Ｅ3-10；１，２−ペンタンジオール（Ｃ５）ＰＯ1；１，２−ペンタンジオール（Ｃ５）ｎ−ＢＯ2-3；１，２−ペンタンジオール、２−メチル（Ｃ６）Ｅ1-3；１，２−ペンタンジオール、２−メチル（Ｃ６）ｎ−ＢＯ1；１，２−ペンタンジオール、２−メチル（Ｃ６）ＢＯ1；１，２−ペンタンジオール、３−メチル（Ｃ６）Ｅ1-3；１，２−ペンタンジオール、３−メチル（Ｃ６）ｎ−ＢＯ1；１，２−ペンタンジオール、４−メチル（Ｃ６）Ｅ1-3；１，２−ペンタンジオール、４−メチル（Ｃ６）ｎ−ＢＯ1；１，３−ペンタンジオール（Ｃ５）２（Ｍｅ  Ｅ1-2）；１，３−ペンタンジオール（Ｃ５）ＰＯ3-4；１，３−ペンタンジオール、２，２−ジメチル−（Ｃ７）（Ｍｅ−Ｅ1）；１，３−ペンタンジオール、２，２−ジメチル−（Ｃ７）ＰＯ1；１，３−ペンタンジオール、２，２−ジメチル−（Ｃ７）ｎ−ＢＯ2-4；１，３−ペンタンジオール、２，３−ジメチル−（Ｃ７）（Ｍｅ−Ｅ1）；１，３−ペンタンジオール、２，３−ジメチル−（Ｃ７）ＰＯ1；１，３−ペンタンジオール、２，３−ジメチル−（Ｃ７）ｎ−ＢＯ2-4；１，３−ペンタンジオール、２，４−ジメチル−（Ｃ７）（Ｍｅ−Ｅ1）；１，３−ペンタンジオール、２，４−ジメチル−（Ｃ７）ＰＯ1；１，３−ペンタンジオール、２，４−ジメチル−（Ｃ７）ｎ−ＢＯ2-4；１，３−ペンタンジオール、２−エチル−（Ｃ７）Ｅ2-9；１，３−ペンタンジオール、２−エチル−（Ｃ７）ＰＯ1；１，３−ペンタンジオール、２−エチル−（Ｃ７）ｎ−ＢＯ1-3；１，３−ペンタンジオール、２−メチル−（Ｃ６）２（Ｍｅ  Ｅ1-6）；１，３−ペンタンジオール、２−メチル−（Ｃ６）ＰＯ2-3；１，３−ペンタンジオール、２−メチル−（Ｃ６）ＢＯ1；１，３−ペンタンジオール、３，４−ジエチル−（Ｃ７）（Ｍｅ  Ｅ1）；１，３−ペンタンジオール、３，４−ジエチル−（Ｃ７）ＰＯ1；１，３−ペンタンジオール、３，４−ジエチルー（Ｃ７）ｎ−ＢＯ2-4；１，３−ペンタンジオール、３−メチル−（Ｃ６）（Ｍｅ−Ｅ1-6）；１，３−ペンタンジオール、３−メチル−（Ｃ６）ＰＯ2-3；１，３−ペンタンジオール、３−メチル−（Ｃ６）ＢＯ1；１，３−ペンタンジオール、４，４−ジメチル−（Ｃ７）（Ｍｅ  Ｅ1）；１，３−ペンタンジオール、４，４−ジメチル−（Ｃ７）ＰＯ1；１，３−ペンタンジオール、４，４−ジメチル−（Ｃ７）ｎ−ＢＯ2-4；１，３−ペンタンジオール、４−メチル−（Ｃ６）（Ｍｅ−Ｅ1-6）；１，３−ペンタンジオール、４−メチル−（Ｃ６）ＰＯ2-3；１，３−ペンタンジオール、４−メチル−（Ｃ６）ＢＯ1；１，４−ペンタンジオール（Ｃ５）２（Ｍｅ−Ｅ1-2）；１，４−ペンタンジオール（Ｃ５）ＰＯ3-4；１，４−ペンタンジオール、２，２−ジメチル−（Ｃ７）（Ｍｅ  Ｅ1）；１，４−ペンタンジオール、２，２−ジメチル−（Ｃ７）ＰＯ1；１，４−ペンタンジオール、２，２−ジメチル−（Ｃ７）ｎ−ＢＯ2-4；１，４−ペンタンジオール、２，３−ジメチル−（Ｃ７）（Ｍｅ−Ｅ1）；１，４−ペンタンジオール、２，３−ジメチル−（Ｃ７）ＰＯ1；１，４−ペンタンジオール、２，３−ジメチル−（Ｃ７）ｎ−ＢＯ2-4；１，４−ペンタンジオール、２，４−ジメチル−（Ｃ７）（Ｍｅ  Ｅ1）；１，４−ペンタンジオール、２，４−ジメチル−（Ｃ７）ＰＯ1；１，４−ペンタンジオール、２，４−ジメチル−（Ｃ７）ｎ−ＢＯ2-4；１，４−ペンタンジオール、２−メチル−（Ｃ６）（Ｍｅ−Ｅ1-6）；１，４−ペンタンジオール、２−メチル−（Ｃ６）ＰＯ2-3；１，４−ペンタンジオール、２−メチル−（Ｃ６）ＢＯ1；１，４−ペンタンジオール、３，３−ジメチル−（Ｃ７）（Ｍｅ−Ｅ1）；１，４−ペンタンジオール、３，３−ジメチル−（Ｃ７）ＰＯ1；１，４−ペンタンジオール、３，３−ジメチル−（Ｃ７）ｎ−ＢＯ2-4；１，４−ペンタンジオール、３，４−ジメチル−（Ｃ７）（Ｍｅ−Ｅ1）；１，４−ペンタンジオール、３，４−ジメチル−（Ｃ７）ＰＯ1；１，４−ペンタンジオール、３，４−ジメチル−（Ｃ７）ｎ−ＢＯ2-4；１，４−ペンタンジオール、３−メチル−（Ｃ６）２（Ｍｅ−Ｅ1-6）；１，４−ペンタンジオール、３−メチル−（Ｃ６）ＰＯ2-3；１，４−ペンタンジオール、３−メチル−（Ｃ６）ＢＯ1；１，４−ペンタンジオール、４−メチル−（Ｃ６）２（Ｍｅ−Ｅ1-6）；１，４−ペンタンジオール、４−メチル−（Ｃ６）ＰＯ2-3；１，４−ペンタンジオール、４−メチル−（Ｃ６）ＢＯ1；１，５−ペンタンジオール（Ｃ５）（Ｍｅ−Ｅ4-10）；１，５−ペンタンジオール（Ｃ５）２（Ｍｅ−Ｅ1）；１，５−ペンタンジオール（Ｃ５）ＰＯ3；１，５−ペンタンジオール、２，２−ジメチル−（Ｃ７）Ｅ1-7；１，５−ペンタンジオール、２，２−ジメチル−（Ｃ７）ＰＯ1；１，５−ペンタンジオール、２，２−ジメチル−（Ｃ７）ｎ−ＢＯ1-2；１，５−ペンタンジオール、２，３−ジメチル−（Ｃ７）Ｅ1-7；１，５−ペンタンジオール、２，３−ジメチル−（Ｃ７）ＰＯ1；１，５−ペンタンジオール、２，３−ジメチル−（Ｃ７）ｎ−ＢＯ1-2；１，５−ペンタンジオール、２，４−ジメチル−（Ｃ７）Ｅ1-7；１，５−ペンタンジオール、２，４−ジメチル−（Ｃ７）ＰＯ1；１，５−ペンタンジオール、２，４−ジメチル−（Ｃ７）ｎ−ＢＯ1-2；１，５−ペンタンジオール、２−エチル−（Ｃ７）Ｅ1-5；１，５−ペンタンジオール、２−エチル−（Ｃ７）ｎ−ＢＯ1-2；１，５−ペンタンジオール、２−メチル−（Ｃ６）（Ｍｅ−Ｅ1-4）；１，５−ペンタンジオール、２−メチル−（Ｃ６）ＰＯ2；１，５−ペンタンジオール、３，３−ジメチル−（Ｃ７）Ｅ1-7；１，５−ペンタンジオール、３，３−ジメチル−（Ｃ７）ＰＯ1；１，５−ペンタンジオール、３，３−ジメチル−（Ｃ７）ｎ−ＢＯ1-2；１，５−ペンタンジオール、３−メチル−（Ｃ６）（Ｍｅ−Ｅ1-4）；１，５−ペンタンジオール、３−メチル−（Ｃ６）ＰＯ2；２，３−ペンタンジオール（Ｃ５）（Ｍｅ−Ｅ1-3）；２，３−ペンタンジオール（Ｃ５）ＰＯ2；２，３−ペンタンジオール、２−メチル−（Ｃ６）Ｅ1-7；２，３−ペンタンジオール、２−メチル−（Ｃ６）ＰＯ1；２，３−ペンタンジオール、２−メチル−（Ｃ６）ｎ−ＢＯ1-2；２，３−ペンタンジオール、３−メチル−（Ｃ６）Ｅ1-7；２，３−ペンタンジオール、３−メチル−（Ｃ６）ＰＯ1；２，３−ペンタンジオール、３−メチル−（Ｃ６）ｎ−ＢＯ1-2；２，３−ペンタンジオール、４−メチル−（Ｃ６）Ｅ1-7；２，３−ペンタンジオール、４−メチル−（Ｃ６）ＰＯ1；２，３−ペンタンジオール、４−メチル−（Ｃ６）ｎ−ＢＯ1-2；２，４−ペンタンジオール（Ｃ５）２（Ｍｅ−Ｅ1-4）；２，４−ペンタンジオール（Ｃ５）ＰＯ4；２，４−ペンタンジオール、２，３−ジメチル−（Ｃ７）（Ｍｅ−Ｅ1-4）；２，４−ペンタンジオール、２，３−ジメチル−（Ｃ７）ＰＯ2；２，４−ペンタンジオール、２，４−ジメチル−（Ｃ７）（Ｍｅ−Ｅ1-4）；２，４−ペンタンジオール、２，４−ジメチル−（Ｃ７）ＰＯ2；２，４−ペンタンジオール、２−メチル−（Ｃ７）（Ｍｅ−Ｅ5-10）；２，４−ペンタンジオール、２−メチル−（Ｃ７）ＰＯ3；２，４−ペンタンジオール、３，３−ジメチル−（Ｃ７）（Ｍｅ−Ｅ1-4）；２，４−ペンタンジオール、３，３−ジメチル−（Ｃ７）ＰＯ2；２，４−ペンタンジオール、３−メチル−（Ｃ６）（Ｍｅ−Ｅ5-10）；２，４−ペンタンジオール、３−メチル−（Ｃ６）ＰＯ3；
４．  １，３−ヘキサンジオール（Ｃ６）（Ｍｅ−Ｅ1-5）；１，３−ヘキサンジオール（Ｃ６）ＰＯ2；１，３−ヘキサンジオール（Ｃ６）ＢＯ1；１，３−ヘキサンジオール、２−メチル−（Ｃ７）Ｅ2-9；１，３−ヘキサンジオール、２−メチル−（Ｃ７）ＰＯ1；１，３−ヘキサンジオール、２−メチル−（Ｃ７）ｎ−ＢＯ1-3；１，３−ヘキサンジオール、２−メチル−（Ｃ７）ＢＯ1；１，３−ヘキサンジオール、３−メチル−（Ｃ７）Ｅ2-9；１，３−ヘキサンジオール、３−メチル−（Ｃ７）ＰＯ1；１，３−ヘキサンジオール、３−メチル−（Ｃ７）ｎ−ＢＯ1-3；１，３−ヘキサンジオール、４−メチル−（Ｃ７）Ｅ2-9；１，３−ヘキサンジオール、４−メチル−（Ｃ７）ＰＯ1；１，３−ヘキサンジオール、４−メチル−（Ｃ７）ｎ−ＢＯ1-3；１，３−ヘキサンジオール、５−メチル−（Ｃ７）Ｅ2-9；１，３−ヘキサンジオール、５−メチル−（Ｃ７）ＰＯ1；１，３−ヘキサンジオール、５−メチル−（Ｃ７）ｎ−ＢＯ1-3；１，４−ヘキサンジオール（Ｃ６）（Ｍｅ−Ｅ1-5）；１，４−ヘキサンジオール（Ｃ６）ＰＯ2；１，４−ヘキサンジオール（Ｃ６）ＢＯ1；１，４−ヘキサンジオール、２−メチル−（Ｃ７）Ｅ2-9；１，４−ヘキサンジオール、２−メチル−（Ｃ７）ＰＯ1；１，４−ヘキサンジオール、２−メチル−（Ｃ７）ｎ−ＢＯ1-3；１，４−ヘキサンジオール、３−メチル−（Ｃ７）Ｅ2-9；１，４−ヘキサンジオール、３−メチル−（Ｃ７）ＰＯ1；１，４−ヘキサンジオール、３−メチル−（Ｃ７）ｎ−ＢＯ1-3；１，４−ヘキサンジオール、４−メチル−（Ｃ７）Ｅ2-9；１，４−ヘキサンジオール、４−メチル−（Ｃ７）ＰＯ1；１，４−ヘキサンジオール、４−メチル−（Ｃ７）ｎ−ＢＯ1-3；１，４−ヘキサンジオール、５−メチル−（Ｃ７）Ｅ2-9；１，４−ヘキサンジオール、５−メチル−（Ｃ７）ＰＯ1；１，４−ヘキサンジオール、５−メチル−（Ｃ７）ｎ−ＢＯ1-3；１，５−ヘキサンジオール（Ｃ６）（Ｍｅ−Ｅ1-5）；１，５−ヘキサンジオール（Ｃ６）ＰＯ2；１，５−ヘキサンジオール（Ｃ６）ＢＯ1；１，５−ヘキサンジオール、２−メチル−（Ｃ７）Ｅ2-9；１，５−ヘキサンジオール、２−メチル−（Ｃ７）ＰＯ1；１，５−ヘキサンジオール、２−メチル−（Ｃ７）ｎ−ＢＯ1-3；１，５−ヘキサンジオール、３−メチル−（Ｃ７）Ｅ2-9；１，５−ヘキサンジオール、３−メチル−（Ｃ７）ＰＯ1；１，５−ヘキサンジオール、３−メチル−（Ｃ７）ｎ−ＢＯ1-3；１，５−ヘキサンジオール、４−メチル−（Ｃ７）Ｅ2-9；１，５−ヘキサンジオール、４−メチル−（Ｃ７）ＰＯ1；１，５−ヘキサンジオール、４−メチル−（Ｃ７）ｎ−ＢＯ1-3；１，５−ヘキサンジオール、５−メチル−（Ｃ７）Ｅ2-9；１，５−ヘキサンジオール、５−メチル−（Ｃ７）ＰＯ1；１，５−ヘキサンジオール、５−メチル−（Ｃ７）ｎ−ＢＯ1-3；１，６−ヘキサンジオール（Ｃ６）（Ｍｅ  Ｅ1-2）；１，６−ヘキサンジオール（Ｃ６）ＰＯ1-2；１，６−ヘキサンジオール（Ｃ６）ｎ−ＢＯ4；１，６−ヘキサンジオール、２−メチル−（Ｃ７）Ｅ1-5；１，６−ヘキサンジオール、２−メチル−（Ｃ７）ｎ−ＢＯ1-2；１，６−ヘキサンジオール、３−メチル−（Ｃ７）Ｅ1-5；１，６−ヘキサンジオール、３−メチル−（Ｃ７）ｎ−ＢＯ1-2；２，３−ヘキサンジオール（Ｃ６）Ｅ1-5；２，３−ヘキサンジオール（Ｃ６）ｎ−ＢＯ1；２，３−ヘキサンジオール（Ｃ６）ＢＯ1；２，４−ヘキサンジオール（Ｃ６）（Ｍｅ−Ｅ3-8）；２，４−ヘキサンジオール（Ｃ６）ＰＯ3；２，４−ヘキサンジオール、２−メチル−（Ｃ７）（Ｍｅ−Ｅ1-2）；２，４−ヘキサンジオール、２−メチル−（Ｃ７）ＰＯ1-2；２，４−ヘキサンジオール、３−メチル−（Ｃ７）（Ｍｅ−Ｅ1-2）；２，４−ヘキサンジオール、３−メチル−（Ｃ７）ＰＯ1-2；２，４−ヘキサンジオール、４−メチル−（Ｃ７）（Ｍｅ−Ｅ1-2）；２，４−ヘキサンジオール、４−メチル−（Ｃ７）ＰＯ1-2；２，４−ヘキサンジオール、５−メチル−（Ｃ７）（Ｍｅ−Ｅ1-2）；２，４−ヘキサンジオール、５−メチル−（Ｃ７）ＰＯ1-2；２，５−ヘキサンジオール（Ｃ６）（Ｍｅ−Ｅ3-8）；２，５−ヘキサンジオール（Ｃ６）ＰＯ3；２，５−ヘキサンジオール、２−メチル−（Ｃ７）（Ｍｅ−Ｅ1-2）；２，５−ヘキサンジオール、２−メチル−（Ｃ７）ＰＯ1-2；２，５−ヘキサンジオール、３−メチル−（Ｃ７）（Ｍｅ−Ｅ1-2）；２，５−ヘキサンジオール、３−メチル−（Ｃ７）ＰＯ1-2；３，４−ヘキサンジオール（Ｃ６）ＥＯ1-5；３，４−ヘキサンジオール（Ｃ６）ｎ−ＢＯ1；３，４−ヘキサンジオール（Ｃ６）ＢＯ1；
５．  １，３−ヘプタンジオール（Ｃ７）Ｅ1-7；１，３−ヘプタンジオール（Ｃ７）ＰＯ1；１，３−ヘプタンジオール（Ｃ７）ｎ−ＢＯ1-2；１，４−ヘプタンジオール（Ｃ７）Ｅ1-7；１，４−ヘプタンジオール（Ｃ７）ＰＯ1；１，４−ヘプタンジオール（Ｃ７）ｎ−ＢＯ1-2；１，５−ヘプタンジオール（Ｃ７）Ｅ1-7；１，５−ヘプタンジオール（Ｃ７）ＰＯ1；１，５−ヘプタンジオール（Ｃ７）ｎ−ＢＯ1-2；１，６−ヘプタンジオール（Ｃ７）Ｅ1-7；１，６−ヘプタンジオール（Ｃ７）ＰＯ1；１，６−ヘプタンジオール（Ｃ７）ｎ−ＢＯ1-2；１，７−ヘプタンジオール（Ｃ７）Ｅ1-2；１，７−ヘプタンジオール（Ｃ７）ｎ−ＢＯ1-2；２，４−ヘプタンジオール（Ｃ７）Ｅ3-10；２，４−ヘプタンジオール（Ｃ７）（Ｍｅ−Ｅ1）；２，４−ヘプタンジオール（Ｃ７）ＰＯ1；２，４−ヘプタンジオール（Ｃ７）ｎ−ＢＯ3；２，５−ヘプタンジオール（Ｃ７）Ｅ3-10；２，５−ヘプタンジオール（Ｃ７）（Ｍｅ−Ｅ1）；２，５−ヘプタンジオール（Ｃ７）ＰＯ1；２，５−ヘプタンジオール（Ｃ７）ｎ−ＢＯ3；２，６−ヘプタンジオール（Ｃ７）Ｅ3-10；２，６−ヘプタンジオール（Ｃ７）（Ｍｅ−Ｅ1）；２，６−ヘプタンジオール（Ｃ７）ＰＯ1；２，６−ヘプタンジオール（Ｃ７）ｎ−ＢＯ3；３，５−ヘプタンジオール（Ｃ７）Ｅ3-10；３，５−ヘプタンジオール（Ｃ７）（Ｍｅ−Ｅ1）；３，５−ヘプタンジオール（Ｃ７）ＰＯ1；３，５−ヘプタンジオール（Ｃ７）ｎ−ＢＯ3；
６．  １，３−ブタンジオール、３−メチル−２−イソプロピル−（Ｃ８）ＰＯ1；２，４−ペンタンジオール、２，３，３−トリメチル−（Ｃ８）ＰＯ1；１，３−ブタンジオール、２，２−ジメチル−（Ｃ８）Ｅ2-5；２，４−ヘキサンジオール、２，３−ジメチル−（Ｃ８）Ｅ2-5；２，４−ヘキサンジオール、２，４−ジメチル−（Ｃ８）Ｅ2-5；２，４−ヘキサンジオール、２，５−ジメチル−（Ｃ８）Ｅ2-5；２，４−ヘキサンジオール、３，３−ジメチル−（Ｃ８）Ｅ2-5；２，４−ヘキサンジオール、３，４−ジメチル−（Ｃ８）Ｅ2-5；２，４−ヘキサンジオール、３，５−ジメチル−（Ｃ８）Ｅ2-5；２，４−ヘキサンジオール、４，５−ジメチル−（Ｃ８）Ｅ2-5；２，４−ヘキサンジオール、５，５−ジメチル−（Ｃ８）Ｅ2-5；２，５−ヘキサンジオール、２，３−ジメチル−（Ｃ８）Ｅ2-5；２，５−ヘキサンジオール、２，４−ジメチル−（Ｃ８）Ｅ2-5；２，５−ヘキサンジオール、２，５−ジメチル−（Ｃ８）Ｅ2-5；２，５−ヘキサンジオール、３，３−ジメチル−（Ｃ８）Ｅ2-5；２，５−ヘキサンジオール、３，４−ジメチル−（Ｃ８）Ｅ2-5；３，５−ヘプタンジオール、３−メチル−（Ｃ８）Ｅ2-5；１，３−ブタンジオール、２，２−ジエチル−（Ｃ８）ｎ−ＢＯ1-2；２，４−ヘキサンジオール、２，３−ジメチル−（Ｃ８）ｎ−ＢＯ1-2；２，４−ヘキサンジオール、２，４−ジメチル−（Ｃ８）ｎ−ＢＯ1-2；２，４−ヘキサンジオール、２，５−ジメチル−（Ｃ８）ｎ−ＢＯ1-2；２，４−ヘキサンジオール、３，３−ジメチル−（Ｃ８）ｎ−ＢＯ1-2；２，４−ヘキサンジオール、３，４−ジメチル−（Ｃ８）ｎ−ＢＯ1-2；２，４−ヘキサンジオール、３，５−ジメチル−（Ｃ８）ｎ−ＢＯ1-2；２，４−ヘキサンジオール、４，５−ジメチル−（Ｃ８）ｎ−ＢＯ1-2；２，４−ヘキサンジオール、５，５−ジメチル−、ｎ−ＢＯ1-2；２，５−ヘキサンジオール、２，３−ジメチル−（Ｃ８）ｎ−ＢＯ1-2；２，５−ヘキサンジオール、２，４−ジメチル−（Ｃ８）ｎ−ＢＯ1-2；２，５−ヘキサンジオール、２，５−ジメチル−（Ｃ８）ｎ−ＢＯ1-2；２，５−ヘキサンジオール、３，３−ジメチル−（Ｃ８）ｎ−ＢＯ1-2；２，５−ヘキサンジオール、３，４−ジメチル−（Ｃ８）ｎ−ＢＯ1-2；３，５−ヘプタンジオール、３−メチル−（Ｃ８）ｎ−ＢＯ1-2；１，３−プロパンジオール、２−（１，２−ジメチルプロピル）−（Ｃ８）ｎ−ＢＯ1；１，３−ブタンジオール２−エチル−２，３−ジメチル−（Ｃ８）ｎ−ＢＯ1；１，３−ブタンジオール、２−メチル−２−イソプロピル−（Ｃ８）ｎ−ＢＯ1；１，４−ブタンジオール、３−メチル−２−イソプロピル−（Ｃ８）ｎ−ＢＯ1；１，３−ペンタンジオール、２，２，３−トリメチル−（Ｃ８）ｎ−ＢＯ1；１，３−ペンタンジオール、２，２，４−トリメチル−（Ｃ８）ｎ−ＢＯ1；１，３−ペンタンジオール、２，４，４−トリメチル−（Ｃ８）ｎ−ＢＯ1；１，３−ペンタンジオール、３，４，４−トリメチル−（Ｃ８）ｎ−ＢＯ1；１，４−ペンタンジオール、２，２，３−トリメチル−（Ｃ８）ｎ−ＢＯ1；１，４−ペンタンジオール、２，２，４−トリメチル−（Ｃ８）ｎ−ＢＯ1；１，４−ペンタンジオール、２，３，３−トリメチル−（Ｃ８）ｎ−ＢＯ1；１，４−ペンタンジオール、２，３，４−トリメチル−（Ｃ８）ｎ−ＢＯ1；１，４−ペンタンジオール、３，３，４−トリメチル−（Ｃ８）ｎ−ＢＯ1；２，４−ペンタンジオール、２，３，４−トリメチル−（Ｃ８）ｎ−ＢＯ1；２，４−ヘキサンジオール、４−エチル−（Ｃ８）ｎ−ＢＯ1；２，４−ヘプタンジオール、２−メチル−（Ｃ８）ｎ−ＢＯ1；２，４−ヘプタンジオール、３−メチル−（Ｃ８）ｎ−ＢＯ1；２，４−ヘプタンジオール、４−メチル−（Ｃ８）ｎ−ＢＯ1；２，４−ヘプタンジオール、５−メチル−（Ｃ８）ｎ−ＢＯ1；２，４−ヘプタンジオール、６−メチル−（Ｃ８）ｎ−ＢＯ1；２，５−ヘプタンジオール、２−メチル−（Ｃ８）ｎ−ＢＯ1；２，５−ヘプタンジオール、３−メチル−（Ｃ８）ｎ−ＢＯ1；２，５−ヘプタンジオール、４−メチル−（Ｃ８）ｎ−ＢＯ1；２，５−ヘプタンジオール、５−メチル−（Ｃ８）ｎ−ＢＯ1；２，５−ヘプタンジオール、６−メチル−（Ｃ８）ｎ−ＢＯ1；２，６−ヘプタンジオール、２−メチル−（Ｃ８）ｎ−ＢＯ1；２，６−ヘプタンジオール、３−メチル−（Ｃ８）ｎ−ＢＯ1；２，６−ヘプタンジオール、４−メチル−（Ｃ８）ｎ−ＢＯ1；３，５−ヘプタンジオール、２−メチル−（Ｃ８）ｎ−ＢＯ1；１，３−プロパンジオール、２−（１，２−ジメチルプロピル）−（Ｃ８）Ｅ1-3；１，３−ブタンジオール、２−エチル−２，３−ジメチル−（Ｃ８）Ｅ1-3；１，３−ブタンジオール、２−メチル−２−イソプロピル−（Ｃ８）Ｅ1-3；１，４−ブタンジオール、３−メチル−２−イソプロピル−（Ｃ８）Ｅ1-3；１，３−ペンタンジオール、２，２，３−トリメチル−（Ｃ８）Ｅ1-3；１，３−ペンタンジオール、２，２，４−トリメチル−（Ｃ８）Ｅ1-3；１，３−ペンタンジオール、２，４，４−トリメチル−（Ｃ８）Ｅ1-3；１，３−ペンタンジオール、３，４，４−トリメチル−（Ｃ８）Ｅ1-3；１，４−ペンタンジオール、２，２，３−トリメチル−（Ｃ８）Ｅ1-3；１，４−ペンタンジオール、２，２，４−トリメチル−（Ｃ８）Ｅ1-3；１，４−ペンタンジオール、２，３，３−トリメチル−（Ｃ８）Ｅ1-3；１，４−ペンタンジオール、２，３，４−トリメチル−（Ｃ８）Ｅ1-3；１，４−ペンタンジオール、３，３，４−トリメチル−（Ｃ８）Ｅ1-3；２，４−ペンタンジオール、２，３，４−トリメチル−（Ｃ８）Ｅ1-3；２，４−ヘキサンジオール、４−エチル−（Ｃ８）Ｅ1-3；２，４−ヘプタンジオール、２−メチル−（Ｃ８）Ｅ1-3；２，４−ヘプタンジオール、３−メチル−（Ｃ８）Ｅ1-3；２，４−ヘプタンジオール、４−メチル−（Ｃ８）Ｅ1-3；２，４−ヘプタンジオール、５−メチル−（Ｃ８）Ｅ1-3；２，４−ヘプタンジオール、６−メチル−（Ｃ８）Ｅ1-3；２，５−ヘプタンジオール、２−メチル−（Ｃ８）Ｅ1-3；２，５−ヘプタンジオール、３−メチル−（Ｃ８）Ｅ1-3；２，５−ヘプタンジオール、４−メチル−（Ｃ８）Ｅ1-3；２，５−ヘプタンジオール、５−メチル−（Ｃ８）Ｅ1-3；２，５−ヘプタンジオール、６−メチル−（Ｃ８）Ｅ1-3；２，６−ヘプタンジオール、２−メチル−（Ｃ８）Ｅ1-3；２，６−ヘプタンジオール、３−メチル−（Ｃ８）Ｅ1-3；２，６−ヘプタンジオール、４−メチル−（Ｃ８）Ｅ1-3；および／または３，５−ヘプタンジオール、２−メチル−（Ｃ８）Ｅ1-3；および
７．  それらの混合物；
ＩＸ．  下記のものを包含する芳香族ジオール：１−フェニル−１，２−エタンジオール；１−フェニル−１，２−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；１−フェニル−１，３−ブタンジオール；３−フェニル−１，３−ブタンジオール；１−フェニル−１，４−ブタンジオール；２−フェニル−１，４−ブタンジオール；および／または１−フェニル−２，３−ブタンジオール；
Ｘ．  １またはそれ以上のＣＨ2基が付加されているが、付加された各ＣＨ2基について、２つの水素原子が分子中の隣接する炭素原子から除去されて１つの炭素−炭素二重結合を形成し、こうして分子中の水素原子の数を一定に保持する、上記構造の同族体または類似体である、下記のものを包含する溶剤：
１，３−プロパンジオール、２，２−ジ−２−プロペニル−；１，３−プロパンジオール、２−（１−ペンテニル）−；１，３−プロパンジオール、２−（２−メチル−２−プロペニル）−２−（２−プロペニル）−；１，３−プロパンジオール、２−（３−メチル−１−ブテニル）−；１，３−プロパンジオール、２−（４−ペンテニル）−；１，３−プロパンジオール、２−エチル−２−（２−メチル−１−プロペニル）−；１，３−プロパンジオール、２−エチル−２−（２−プロペニル）−；１，３−プロパンジオール、２−メチル−２−（３−メチル−３−ブテニル）−；１，３−プロパンジオール、２，２−ジアリル−；１，３−ブタンジオール、２−（１−エチル−１−プロペニル）−；１，３−ブタンジオール、２−（２−ブテニル）−２−メチル−；１，３−ブタンジオール、２−（３−メチル−２−ブテニル）−；１，３−ブタンジオール、２−エチル−２−（２−プロペニル）−；１，３−ブタンジオール、２−メチル−２−（１−メチル−２−プロペニル）−；１，４−ブタンジオール、２，３−ビス（１−メチルエチリデン）−；１，４−ブタンジオール、２−（３−メチル−２−ブテニル）−３−メチレン−；２−ブテン−１，４−ジオール、２−（１，１−ジメチルプロピル）−；２−ブテン−１，４−ジオール、２−（１−メチルプロピル）−；２−ブテン−１，４−ジオール、２−ブチル−；１，３−ペンタンジオール、２−エテニル−３−エチル−；１，３−ペンタンジオール、２−エテニル−４，４−ジメチル−；１，４−ペンタンジオール、３−メチル−２−（２−プロペニル）−；１，５−ペンタンジオール、２−（１−ペンテニル）−；１，５−ペンタンジオール、２−（２−プロペニル）−；１，５−ペンタンジオール、２−エチリデン−３−メチル−；１，５−ペンタンジオール、２−プロピリデン−；２，４−ペンタンジオール、３−エチリデン−２，４−ジメチル−；４−ペンテン−１，３−ジオール、２−（１，１−ジメチルエチル）−；４−ペンテン−１，３−ジオール、２−エチル−２，３−ジメチル−；１，４−ヘキサンジオール、４−エチル−２−メチレン−；１，５−ヘキサンジエン−３，４−ジオール、２，３，５−トリメチル−；１，５−ヘキサンジエン−３，４−ジオール、５−エチル−３−メチル−；１，５−ヘキサンジオール、２−（１−メチルエテニル）−；１，６−ヘキサンジオール、２−エテニル−；１−ヘキセン−３，４−ジオール、５，５−ジメチル−；１−ヘキセン−３，４−ジオール、５，５−ジメチル−；２−ヘキセン−１，５−ジオール、４−エテニル−２，５−ジメチル−；３−ヘキセンー１，６−ジオール，２−エテニル−２，５−ジメチル−；３−ヘキセン−１，６−ジオール、２−エチル−；３−ヘキセン−１，６−ジオール、３，４−ジメチル−；４−ヘキセン−２，３−ジオール、２，５−ジメチル−；４−ヘキセン−２，３−ジオール、３，４−ジメチル−；５−ヘキセン−１，３−ジオール、３−（２−プロペニル）−；５−ヘキセン−２，３−ジオール、２，３−ジメチル−；５−ヘキセン−２，３−ジオール、３，４−ジメチル−；５−ヘキセン−２，３−ジオール、３，５−ジメチル−；５−ヘキセン−２，４−ジオール、３−エテニル−２，５−ジメチル−；１，４−ヘプタンジオール、６−メチル−５−メチレン−；１，５−ヘプタジエン−３，４−ジオール、２，３−ジメチル−；１，５−ヘプタジエン−３，４−ジオール、２，５−ジメチル−；１，５−ヘプタジエン−３，４−ジオール、３，５−ジメチル−；１，７−ヘプタンジオール、２，６−ビス（メチレン）−；１，７−ヘプタンジオール、４−メチレン−；１−ヘプテン−３，５−ジオール、２，４−ジメチル−；１−ヘプテン−３，５−ジオール、２，６−ジメチル−；１−ヘプテン−３，５−ジオール、３−エテニル−５−メチル−；１−ヘプテン−３，５−ジオール、６，６−ジメチル−；２，４−ヘプタンジエン−２，６−ジオール、４，６−ジメチル−；２，５−ヘプテジエン−１，７−ジオール、４，４−ジメチル−；２，６−ヘプテジエン−１，４−ジオール、２，５，５−トリメチル−；２−ヘプテン−１，４−ジオール、５，６−ジメチル−；２−ヘプテン−１，５−ジオール、５−エチル−；２−ヘプテン−１，７−ジオール、２−メチル−；３−ヘプテン−１，５−ジオール、４，６−ジメチル−；３−ヘプテン−１，７−ジオール、３−メチル−６−メチレン−；３−ヘプテン−２，５−ジオール、２，４−ジメチル−；３−ヘプテン−２，５−ジオール、２，５−ジメチル−；３−ヘプテン−２，６−ジオール、２，６−ジメチル−；３−ヘプテン−２，６−ジオール、４，６−ジメチル−；５−ヘプテン−１，３−ジオール、２，４−ジメチル−；５−ヘプテン−１，３−ジオール、３，６−ジメチル−；５−ヘプテン−１，４−ジオール、２，６−ジメチル−；５−ヘプテン−１，４−ジオール、３，６−ジメチル−；５−ヘプテン−２，４−ジオール、２，３−ジメチル−；６−ヘプテン−１，３−ジオール、２，２−ジメチル−；６−ヘプテン−１，４−ジオール、４−（２−プロペニル）−；６−ヘプテン−１，４−ジオール、５，６−ジメチル−；６−ヘプテン−１，５−ジオール、２，４−ジメチル−；６−ヘプテン−１，５−ジオール、２−エチリデン−６−メチル−；６−ヘプテン−２，４−ジオール、４−（２−プロペニル）−；６−ヘプテン−２，４−ジオール、５，５−ジメチル−；６−ヘプテン−２，５−ジオール、４，６−ジメチル−；６−ヘプテン−２，５−ジオール、５−エテニル−４−メチル−；１，３−オクタンジオール、２−メチレン−；１，６−オクタンジエン−３，５−ジオール、２，６−ジメチル−；１，６−オクタンジエン−３，５−ジオール、３，７−ジメチル−；１，７−オクタンジエン−３，６−ジオール、２，６−ジメチル−；１，７−オクタンジエン−３，６−ジオール、２，７−ジメチル−；１，７−オクタンジエン−３，６−ジオール、３，６−ジメチル−；１−オクテン−３，６−ジオール、３−エテニル−；２，４，６−オクタトリエン−１，８−ジオール、２，７−ジメチル−；２，４−オクタンジエン−１，７−ジオール、３，７−ジメチル−；２，５−オクタンジエン−１，７−ジオール、２，６−ジメチル−；２，５−オクタンジエン−１，７−ジオール、３，７−ジメチル−；２，６−オクタンジエン−１，４−ジオール、３，７−ジメチル−（Ｒｏｓｉｒｉｄｏｌ）；２，６−オクタンジエン−１，８−ジオール、２−メチル−；２，７−オクタンジエン−１，４−ジオール、３，７−ジメチル−；２，７−オクタンジエン−１，５−ジオール、２，６−ジメチル−；２，７−オクタンジエン−１，６−ジオール、２，６−ジメチル−（８−Ｈｙｄｒｏｘｙｌｉｎａｌｏｏｌ）；２，７−オクタンジエン−１，６−ジオール、２，７−ジメチル−；２−オクテン−１，４−ジオール；２−オクテン−１，７−ジオール；２−オクテン−１，７−ジオール、２−メチル−６−メチレン−；３，５−オクタンジエン−１，７−ジオール、３，７−ジメチル−；３，５−オクタンジエン−２，７−ジオール、２，７−ジメチル−；３，５−オクタンジオール、４−メチレン−；３，７−オクタンジエン−１，６−ジオール、２，６−ジメチル−；３，７−オクタンジエン−２，５−ジオール、２，７−ジメチル−；３，７−オクタンジエン−２，６−ジオール，２，６−ジメチル−；３−オクテン−１，５−ジオール、４−メチル−；３−オクテン−１，５−ジオール、５−メチル−；４，６−オクタンジエン−１，３−ジオール、２，２−ジメチル−；４，７−オクタンジエン−２，３−ジオール、２，６−ジメチル−；４，７−オクタンジエン−２，６−ジオール、２，６−ジメチル−；４−オクテン−１，６−ジオール、７−メチル−；２，７−ビス（メチレン）−；２−メチレン−；５，７−オクタンジエン−１，４−ジオール、２，７−ジメチル−；５，７−オクタンジエン−１，４−ジオール、７−メチル−；５−オクテン−１，３−ジオール；６−オクテン−１，３−ジオール、７−メチル−；６−オクテン−１，４−ジオール、７−メチル−；６−オクテン−１，５−ジオール；６−オクテン−１，５−ジオール、７−メチル−；６−オクテン−３，５−ジオール、２−メチル−；６−オクテン−３，５−ジオール、４−メチル；７−オクテン−１，３−ジオール、２−メチル−；７−オクテン−１，３−ジオール、４−メチル−；７−オクテン−１，３−ジオール、７−メチル−；７−オクテン−１，５−ジオール；７−オクテン−１，６−ジオール、５−メチル−；７−オクテン−１，６−ジオール、５−メチル−；７−オクテン−２，４−ジオール、２−メチル−６−メチレン−；７−オクテン−２，５−ジオール、７−メチル−；７−オクテン−３，５−ジオール、２−メチル−；１−ノナン−３，５−ジオール；１−ノナン−３，７−ジオール；３−ノナン−２，５−ジオール；４，６−ノナジエン−１，３−ジオール、８−メチル−；４−ノナン−２，８−ジオール；６，８−ノナジエン−１，５−ジオール；７−ノネン−２，４−ジオール；８−ノネン−２，４−ジオール；８−ノネン−２，５−ジオール；１，９−デカジエン−３，８−ジオール；および／または１，９−デカジエン−４，６−ジオール；および
ＸＩ．  それらの混合物；
Ｃ．  必要に応じて、しかし好ましくは、有効量の、透明度を改良するに十分な、低分子量の水溶性溶剤、例えば、エタノール、イソプロパノール、プロピレングリコール、１，３−プロパンジオール、プロピレンカーボネート、およびその他、前記水溶性溶剤はそれら自体によっては透明な組成物を形成しないレベルにおいて存在する；
Ｄ．  必要に応じて、しかし好ましくは、透明度を改良するために有効量の、水溶性カルシウム塩および／またはマグネシウム塩、好ましくは塩化物；および
Ｅ．  残部の水；
ここで前記主要な溶剤／前記布帛柔軟剤活性のモル比は３より小さい。
好ましくは、布帛柔軟剤活性がＹ基がアミド基であるものであるとき、溶剤はモノ−オール、特にｔ−ブタノール、または２−メチル−ペンタンジオールである。
発明の詳細な説明
１．  布帛柔軟剤活性
本発明は、必須成分として、組成物の約１５〜約７０重量％、好ましくは約１７〜約６５重量％、より好ましくは約１９〜約６０重量％の布帛柔軟剤活性：前記布帛柔軟剤活性は、
（Ａ）  ジエステル第四級アンモニウム布帛柔軟化活性化合物（ＤＥＱＡ）
（１）  ＤＥＱＡの第１型は好ましくは、主要な活性として、下記式の化合物を含んでなる：
0003935933.tif 000004
式中：各Ｒ置換基は短鎖Ｃ1−Ｃ6、好ましくはＣ1−Ｃ3アルキルまたはヒドロキシアルキル基、例えば、メチル（最も好ましい）、エチル、プロピル、ヒドロキシエチル、およびその他、ベンジル、またはそれらの混合物である；各ｍは２または３である；各ｎは１〜約４である；各Ｙは−Ｏ−（Ｏ）Ｃ−、または−Ｃ（Ｏ）−Ｏ−であるが、−Ｃ（Ｏ）−Ｏ−ではない；各Ｒ1中の炭素の合計（ただし、Ｙが−Ｏ−（Ｏ）Ｃ−であるとき＋１）は、Ｃ6−Ｃ22、好ましくはＣ14−Ｃ20であるが、１以下のＹＲ1の合計は約１２より小さく、他のＹＲ1の合計は少なくとも約１６であり、各Ｒ1は長鎖Ｃ8−Ｃ22（またはＣ7−Ｃ21）ヒドロカルビル、または置換ヒドロカルビル置換基、好ましくはＣ10−Ｃ20（またはＣ9−Ｃ19）アルキルまたはアルキレン、最も好ましくはＣ12−Ｃ18（またはＣ11−Ｃ17）アルキルまたはアルキレンであり、そして、炭素の合計がＣ16−Ｃ18でありかつＲ1が直鎖状アルキルまたはアルキレン基であるとき、このＲ1基の親脂肪酸のヨウ素価（以後ＩＶと呼ぶ）は好ましくは約４０〜約１４０、より好ましくは約５０〜約１３０であり、最も好ましくは約７０〜約１１５である。（本明細書おいて使用する場合、「親」脂肪酸または「対応する」脂肪酸のヨウ素価は、同一Ｒ1基を含有する脂肪酸の中に存在する不飽和のレベルと同一であるＲ1基についての不飽和のレベルを規定するために用いる。
上記の対イオンＸ(-)は、任意の柔軟剤適合性アニオン、好ましくは塩化物、臭化物、メチル硫酸、硫酸、硝酸塩およびその他、より好ましくは塩化物であることができる。アニオンは、また、しかし好ましくは、二重の電荷を担持することができ、この場合においてＸ(-)は基の半分を表す。
好ましい生物分解性第四級アンモニウム布帛柔軟化化合物は、基Ｃ（Ｏ）Ｒ1は不飽和、およびポリ不飽和、脂肪酸、例えば、オレイン酸、および／または部分的に水素化された脂肪酸から誘導され、前記脂肪酸は植物油および／または部分的に水素化された植物油、例えば、カノラ油、サフラワーオイル、落花生油、ヒマワリ油、トウモロコシ油、大豆油、タル油、米糠油、およびその他から誘導される。好ましい脂肪酸から製造されたＤＥＱＡの非限定的例は、下記の近似分布を有する：
0003935933.tif 000005
脂肪酸の混合物、および異なる脂肪酸から誘導されたＤＥＱＡの混合物を使用することができ、そしてそれらは好ましい。本発明のＤＥＱＡを形成するために、ブレンドすることができるＤＥＱＡの非限定的例は、下記の通りである：
0003935933.tif 000006
ＤＥＱＡ6は大豆脂肪酸から製造され、そしてＤＥＱＡ7はわずかに水素化された獣脂脂肪酸から製造される。
また、必要に応じて、しかし好ましくは、Ｒ1基は、Ｒ1基の少なくとも一部分について、例えば、イソステアリン酸からの、分枝鎖を含むことができる。分枝鎖の基により表される活性の合計は、それらが存在するとき、典型的には約１％〜約９０％、好ましくは約１０％〜約７０％、より好ましくは約２０％〜約５０％である。
0003935933.tif 000007
ＤＥＱＡ8〜ＤＥＱＡ10は異なる商業的に入手可能なイソステアリン酸から製造される。
より好ましいＤＥＱＡは、合計の脂肪酸ブレンドの異なる部分から製造される別々の仕上げられたＤＥＱＡの混合物のブレンドからよりもむしろ、代表されるすべての異なる脂肪酸のブレンド（合計の脂肪酸ブレンド）からの単一のＤＥＱＡとして製造されるものである。
脂肪族アシル基の少なくとも大部分、例えば、約５０％〜１００％、好ましくは約５５％〜約９５％、より好ましくは約６０％〜約９０％は不飽和であり、そしてポリ不飽和脂肪族アシル基（ＴＰＵ）を含有する活性の合計レベルは約３％〜約３０％、好ましくは約５％〜約２５％、より好ましくは約１０％〜約１８％であることが好ましい。不飽和脂肪族アシル基についてシス／トランス比は重要であり、シス／トランス比は１：１〜約５０：１であり、最小は１：１であり、好ましくは少なくとも３：１、より好ましくは約４：１〜約２０：１である。（本明細書において使用するとき、所定のＲ1基を含有する「柔軟剤活性の百分率」は、柔軟剤活性のすべてを形成するために使用される合計のＲ1基に対する同一のＲ1基の百分率と同一である。）
上記、および下記において論ずる、好ましいポリ不飽和の、脂肪族アシル基を包含する不飽和は、驚くべきことには、有効な柔軟化を提供するが、また、よりすぐれた再湿潤特性、すぐれた静電防止特性、および特に、凍結および融解後におけるよりすぐれた回復を提供する。
高度に不飽和の物質は、また、低い粘度を維持する濃厚なプレミックスに、いっそう容易配合され、したがって、加工、例えば、ポンプ輸送、混合、およびその他を行うことがいっそう容易である。これらの高度に不飽和の物質に標準的に関連する少量の、すなわち、合計の柔軟剤／溶剤混合物の約５〜約２０重量％、好ましくは約８〜約２５重量％、より好ましくは約１０〜約２０重量％の溶剤を有する、このような物質は、また、周囲温度においてさえ、本発明の濃厚な、安定な組成物にいっそう容易に配合される。低温において活性化をプロセスするこの能力はポリ不飽和基に特に重要である。なぜなら、それは分解を最小にするからである。コンパウンドおよび柔軟剤組成物が、後述するように、有効な酸化防止剤および／または還元剤を含有するとき、分解に対する追加の保護を得ることができる。
本発明は、好ましい成分として、上記式（１）および／または下記式（２）を含有するを有する、中鎖生物分解性第四級アンモニウム布帛柔軟化化合物ＤＥＱＡを含有することができる：式中、
各Ｙは−Ｏ−（Ｏ）Ｃ−、または−Ｃ（Ｏ）−Ｏ−、好ましくは−Ｏ−（Ｏ）Ｃ−である；
ｍは２または３、好ましくは２である；
各ｎは１〜４、好ましくは２である；
各Ｒ置換基はＣ1−Ｃ6アルキル、好ましくはメチル、エチル、プロピル、ベンジル基またはそれらの混合物、より好ましくはＣ1−Ｃ3アルキル基である；
各Ｒ1は飽和の（ＩＶは好ましくは約１０またはそれより小さく、より好ましくは約５より小さい）（Ｒ中の炭素数の合計＋１は、Ｙが−Ｏ−（Ｏ）Ｃ−であるとき、１だけ増加する）Ｃ8−Ｃ14、好ましくはＣ12-14ヒドロカルビル、または置換ヒドロカルビル置換基であり、そして対イオンＸ-は上記と同一である。好ましくはＸ-はリン酸塩を含まない。
飽和Ｃ8−Ｃ14脂肪族アシル基は純粋な落誘導体であるか、または混合鎖長であることができる。
前記脂肪族アシル基の適当脂肪酸源は、ココヤシ酸、ラウリン酸、カプリル酸およびカプリン酸である。
Ｃ12−Ｃ14（またはＣ11−Ｃ13）ヒドロカルビル基について、これらの基は好ましくは飽和であり、例えば、ＩＶは好ましくは約１０またはそれより小さく、より好ましくは約５より小さい。
ＲおよびＲ1は必要に応じて種々の基、例えば、アルコキシルまたはヒドロキシル基で置換することができ、そしてＲ1基がそれらの基本的に疎水性特性維持するかぎり、直鎖状もしく分枝鎖状であることができることが理解されるであろう。好ましい化合物は、ジ獣脂ジメチルアンモニウム塩化物（以後「ＤＴＤＭＡＣ」と呼ぶ）の生物分解性ジエステル変異型であり、これらは広く使用されている布帛柔軟剤である。
好ましい長鎖ＤＥＱＡは、高いレベルのポリ不飽和を含有する源から製造されたＤＥＱＡ、すなわち、Ｎ，Ｎ−ジ（アシル−オキシエチル）−Ｎ，Ｎ−ジメチルアンモニウム塩化物であり、ここでアシルは十分なポリ不飽和を含有する脂肪酸、例えば、獣脂脂肪酸と大豆脂肪酸との混合物、から誘導される。他の好ましい長鎖ＤＥＱＡはジオレイル（公称）ＤＥＱＡ、すなわち、Ｎ，Ｎ−ジ（オレイル−オキシエチル）−Ｎ，Ｎ−ジメチルアンモニウム塩化物が主要な成分であるＤＥＱＡである。このようなＤＥＱＡの脂肪酸の好ましい源は、植物油、および／または部分的水素化された植物油、例えば、カノラ油であり、高度に含量の不飽和基、例えば、オレイル基を有する。高度に好ましい中鎖ＤＥＱＡはジココイルＤＥＱＡ（ココナツ脂肪酸から誘導された）、すなわち、Ｎ，Ｎ−ジ（ココ−オイル−オキシエチル）−Ｎ，Ｎ−ジメチルアンモニウム塩化物（以後においてＤＥＱＡ6と例示する）、およびＮ，Ｎ−ジ（ラウロイル−オキシエチル）−Ｎ，Ｎ−ジメチルアンモニウム塩化物である。
本明細書において使用するとき、ジエステルを特定するとき、それは存在するモノエステルを包含することができる。好ましくは、ＤＥＱＡの少なくとも約８０％はジエステルの形態であり、そして０％〜約２０％はＤＥＱＡモノエステルであることができ、例えば、式（１）において、ｍは２であり、そして１つのＹＲ1基はＨまたは−Ｃ（Ｏ）ＯＨである。柔軟化のために、非／低い洗剤キャリオーバーの洗濯条件下に、モノエステルの百分率はできるだけ低く、好ましくは約５％以下あるべきである。しかしながら、高いアニオン洗浄界面活性剤または洗浄ビルダーのキャリオーバーの条件下に、多少のモノエステルは好ましいことがある。ジエステル／モノエステルの全体の比は、約１００：１〜約２：１、より好ましくは約５０：１〜約５：１、より好ましくは約１３：１〜約８：１である。高い洗剤キャリオーバーの条件下に、ジ／モノエステル比は好ましくは約１１：１である。存在するモノエステルのレベルは、ＤＥＱＡの製造においてコントロール可能である。
上記化合物は、本発明の実施において生物分解性第四級化エステル−アミン柔軟化物質として使用するとき、標準的反応の化学を使用して製造することができる。ＤＴＤＭＡＣのジ−エステル変異型の１つの合成において、式ＲＮ（ＣＨ2ＣＨ2ＯＨ）2のアミンを双方のヒドロキシル基において式Ｒ1Ｃ（Ｏ）Ｃｌの酸塩化物でエステル化し、次いでアルキルハロゲン化物ＲＸで第四級化して、所望の反応生成物（ここでＲおよびＲ1は上記において定義した通りである）を生成する。しかしながら、この反応順序は広い選択範囲の物質の製造を可能とすることを当業者は理解するであろう。
本発明の濃厚な、透明な液状布帛柔軟剤組成物の処方に適当な、なお他のＤＥＱＡ柔軟剤は、１つのＲ基がＣ1-4アルキル基である上記式（１）を有し、好ましくは１つのＲ基がヒドロキシエチル基であるものである。このようなヒドロキシエチルエステル活性の１例は、ジ（アシルオキシエチル）（２−ヒドロキシエチル）メチルアンモニウムメチル硫酸であり、ここでアシル基はＤＥＱＡ1のそれと同一であり、ＤＥＱＡ8として例示される。
（２）ＤＥＱＡ活性の第２型は、下記の一般式を有する：
0003935933.tif 000008
式中各Ｙ、Ｒ、Ｒ1、およびＸ(-)は上記と同一の意味を有する。このような化合物は下記式を有する化合物を包含する：
［ＣＨ3］3Ｎ(+)［ＣＨ2ＣＨ（ＣＨ2Ｏ（Ｏ）ＣＲ1）Ｏ（Ｏ）ＣＲ1］Ｃｌ(-)
ここで各Ｒはメチルまたはエチル基であり、そして好ましくは各Ｒ1はＣ15〜Ｃ19の範囲である。分枝および置換の程度はアルキルおよびアルキレン鎖の中に存在することができる。分子中のアニオンＸ(-)は上記ＤＥＱＡ（１）におけるのと同一である。本明細書において使用するとき、ジエステルを特定するとき、それは存在するモノエステルを包含することができる。存在することができるモノエステルの量は上記ＤＥＱＡ（１）におけるのと同一である。式（２）の好ましいＤＥＱＡの１例は、式１，２−ジ（アシルオキシ）−３−トリメチルアンモニウムプロパン塩化物（ここでアシル基はＤＥＱＡ5のそれと同一である）を有する「プロピル」エステル第四級アンモニウム布帛柔軟剤活性である。
これらの型の物質およびそれらを製造する一般的方法は、米国特許第４，１３７，１８０号明細書（Ｎａｉｋ  ｅｔ  ａｌ．、１９７９年１月３０日発行）（これは引用することによって本明細書の一部とされる）。
好ましい柔軟剤活性（１）および（２）において、各Ｒ1はヒドロカルビル、または置換ヒドロカルビル基、好ましくはアルキル、モノ不飽和アルキレン、およびポリ不飽和アルキレン基であり、ポリ不飽和アルキレン基を含有する柔軟剤活性は、存在する合計の柔軟剤活性の少なくとも約３重量％、少なくとも約５重量％、より好ましくは少なくとも約１０重量％、なおより好ましくは少なくとも約１５重量％である；活性は好ましくはＲ1基の混合物を、特に個々の分子内に、含有し、また、必要に応じて、しかし好ましくは、飽和Ｒ1基は、例えば、イソステアリン酸からの、分枝鎖を含み、飽和Ｒ1基の少なくとも一部分について、分枝鎖状基により表される活性の合計は好ましくは約１％〜約９０％、好ましくは約１０％〜約７０％、より好ましくは約２０％〜約５０％である。
本発明におけるＤＥＱＡは低いレベルの脂肪酸を含有することができ、これはＤＥＱＡの形成に使用した未反応の出発物質からのものであることができ、および／または仕上げられた組成物中の柔軟剤活性の任意の部分的分解（加水分解）の副生物であることができる。遊離脂肪酸のレベルは低く、布帛柔軟剤活性の好ましくは約１０重量％より低く、より好ましくは約５重量％より低いことが好ましい。
ＩＩ．  主要な溶剤
きわめてすぐれた水分散性を提供するために、主要な溶剤／布帛柔軟化活性のモル比は約３以上、好ましくは約３〜約１００、より好ましくは３．６〜約５０、最も好ましくは約４〜約２５であるべきである。
前記主要な溶剤は組成物における溶剤の臭気を最小とし、そして最終組成物に低い粘度を提供するように選択される。
本発明の組成物は、組成物の約４０重量％より少ない、好ましくは約１０〜３５重量％、約１２〜２５重量％、なおより好ましくは約１４〜約２０重量％の主要な溶剤を含んでなる。前記主要な溶剤は組成物における溶剤の臭気を最小とし、そして最終組成物に低い粘度を提供するように選択される。例えば、イソプロピルアルコールは非常に有効ではなく、強い臭気を有する。ｎ−プロピルアルコールはより有効であるが、アラニン明確な臭気を有する。いくつかのブチルアルコールは、また、臭気を有するが、それらの臭気を最小するために主要な溶剤系の一部分として使用するとき、有効な透明度／安定性のために使用することができる。アルコールは、また、低温安定性を最適とするために、すなわち、それらが、約４０°Ｆ（約４．４℃）まで、許容できる粘度および半透明の、好ましくは透明な液体であり、かつ約２０°Ｆ（約６．７℃）までにおいて貯蔵後に回復することができる組成物を形成することができように、選択される。
要求される安定性を有する本発明における、液状の、濃厚な、好ましくは透明な、布帛柔軟剤組成物の配合に適当な任意の主要な溶剤は、驚くべきほどに選択性である。適当な溶剤はそれらのオクタノール／水分配係数（Ｐ）に基づいて選択することができる。主要な溶剤のオクタノール／水分配係数は、オクタノール中および水中のその平衡濃度の間の比である。本発明の主要な溶剤成分の分配係数は、好都合には、基本１０、ｌｏｇＰに対するそれらの対数の形で与えられる。
多数の成分のｌｏｇＰが報告されてきている：例えば、ポモナ（Ｐｏｍｏｎａ）９２データベース（ＤａｙＩｉｇｈｔ  Ｃｈｅｍｉｃａｌ  Ｉｎｆｏｍａｔｉｏｎ  Ｓｙｓｔｅｍｓ，Ｉｎｃ．（Ｄａｙｌｉｇｈｔ  ＣＩＳ）、カリフォルニア州アービン、から入手可能である）は、もとの文献に対する引用と一緒に多数ののｌｏｇＰを含有する。しかしながら、ｌｏｇＰ値は最も好都合には「ＣＬＯＧＰ」プログラム（また、Ｄａｙｌｉｇｈｔ  ＣＩＳから入手可能である）により計算される。このプログラムは、また、実験のｌｏｇＰ値を列挙しており、このときそれらはポモナ９２データベースにおいて入手可能である。「計算されたｌｏｇＰ」（ＣｌｏｇＰ）は、ＨａｎｓｈおよびＬｅｏの断片アプローチにより決定される（参照、Ａ．Ｌｅｏ、ｉｎ  Ｃｏｍｐｒｅｈｅｎｓｉｖｅ  Ｍｅｄｉｃｉｎａｌ  Ｃｈｅｍｉｓｔｒｙ、Ｖｏｌ．４、Ｃ．Ｈａｎｓｃｈ、Ｐ．Ｇ．Ｓａｍｍｅｎｓ、Ｊ．Ｂ．ＴａｙｌｏｒおよびＣ．Ａ．Ｒａｍｓｄｅｎ、編、ｐ．２９５、Ｐｅｒｇｏｍｏｎ  Ｐｒｅｓｓ、１９９０、引用することによって本明細書の一部とされる）。断片アプローチは各成分の化学構造に基づき、そして原子の数および型、原子の接続性、および化学的結合を考慮する。ＣｌｏｇＰ値はこの物理化学的性質についての最も信頼性がありかつ広く使用されている推定値であり、そしてＣｌｏｇＰ値を、本発明において有用である主要な溶剤成分の選択において、実験のｌｏｇＰ値の代わりに使用することが好ましい。ＣｌｏｇＰを計算の中に使用できる他の方法は、例えば、下記の方法を包含する：クリッペン（Ｃｒｉｐｐｅｎ）の断片化法（Ｊ．Ｃｈｅｍ．Ｉｎｆ．Ｃｏｍｐｕｔ．Ｓｃｉ．、２７、２１（１９８７）に開示されている）；ビスワナドハン（Ｖｉｓｗａｎａｄｈａｎ）の断片化法（Ｊ．Ｃｈｅｍ．Ｉｎｆ．Ｃｏｍｐｕｔ．Ｓｃｉ．２９、１６３（１９８９）に開示されている）；およびブロト（Ｂｒｏｔｏ）の方法（Ｅｕｒ．Ｊ．Ｍｅｄ．Ｃｈｅｍ．−Ｃｈｉｍ．Ｔｈｅｏｒ．、１９、７１（１９８４）に開示されている）。
本発明における主要な溶剤は、約０．１５〜約０．６４、好ましくは約０．２５〜約０．６２、より好ましくは約０．４０〜約０．６０のＣｌｏｇＰを有するものから選択され、前記主要な溶剤は好ましくは非対称性であり、好ましくは室温またはその付近において液体である、融点、または固化点を有する。低分子量を有しかつ生物分解性である溶剤は、また、いくつかの目的に望ましい。いっそう非対称性の溶剤は非常に望ましいように見えるが、対称中心を有する高度に対称性の溶剤、例えば、１，７−ヘプタンジオール、または１，４−ビス（ヒドロキシメチル）シクロヘキサンは、それらのＣｌｏｇＰ値が好ましい範囲内に入ってさえ、単独で使用するとき、本質的に透明な組成物を提供することができないように見える。約２７％のジ（オレイオイルオキシエチル）ジメチルアンモニウム塩化物、約１６〜２０％の主要な溶剤、および約４〜６％のエタノールを含有する組成物が約４０°Ｆ（約４．４℃）における貯蔵の間に透明に止まりかつ約０°Ｆ（約−１８℃）において凍結から回復するかどうかを決定することによって、最も適当な主要な溶剤を選択することができる。
最も好ましい主要な溶剤は、布帛の処理に使用される凍結乾燥された希薄処理組成物の外観により同定することができる。これらの希薄組成物は、慣用の布帛柔軟剤組成物よりもいっそう単層状外観を示す、布帛柔軟剤の分散を有するように見える。外観が単層状に近づくほど、組成物はよりすぐれた性能を有するように考えられる。これらの組成物は、同一の布帛柔軟化活性を使用して慣用法において製造された同様な組成物に比較して、驚くべきほどにすぐれた布帛柔軟化を提供する。組成物は、また、特に室温またはその付近において香料を組成物に添加したとき、慣用の布帛柔軟化組成物に比較して、改良された香料の付着を固有に提供する。
使用可能な主要な溶剤、例えば、所定の炭素原子数を有する脂肪族および／または脂環式ジオール；モノオール；グリセリンの誘導体；ジオールのアルコキシレート；および上記のすべての混合物を種々の列挙下に下に記載する。好ましい主要な溶剤はイタリックで記載し、そして最も好ましい主要な溶剤はボールドフェースで記載されている。参照数字は、このような数字を有する化合物についてのＣｈｅｍｉｃａｌ  Ａｂｓｔｒａｃｔｓ  Ｓｅｒｖｉｃｅ  Ｒｅｇｉｓｔｒｙ番号（ＣＡＳ  Ｎｏ．）である。新規な化合物は、それらの化合物の製造に使用できる、下記において識別、記載される方法を有する。いくつかの使用不可能な主要な溶剤は、また、比較の目的で下記に列挙されている。しかしながら、使用不可能な主要な溶剤を、使用可能な主要な溶剤との混合物の形態で使用できる。使用可能な主要な溶剤を使用して、本明細書において記載する安定性／透明度の要件を満足する濃厚な布帛柔軟剤組成物を製造することができる。
同一の化学式を有する多数のジオールの主要な溶剤は、多数の立体異性体および／または光学異性体として存在することができる。各異性体は通常異なるＣＡＳ  Ｎｏ．を割り当てられている。例えば、４−メチル−２，３−ヘキサンジオールの異なる異性体は少なくとも下記のＣＡＳ  Ｎｏ．を割り当てられている：１４６４５２−５１−９；１４６４５２−５０−８；１４６４５２−４９−５；１４６４５２−４８−４；１２３８０７−３４−１；１２３８０７−３３−０；１２３８０７−３２−９；および１２３８０７−３１−８。
下記のリストにおいて、簡素化のために、各化学式はただ１つのＣＡＳ  Ｎｏ．とともに列挙されている。この開示は単なる例示であり、そして本発明の実施を可能とするために十分である。この開示は非限定的である。したがって、他のＣＡＳ  Ｎｏ．を有する他の異性体、およびそれらの混合物がまた含まれることを理解すべきである。同じことを述べると、ＣＡＳ  Ｎｏ．はいくつかの特定のアイソトープ、例えば、ジュウテリウム、トリチウム、炭素−１３、およびその他を含有する分子を表すとき、自然に分布したアイソトープを含有する物質をまた含み、そしてその逆も当てはまることを理解すべきである。
0003935933.tif 000009
0003935933.tif 000010
0003935933.tif 000011
0003935933.tif 000012
0003935933.tif 000013
0003935933.tif 000014
0003935933.tif 000015
0003935933.tif 000016
0003935933.tif 000017
0003935933.tif 000018
0003935933.tif 000019
0003935933.tif 000020
0003935933.tif 000021
0003935933.tif 000022
0003935933.tif 000023
0003935933.tif 000024
0003935933.tif 000025
0003935933.tif 000026
0003935933.tif 000027
0003935933.tif 000028
0003935933.tif 000029
0003935933.tif 000030
0003935933.tif 000031
0003935933.tif 000032
0003935933.tif 000033
0003935933.tif 000034
0003935933.tif 000035
0003935933.tif 000036
0003935933.tif 000037
0003935933.tif 000038
0003935933.tif 000039
0003935933.tif 000040
0003935933.tif 000041
0003935933.tif 000042
0003935933.tif 000043
0003935933.tif 000044
0003935933.tif 000045
0003935933.tif 000046
0003935933.tif 000047
0003935933.tif 000048
0003935933.tif 000049
0003935933.tif 000050
表ＶＩＩＩ
Ｃ3Ｃ7ジオールアルコキシル化誘導体
下記の表において、「ＥＯ」はポリエトキシレート、すなわち、−（ＣＨ2ＣＨ2Ｏ）nＨを意味する；Ｍｅ−Ｅｎはメチルキャップドポリエトキシレート−（ＣＨ2ＣＨ2Ｏ）nＣＨ3を意味する：「２（Ｍｅ−Ｅｎ）」は必要な２つのＭｅ−Ｅｎ基を意味する；「ＰＯ」はポリプロポキシレート、−（ＣＨ（ＣＨ3）ＣＨ2Ｏ）nＨを意味する；「ＢＯ」はポリブチレンオキシ基、−（ＣＨ（ＣＨ2ＣＨ3）ＣＨ2Ｏ）nＨを意味する；そして「ｎ−ＢＯ」はポリ（ｎ−ブチレンオキシ）またはポリ（テトラメチレン）オキシ（ＣＨ2ＣＨ2ＣＨ2ＣＨ2Ｏ）nＨを意味する。示したアルコキシル化誘導体のすべては使用可能であり、そして好ましいものはボールドフェースでありかつ第２行に記載されているものである。アルコキシル化誘導体を製造する非限定的、典型的な方法を下に記載する。
0003935933.tif 000051
0003935933.tif 000052
0003935933.tif 000053
0003935933.tif 000054
0003935933.tif 000055
0003935933.tif 000056
0003935933.tif 000057
0003935933.tif 000058
0003935933.tif 000059
0003935933.tif 000060
0003935933.tif 000061
0003935933.tif 000062
0003935933.tif 000063
0003935933.tif 000064
Ｘ．  １またはそれ以上のＣＨ2基が付加されることによって、水素原子の合計数が増加されているが、二重結合の導入により水素の合計数が同一数に保持されている、上記構造の同族体または類似体である、主要な溶剤は、また、下記のものを包含する例とともに有用である：
0003935933.tif 000065
0003935933.tif 000066
0003935933.tif 000067
0003935933.tif 000068
0003935933.tif 000069
0003935933.tif 000070
0003935933.tif 000071
0003935933.tif 000072
0003935933.tif 000073
0003935933.tif 000074
；および
ＸＩ  それらの混合物。
本発明の透明な濃厚な布帛柔軟剤組成物を提供するＣ1-2モノオールは存在しない。ただ１つのＣ3モノオール、ｎ−プロパノールを許容できる性能を提供する（透明な生成物を形成し、そしてそれを約４℃の温度まで透明に保持するか、またはそれを室温に再加温するとき回復させる）が、その沸点（ＢＰ）は望ましくないほどに低い。Ｃ4モノオールの中で、２−ブタノールまたは２−メチル−２−プロパノールのみが非常にすぐれた性能を提供するが、２−メチル−２−プロパノールは望ましくないほどに低いＢＰを有する。前述および後述する不飽和モノオールを除外して透明な生成物を提供するＣ5-6モノオールは存在しない。
化学式の中に２つのヒドロキシル基を有するいくつかの主要溶剤は、本発明の液状の濃厚な、透明な布帛柔軟化組成物の形成において使用するために適当であることが見出された。各主要溶剤は、炭素数、同一炭素数を有する分子の異性体の立体配置、不飽和度、およびその他に依存して、驚くべきことには非常に選択的であることが発見された。前述の主要溶剤と同様な溶解度特性を有しかつ少なくとも多少の非対称性をもつ主要溶剤は、同一の利益を提供するであろう。適当な主要溶剤は約０．１５〜約０．６４、好ましくは約０．２５〜約０．６２、より好ましくは約０．４０〜約０．６０のＣｌｏｇＰを有するであることが発見された。
例えば、一般式ＨＯ−ＣＨ2−ＣＨＯＨ−（ＣＨ2）n−Ｈ（式中ｎは１〜８である）を有する１，２−アルカンジオールの主要溶剤シリーズについて、約０．１５〜約０．６４の有効ＣｌｏｇＰ範囲内である約０．５３のＣｌｏｇＰ値を有する１，２−ヘキサンジオール（ｎ＝４）のみがすぐれた主要溶剤であり、そして本発明の請求の範囲の範囲内に入るが、０．１５〜０．６４の有効範囲外のＣｌｏｇＰ値を有する他の、例えば、１，２−プロパンジオール、１，２−ブタンジオール、１，２−ペンタンジオール、１，２−オクタンジオール、１，２−デカンジオールはすぐれた主要溶剤ではない。さらに、ヘキサンジオール異性体の中で、再び、１，２−ヘキサンジオールはすぐれた主要溶剤であるが、０．１５〜０．６４の有効範囲外のＣｌｏｇＰ値を有する多数の他の異性体、例えば、１，３−ヘキサンジオール、１，４−ヘキサンジオール、１，５−ヘキサンジオール、１，６−ヘキサンジオール、２，４−ヘキサンジオール、および２，５−ヘキサンジオールはすぐれた主要溶剤ではない。
本発明に関して透明な濃厚な組成物を提供するＣ3−Ｃ5ジオールは存在しない。
可能な異性体である多数のＣ6ジオールが存在するが、前述のもののみが透明な生成物の製造に適当である：１，２−ブタンジオール、２，３−ジメチル−；１，２−ブタンジオール、３，３−ジメチル−；２，３−ペンタンジオール、２−メチル−；２，３−ペンタンジオール、３−メチル−；２，３−ペンタンジオール、４−メチル−；２，３−ヘキサンジオール；３，４−ヘキサンジオール；１，２−ブタンジオール、２−エチル−；１，２−ペンタンジオール、２−メチル−；１，２−ペンタンジオール、３−メチル−；１，２−ペンタンジオール、４−メチル−；および１，２−ヘプタンジオールのみが好ましく、それらのうちで１，２−ブタンジオール、２−エチル−；１，２−ペンタンジオール、２−メチル−；１，２−ペンタンジオール、３−メチル−；１，２−ペンタンジオール、４−メチル−；および１，２−ヘキサンジオールは最も好ましい。
より可能なＣ7ジオール異性体が存在するが、列挙したもののみが透明な生成物を提供し、そして好ましいものは下記の通りである：１，３−ブタンジオール、２−ブチル−；１，４−ブタンジオール、２−プロピル−；１，５−ペンタンジオール、２−エチル−；２，３−ペンタンジオール、２，３−ジメチル−；２，３−ペンタンジオール、２，４−ジメチル−；２，３−ペンタンジオール、４，４−ジメチル−；３，４−ペンタンジオール、２，３−ジメチル−；１，６−ヘキサンジオール、２−メチル−；１，６−ヘキサンジオール、３−メチル−；１，３−ヘプタンジオール；１，４−ヘプタンジオール；１，５−ヘプタンジオール；１，６−ヘプタンジオール；それらのうちで最も好ましいものは下記の通りである：２，３−ペンタンジオール、２，３−ジメチル−；２，３−ペンタンジオール、２，４−ジメチル−；２，３−ペンタンジオール、３，４−ジメチル−；２，３−ペンタンジオール、４，４−ジメチル−；および３，４−ペンタンジオール、２，３−ジメチル−。
同様に、さらに多くのＣ8ジオール異性体が存在するが、列挙したもののみが透明な生成物を提供し、そして好ましいものは下記の通りである：１，３−プロパンジオール、２−（１，１−ジメチルプロピル）−；１，３−プロパンジオール、２−（１，２−ジメチルプロピル）−；１，３−プロパンジオール、２−（１−エチルプロピル）−；１，３−プロパンジオール、２−（２，２−ジメチルプロピル）−；１，３−プロパンジオール、２−エチル−２−イソプロピル−；１，３−プロパンジオール、２−メチル−２−（１−メチルプロピル）−；１，３−プロパンジオール、２−メチル−２−（２−メチルプロピル）−；１，３−プロパンジオール、２−ｔ−ブチル−２−メチル−；１，３−ブタンジオール、２，２−ジエチル−；１，３−ブタンジオール、２−（１−メチルプロピル）−；１，３−ブタンジオール、２−ブチル−；１，３−ブタンジオール、２−エチル−２，３−ジメチル−；１，３−ブタンジオール、２−（１，１−ジメチルエチル）−；１，３−ブタンジオール、２−（２−メチルプロピル）−；１，３−ブタンジオール、２−メチル−２−プロピル−；１，３−ブタンジオール、２−メチル−２−イソプロピル−；１，３−ブタンジオール、３−メチル−２−プロピル−；１，４−ブタンジオール、２，２−ジエチル−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，４−ブタンジオール、３−メチル−２−イソプロピル−；１，３−ペンタンジオール、２，２，３−トリメチル−；１，３−ペンタンジオール、２，２，４−トリメチル−；１，３−ペンタンジオール、２，３，４−トリメチル−；１，３−ペンタンジオール、２，４，４−トリメチル−；１，３−ペンタンジオール、３，４，４−トリメチル−；１，４−ペンタンジオール、２，２，３−トリメチル−；１，４−ペンタンジオール、２，２，４−トリメチル−；１，４−ペンタンジオール、２，３，３−トリメチル−；１，４−ペンタンジオール、２，３，４−トリメチル−；１，４−ペンタンジオール、３，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；２，４−ペンタンジオール、２，３，４−トリメチル−；１，３−ペンタンジオール、２−エチル−２−メチル−；１，３−ペンタンジオール、２−エチリデン−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチリデン−３−メチル−；１，４−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピ��−；１，４−ペンタンジオール、３−イソプロピル−；２，４−ペンタンジオール、３−プロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，４−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，４−ヘキサンジオール、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチルオキシ−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチ��−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、４−メチル−；２，４−オクタンジオール；２，５−オクタンジオール；２，６−オクタンジオール；２，７−オクタンジオール；３，５−オクタンジオール；および／または３，６−オクタンジオール；それらのうちで下記のものが最も好ましい：１，３−プロパンジオール、２−（１，１−ジメチルエチル）−；１，３−プロパンジオール、２−（１，２−ジメチルプロピル）−；１，３−プロパンジオール、２−（１−エチルプロピル）−；１，３−プロパンジオール、２−（２，２−ジメチルプロピル）−；１，３−プロパンジオール、２−エチル−２−イソプロピル−；１，３−プロパンジオール、２−メチル−２−（１−メチルプロピル）−；１，３−プロパンジオール、２−メチル−２−（２−メチルプロピル）−；１，３−プロパンジオール、２−ｔ−ブチル−２−メチル−；１，３−ブタンジオール、２−（１−メチルプロピル）−；１，３−ブタンジオール、２−（２−メチルプロピル）−；１，３−ブタンジオール、２−ブチル−；１，３−ブタンジオール、２−メチル−２−プロピル−；１，３−ブタンジオール、３−メチル−２−プロピル−；１，４−ブタンジオール、２，２−ジエチル−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，３−ペンタンジオール、２，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；１，３−ペンタンジオール、２−エチル−２−メチル−；１，３−ペンタンジオール、２−エチリデン−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチリデン−３−メチル−；１，４−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；２，４−ペンタンジオール、３−プロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，４−ジメチル−；１，３−ヘキサンジオール、４，５−ジメチル−；１，��−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，４−ヘキサンジオ−ル、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、５−メチル−；１，３−ヘプタンジオール、６−メチル−；１，３−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，４−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、４−メチル−；２，４−オクタンジオール；２，５−オクタンジオール；２，６−オクタンジオール；２，７−オクタンジオール；３，５−オクタンジオール；および／または３，６−オクタンジオール。
８個の炭素原子の１，３−ジオールの好ましい混合物は、高度にアルカリ性の触媒の存在において、反応混合物中にブチルアルデヒド、イソブチルアルデヒドおよび／またはメチルエチルケトン（２−ブタノン）の少なくとも２つが存在するかぎり、これらの反応成分の混合物を縮合し、次いで水素化による変換により８個の炭素原子の１，３−ジオールの混合物、すなわち、下記のジオールから主として成る８個の炭素原子の１，３−ジオールの混合物、を形成することによって生成させることができる：２，２，４−トリメチル−１，３−ペンタンジオール；２−エチル−１，３−ヘキサンジオール；２，２−ジメチル−１，３−ヘキサンジオール；２−エチル−４−メチル−１，３−ペンタンジオール；２−エチリデン−３−メチル−１，３−ペンタンジオール；３，５−オクタンジオール；２，２−ジメチル−２，４−ヘキサンジオール；２−メチル−３，５−オクタンジオール；および／または３−メチル−３，５−ヘプタンジオール、２，２，４−トリメチル−１，３−ペンタンジオールのレベルはいずれの混合物の半分より低く、メチル基の代わりに、２−ブタノンのメチレン基が存在するとき、その縮合から生ずる他の少量の異性体が伴うことがある。
好ましくない上記の表ＩＩ〜ＩＶに列挙するいくつかのＣ6-8ジオールの配合性、および他の性質、例えば、臭気、流動性、融点の低下、およびその他はポリアルキル化により改良することができる。また、アルコキシル化されるＣ3-5のいくつかは好ましい。上記Ｃ3-8ジオールの好ましいアルコキシル化誘導体［下記の開示において、「ＥＯ」はポリエトキシレートを意味し、「Ｅn」は−（ＣＨ2ＣＨ2Ｏ）nＨを意味する；Ｍｅ−Ｅnはメチルキャップドポリエトキシレート−（ＣＨ2ＣＨ2Ｏ）nＣＨ3を意味する；「２（Ｍｅ−Ｅn）」は要求される２Ｍｅ−Ｅn基を意味する；「ＰＯ」はポリプロポキシレート−（ＣＨ（ＣＨ3）ＣＨ2Ｏ）nＨを意味する；「ＢＯ」はポリブチレンオキシ基、（ＣＨ（ＣＨ2ＣＨ3）ＣＨ2Ｏ）nＨを意味する；そして「ｎ−ＢＯ」はポリ（ｎ−ブチレンオキシ）基−（ＣＨ2ＣＨ2ＣＨ2ＣＨ2Ｏ）nＨを意味する］は、下記のものを包含する：
１．  １，２−プロパンジオール（Ｃ３）２（Ｍｅ−Ｅ3-4）；１，２−プロパンジオール（Ｃ３）ＰＯ4；１，２−プロパンジオール、２−メチル−（Ｃ４）（Ｍｅ−Ｅ8-10）；１，２−プロパンジオール、２−メチル−（Ｃ４）２（Ｍｅ−Ｅ1）；１，２−プロパンジオール、２−メチル−（Ｃ４）ＰＯ3；１，３−プロパンジオール（Ｃ３）２（Ｍｅ−Ｅ8）；１，３−プロパンジオール（Ｃ３）ＰＯ6；１，３−プロパンジオール、２，２−ジエチル−（Ｃ７）Ｅ4-7；１，３−プロパンジオール、２，２−ジエチル−（Ｃ７）ＰＯ1；１，３−プロパンジオール、２，２−ジエチル−（Ｃ７）ｎ−ＢＯ2；１，３−プロパンジオール、２，２−ジメチル−（Ｃ５）２（Ｍｅ−Ｅ1-2）；１，３−プロパンジオール、２，２−ジメチル−（Ｃ５）ＰＯ4；１，３−プロパンジオール、２−（１−メチルプロピル）−（Ｃ７）Ｅ4-7；１，３−プロパンジオール、２−（１−メチルプロピル）−（Ｃ７）ＰＯ1；１，３−プロパンジオール、２−（１−メチルプロピル）−（Ｃ７）ｎ−ＢＯ2；１，３−プロパンジオール、２−（２−メチルプロピル）−（Ｃ７）Ｅ4-7；１，３−プロパンジオール、２−（２−メチルプロピル）−（Ｃ７）ＰＯ1；１，３−プロパンジオール、２−（２−メチルプロピル）−（Ｃ７）ｎ−ＢＯ2；１，３−プロパンジオール、２−エチル−（Ｃ５）（Ｍｅ  Ｅ9-10）；１，３−プロパンジオール、２−エチル−（Ｃ５）２（Ｍｅ  Ｅ1）；１，３−プロパンジオール、２−エチル−（Ｃ５）ＰＯ3；１，３−プロパンジオール、２−エチル−２−メチル−（Ｃ６）（Ｍｅ  Ｅ3-6）；１，３−プロパンジオール、２−エチル−２−メチル−（Ｃ６）ＰＯ2；１，３−プロパンジオール、２−エチル−２−メチル−（Ｃ６）ＢＯ1；１，３−プロパンジオール、２−イソプロピル−（Ｃ６）（Ｍｅ  Ｅ3-6）；１，３−プロパンジオール、２−イソプロピル−（Ｃ６）ＰＯ2；１，３−プロパンジオール、２−イソプロピル−（Ｃ６）ＢＯ1；１，３−プロパンジオール、２−メチル−（Ｃ４）２（Ｍｅ  Ｅ4-5）；１，３−プロパンジオール、２−メチル−（Ｃ４）ＰＯ5；１，３−プロパンジオール、２−メチル−（Ｃ４）ＢＯ2；１，３−プロパンジオール、２−メチル−２−イソプロピル−（Ｃ７）Ｅ6-9；１，３−プロパンジオール、２−メチル−２−イソプロピル−（Ｃ７）ＰＯ1；１，３−プロパンジオール、２−メチル−２−イソプロピル−（Ｃ７）ｎ−ＢＯ2-3；１，３−プロパンジオール、２−メチル−２−プロピル−（Ｃ７）Ｅ4-7；１，３−プロパンジオール、２−メチル−２−プロピル−（Ｃ７）ＰＯ1；１，３−プロパンジオール、２−メチル−２−プロピル−（Ｃ７）ｎ−ＢＯ2；１，３−プロパンジオール、２−プロピル−（Ｃ６）（Ｍｅ  Ｅ1-4）；１，３−プロパンジオール、２−プロピル−（Ｃ６）ＰＯ2；
２．  １，２−ブタンジオール（Ｃ４）（Ｍｅ  Ｅ6-8）；１，２−ブタンジオール（Ｃ４）ＰＯ2-3；１，２−ブタンジオール（Ｃ４）ＢＯ1；１，２−ブタンジオール、２，３−ジメチル−（Ｃ６）Ｅ2-5；１，２−ブタンジオール、２，３−ジメチル−（Ｃ６）ｎ−ＢＯ1；１，２−ブタンジオール、２−エチル−（Ｃ６）Ｅ1-3；１，２−ブタンジオール、２−エチル−（Ｃ６）ｎ−ＢＯ1；１，２−ブタンジオール、２−メチル−（Ｃ５）（Ｍｅ  Ｅ1-2）；１，２−ブタンジオール、２−メチル−（Ｃ５）ＰＯ1；１，２−ブタンジオール、３，３−ジメチル−（Ｃ６）Ｅ2-5；１，２−ブタンジオール、３，３−ジメチル−（Ｃ６）ｎ−ＢＯ1；１，２−ブタンジオール、３−メチル−（Ｃ５）（Ｍｅ  Ｅ1-2）；１，２−ブタンジオール、３−メチル−（Ｃ５）ＰＯ1；１，３−ブタンジオール  Ｃ４）２（Ｍｅ−Ｅ5-6）；１，３−ブタンジオール（Ｃ４）ＢＯ2；１，３−ブタンジオール、２，２，３−トリメチル−（Ｃ７）（Ｍｅ  Ｅ1-3）；１，３−ブタンジオール、２，２，３−トリメチル−（Ｃ７）ＰＯ2；１，３−ブタンジオール、２，２−ジメチル−（Ｃ６）（Ｍｅ  Ｅ6-8）；１，３−ブタンジオール、２，２−ジメチル−（Ｃ６）ＰＯ3；１，３−ブタンジオール、２，３−ジメチル−（Ｃ６）（Ｍｅ  Ｅ3-8）；１，３−ブタンジオール、２，３−ジメチル−（Ｃ６）ＰＯ3；１，３−ブタンジオール、２−エチル−（Ｃ６）（Ｍｅ  Ｅ4-6）；１，３−ブタンジオール、２−エチル−（Ｃ６）ＰＯ2-3；１，３−ブタンジオール、２−エチル−（Ｃ６）ＢＯ1；１，３−ブタンジオール、２−エチル−２−メチル−（Ｃ７）（Ｍｅ  Ｅ1）；１，３−ブタンジオール、２−エチル−２−メチル−（Ｃ７）ＰＯ1；１，３−ブタンジオール、２−エチル−２−メチル−（Ｃ７）ｎ−ＢＯ3；１，３−ブタンジオール、２−エチル−３−メチル−（Ｃ７）（Ｍｅ  Ｅ1）；１，３−ブタンジオール、２−エチル−３−メチル−（Ｃ７）ＰＯ1；１，３−ブタンジオール、２−エチル−３−メチル−（Ｃ７）ｎ−ＢＯ3；１，３−ブタンジオール、２−イソプロピル−（Ｃ７）（Ｍｅ  Ｅ1）；１，３−ブタンジオール、２−イソプロピル−（Ｃ７）ＰＯ1；１，３−ブタンジオール、２−イソプロピル−（Ｃ７）ｎ−ＢＯ3；１，３−ブタンジオール、２−メチル−（Ｃ５）２（Ｍｅ  Ｅ2-3）；１，３−ブタンジオール、２−メチル−（Ｃ５）ＰＯ4；１，３−ブタンジオール、２−プロピル−（Ｃ７）Ｅ6-8；１，３−ブタンジオール、２−プロピル−（Ｃ７）ＰＯ1；１，３−ブタンジオール、２−プロピル−（Ｃ７）ｎ−ＢＯ2-3；１，３−ブタンジオール、３−メチル−（Ｃ５）２（Ｍｅ  Ｅ2-3）；１，３−ブタンジオール、３−メチル−（Ｃ５）ＰＯ4；１，４−ブタンジオール（Ｃ４）２（Ｍｅ  Ｅ3-4）；１，４−ブタンジオール（Ｃ４）ＰＯ4-5；１，４−ブタンジオール（Ｃ４）ＢＯ2；１，４−ブタンジオール、２，２，３−トリメチル−（Ｃ７）Ｅ6-9；１，４−ブタンジオール、２，２，３−トリメチル−（Ｃ７）ＰＯ1；１，４−ブタンジオール、２，２，３−トリメチル−（Ｃ７）ｎ−ＢＯ2-3；１，４−ブタンジオール、２，２−ジメチル−（Ｃ６）（Ｍｅ  Ｅ3-6）；１，４−ブタンジオール、２，２−ジメチル−（Ｃ６）ＰＯ2；１，４−ブタンジオ��ル、２，２−ジメチル−（Ｃ６）ＢＯ1；１，４−ブタンジオール、２，３−ジメチル−（Ｃ６）（Ｍｅ  Ｅ3-6）；１，４−ブタンジオール、２，３−ジメチル−（Ｃ６）ＰＯ2；１，４−ブタンジオール、２，３−ジメチル−（Ｃ６）ＢＯ1；１，４−ブタンジオール、２−エチル−（Ｃ６）（Ｍｅ  Ｅ1-4）；１，４−ブタンジオール、２−エチル−（Ｃ６）ＰＯ2；１，４−ブタンジオール、２−エチル−２−メチル−（Ｃ７）Ｅ4-7；１，４−ブタンジオール、２−エチル−２−メチル−（Ｃ７）ＰＯ1；１，４−ブタンジオール、２−エチル−２−メチル−（Ｃ７）ｎ−ＢＯ2；１，４−ブタンジオール、２−エチル−３−メチル−（Ｃ７）Ｅ4-7；１，４−ブタンジオール、２−エチル−３−メチル−（Ｃ７）ＰＯ1；１，４−ブタンジオール、２−エチル−３−メチル−（Ｃ７）ｎ−ＢＯ2；１，４−ブタンジオール、２−イソプロピル−（Ｃ７）Ｅ4-7；１，４−ブタンジオール、２−イソプロピル−（Ｃ７）ＰＯ1；１，４−ブタンジオール、２−イソプロピル−（Ｃ７）ｎ−ＢＯ2；１，４−ブタンジオール、２−メチル−（Ｃ５）（Ｍｅ  Ｅ9-10）；１，４−ブタンジオール、２−メチル−（Ｃ５）２（Ｍｅ  Ｅ1）；１，４−ブタンジオール、２−メチル−（Ｃ５）ＰＯ3；１，４−ブタンジオール、２−プロピル−（Ｃ７）Ｅ2-5；１，４−ブタンジオール、２−プロピル−（Ｃ７）ｎ−ＢＯ1；１，４−ブタンジオール、３−エチル−１−メチル−（Ｃ７）Ｅ6-8；１，４−ブタンジオール、３−エチル−１−メチル−（Ｃ７）ＰＯ1；１，４−ブタンジオール、３−エチル−１−メチル−（Ｃ７）ｎ−ＢＯ2-3；２，３−ブタンジオール（Ｃ４）（Ｍｅ  Ｅ9-10）；２，３−ブタンジオール（Ｃ４）２（Ｍｅ  Ｅ1）；２，３−ブタンジオール（Ｃ４）ＰＯ3-4；２，３−ブタンジオール、２，３−ジメチル−（Ｃ６）Ｅ7-9；２，３−ブタンジオール、２，３−ジメチル−（Ｃ６）ＰＯ1；２，３−ブタンジオール、２，３−ジメチル−（Ｃ６）ｎ−ＢＯ2-3；２，３−ブタンジオール、２−メチル−（Ｃ５）（Ｍｅ  Ｅ2-5）；２，３−ブタンジオール、２−メチル−（Ｃ５）ＰＯ2；２，３−ブタンジオール、２−メチル−（Ｃ５）ＢＯ1；
３．  １，２−ペンタンジオール（Ｃ５）Ｅ7-10；１，２−ペンタンジオール（Ｃ５）ＰＯ1；１，２−ペンタンジオール（Ｃ５）ｎ−ＢＯ3；１，２−ペンタンジオール、２−メチル（Ｃ６）Ｅ1-3；１，２−ペンタンジオール、２−メチル（Ｃ６）ｎ−ＢＯ1；１，２−ペンタンジオール、３−メチル（Ｃ６）Ｅ1-3；１，２−ペンタンジオール、３−メチル（Ｃ６）ｎ−ＢＯ1；１，２−ペンタンジオール、４−メチル（Ｃ６）Ｅ1-3；１，２−ペンタンジオール、４−メチル（Ｃ６）ｎ−ＢＯ1；１，３−ペンタンジオール（Ｃ５）２（Ｍｅ  Ｅ1-2）；１，３−ペンタンジオール（Ｃ５）ＰＯ3-4；１，３−ペンタンジオール、２，２−ジメチル−（Ｃ７）（Ｍｅ−Ｅ1）；１，３−ペンタンジオール、２，２−ジメチル−（Ｃ７）ＰＯ1；１，３−ペンタンジオール、２，２−ジメチル−（Ｃ７）ｎ−ＢＯ3；１，３−ペンタンジオール、２，３−ジメチル−（Ｃ７）（Ｍｅ−Ｅ1）；１，３−ペンタンジオール、２，３−ジメチル−（Ｃ７）ＰＯ1；１，３−ペンタンジオール、２，３−ジメチル−（Ｃ７）ｎ−ＢＯ3；１，３−ペンタンジオール、２，４−ジメチル−（Ｃ７）（Ｍｅ−Ｅ1）；１，３−ペンタンジオール、２，４−ジメチル−（Ｃ７）ＰＯ1；１，３−ペンタンジオール、２，４−ジメチル−（Ｃ７）ｎ−ＢＯ3；１，３−ペンタンジオール、２−エチル−（Ｃ７）Ｅ6-8；１，３−ペンタンジオール、２−エチル−（Ｃ７）ＰＯ1；１，３−ペンタンジオール、２−エチル−（Ｃ７）ｎ−ＢＯ2-3；１，３−ペンタンジオール、２−メチル−（Ｃ６）２（Ｍｅ  Ｅ4-6）；１，３−ペンタンジオール、２−メチル−（Ｃ６）ＰＯ2-3；１，３−ペンタンジオール、３，４−ジメチル−（Ｃ７）（Ｍｅ−Ｅ1）；１，３−ペンタンジオール、３，４−ジメチル−（Ｃ７）ＰＯ1；１，３−ペンタンジオール、３，４−ジメチル−（Ｃ７）ｎ−ＢＯ3；１，３−ペンタンジオール、３−メチル−（Ｃ６）（Ｍｅ−Ｅ4-6）；１，３−ペンタンジオール、３−メチル−（Ｃ６）ＰＯ2-3；１，３−ペンタンジオール、４，４−ジメチル−（Ｃ７）（Ｍｅ−Ｅ1）；１，３−ペンタンジオール、４，４−ジメチル−（Ｃ７）ＰＯ1；１，３−ペンタンジオール、４，４−ジメチル−（Ｃ７）ｎ−ＢＯ3；１，３−ペンタンジオール、４−メチル−（Ｃ６）（Ｍｅ−Ｅ4-6）；１，３−ペンタンジオール、４−メチル−（Ｃ６）ＰＯ2-3；１，３−ペンタンジオール、４−メチル−（Ｃ６）ＢＯ1；１，４−ペンタンジオール（Ｃ５）２（Ｍｅ−Ｅ1-2）；１，４−ペンタンジオール（Ｃ５）ＰＯ3-4；１，４−ペンタンジオール、２，２−ジメチル−（Ｃ７）（Ｍｅ−Ｅ1）；１，４−ペンタンジオール、２，２−ジメチル−（Ｃ７）ＰＯ1；１，４−ペンタンジオール、２，２−ジメチル−（Ｃ７）ｎ−ＢＯ3；１，４−ペンタンジオール、２，３−ジメチル−（Ｃ７）（Ｍｅ−Ｅ1）；１，４−ペンタンジオール、２，３−ジメチル−（Ｃ７）ＰＯ1；１，４−ペンタンジオール、２，３−ジメチル−（Ｃ７）ｎ−ＢＯ3；１，４−ペンタンジオール、２，４−ジメチル−（Ｃ７）（Ｍｅ−Ｅ1）；１，４−ペンタンジオール、２，４−ジメチル−（Ｃ７）ＰＯ1；１，４−ペンタンジオール、２，４−ジメチル−（Ｃ７）ｎ−ＢＯ3；１，４−ペンタンジオール、２−メチル−（Ｃ���）（Ｍｅ−Ｅ4-6）；１，４−ペンタンジオール、２−メチル−（Ｃ６）ＰＯ2-3；１，４−ペンタンジオール、３，３−ジメチル−（Ｃ７）（Ｍｅ−Ｅ1）；１，４−ペンタンジオール、３，３−ジメチル−（Ｃ７）ＰＯ1；１，４−ペンタンジオール、３，３−ジメチル−（Ｃ７）ｎ−ＢＯ3；１，４−ペンタンジオール、３，４−ジメチル−（Ｃ７）（Ｍｅ−Ｅ1）；１，４−ペンタンジオール、３，４−ジメチル−（Ｃ７）ＰＯ1；１，４−ペンタンジオール、３，４−ジメチル−（Ｃ７）ｎ−ＢＯ3；１，４−ペンタンジオール、３−メチル−（Ｃ６）２（Ｍｅ−Ｅ4-6）；１，４−ペンタンジオール、３−メチル−（Ｃ６）ＰＯ2-3；１，４−ペンタンジオール、４−メチル−（Ｃ６）２（Ｍｅ−Ｅ4-6）；１，４−ペンタンジオール、４−メチル−（Ｃ６）ＰＯ2-3；１，５−ペンタンジオール（Ｃ５）（Ｍｅ−Ｅ8-10）；１，５−ペンタンジオール（Ｃ５）２（Ｍｅ−Ｅ1）；１，５−ペンタンジオール（Ｃ５）ＰＯ3；１，５−ペンタンジオール、２，２−ジメチル−（Ｃ７）Ｅ4-7；１，５−ペンタンジオール、２，２−ジメチル−（Ｃ７）ＰＯ1；１，５−ペンタンジオール、２，２−ジメチル−（Ｃ７）ｎ−ＢＯ2；１，５−ペンタンジオール、２，３−ジメチル−（Ｃ７）Ｅ4-7；１，５−ペンタンジオール、２，３−ジメチル−（Ｃ７）ＰＯ1；１，５−ペンタンジオール、２，３−ジメチル−（Ｃ７）ｎ−ＢＯ2；１，５−ペンタンジオール、２，４−ジメチル−（Ｃ７）Ｅ4-7；１，５−ペンタンジオール、２，４−ジメチル−（Ｃ７）ＰＯ1；１，５−ペンタンジオール、２，４−ジメチル−（Ｃ７）ｎ−ＢＯ2；１，５−ペンタンジオール、２−エチル−（Ｃ７）Ｅ2-5；１，５−ペンタンジオール、２−エチル−（Ｃ７）ｎ−ＢＯ1；１，５−ペンタンジオール、２−メチル−（Ｃ６）（Ｍｅ−Ｅ1-4）；１，５−ペンタンジオール、２−メチル−（Ｃ６）ＰＯ2；１，５−ペンタンジオール、３，３−ジメチル−（Ｃ７）Ｅ4-7；１，５−ペンタンジオール、３，３−ジメチル−（Ｃ７）ＰＯ1；１，５−ペンタンジオール、３，３−ジメチル−（Ｃ７）ｎ−ＢＯ2；１，５−ペンタンジオール、３−メチル−（Ｃ６）（Ｍｅ−Ｅ1-4）；１，５−ペンタンジオール、３−メチル−（Ｃ６）ＰＯ2；２，３−ペンタンジオール（Ｃ５）（Ｍｅ−Ｅ1-3）；２，３−ペンタンジオール（Ｃ５）ＰＯ2；２，３−ペンタンジオール、２−メチル−（Ｃ６）Ｅ4-7；２，３−ペンタンジオール、２−メチル−（Ｃ６）ＰＯ1；２，３−ペンタンジオール、２−メチル−（Ｃ６）ｎ−ＢＯ2；２，３−ペンタンジオール、３−メチル−（Ｃ６）Ｅ4-7；２，３−ペンタンジオール、３−メチル−（Ｃ６）ＰＯ1；２，３−ペンタンジオール、３−メチル−（Ｃ６）ｎ−ＢＯ2；２，３−ペンタンジオール、４−メチル−（Ｃ６）Ｅ4-7；２，３−ペンタンジオール、４−メチル−（Ｃ６）ＰＯ1；２，３−ペンタンジオール、４−メチル−（Ｃ６）ｎ−ＢＯ2；２，４−ペンタンジオール（Ｃ５）２（Ｍｅ−Ｅ2-4）；２，４−ペンタンジオール（Ｃ５）ＰＯ4；２，４−ペンタンジオール、２，３−ジメチル−（Ｃ７）（Ｍｅ−Ｅ2-4）；２，４−ペンタンジオール、２，３−ジメチル−（Ｃ７）ＰＯ2；２，４−ペンタンジオール、２，４−ジメチル−（Ｃ７）（Ｍｅ−Ｅ2-4）��２，４−ペンタンジオール、２，４−ジメチル−（Ｃ７）ＰＯ2；２，４−ペンタンジオール、２−メチル−（Ｃ７）（Ｍｅ−Ｅ8-10）；２，４−ペンタンジオール、２−メチル−（Ｃ７）ＰＯ3；２，４−ペンタンジオール、３，３−ジメチル−（Ｃ７）（Ｍｅ−Ｅ2-4）；２，４−ペンタンジオール、３，３−ジメチル−（Ｃ７）ＰＯ2；２，４−ペンタンジオール、３−メチル−（Ｃ６）（Ｍｅ−Ｅ8-10）；２，４−ペンタンジオール、３−メチル−（Ｃ６）ＰＯ3；
４．  １，３−ヘキサンジオール（Ｃ６）（Ｍｅ−Ｅ2-5）；１，３−ヘキサンジオール（Ｃ６）ＰＯ2；１，３−ヘキサンジオール（Ｃ６）ＢＯ1；１，３−ヘキサンジオール、２−メチル−（Ｃ７）Ｅ6-8；１，３−ヘキサンジオール、２−メチル−（Ｃ７）ＰＯ1；１，３−ヘキサンジオール、２−メチル−（Ｃ７）ｎ−ＢＯ2-3；１，３−ヘキサンジオール、３−メチル−（Ｃ７）Ｅ6-9；１，３−ヘキサンジオール、３−メチル−（Ｃ７）ＰＯ1；１，３−ヘキサンジオール、３−メチル−（Ｃ７）ｎ−ＢＯ2-3；１，３−ヘキサンジオール、４−メチル−（Ｃ７）Ｅ6-8；１，３−ヘキサンジオール、４−メチル−（Ｃ７）ＰＯ1；１，３−ヘキサンジオール、４−メチル−（Ｃ７）ｎ−ＢＯ2-3；１，３−ヘキサンジオール、５−メチル−（Ｃ７）Ｅ6-8；１，３−ヘキサンジオール、５−メチル−（Ｃ７）ＰＯ1；１，３−ヘキサンジオール、５−メチル−（Ｃ７）ｎ−ＢＯ2-3；１，４−ヘキサンジオール（Ｃ６）（Ｍｅ−Ｅ2-5）；１，４−ヘキサンジオール（Ｃ６）ＰＯ2；１，４−ヘキサンジオール（Ｃ６）ＢＯ1；１，４−ヘキサンジオール、２−メチル−（Ｃ７）Ｅ6-8；１，４−ヘキサンジオール、２−メチル−（Ｃ７）ＰＯ1；１，４−ヘキサンジオール、２−メチル−（Ｃ７）ｎ−ＢＯ2-3；１，４−ヘキサンジオール、３−メチル−（Ｃ７）Ｅ6-8；１，４−ヘキサンジオール、３−メチル−（Ｃ７）ＰＯ1；１，４−ヘキサンジオール、３−メチル−（Ｃ７）ｎ−ＢＯ2-3；１，４−ヘキサンジオール、４−メチル−（Ｃ７）Ｅ6-8；１，４−ヘキサンジオール、４−メチル−（Ｃ７）ＰＯ1；１，４−ヘキサンジオール、４−メチル−（Ｃ７）ｎ−ＢＯ2-3；１，４−ヘキサンジオール、５−メチル−（Ｃ７）Ｅ6-8；１，４−ヘキサンジオール、５−メチル−（Ｃ７）ＰＯ1；１，４−ヘキサンジオール、５−メチル−（Ｃ７）ｎ−ＢＯ2-3；１，５−ヘキサンジオール（Ｃ６）（Ｍｅ−Ｅ2-5）；１，５−ヘキサンジオール（Ｃ６）ＰＯ2；１，５−ヘキサンジオール（Ｃ６）ＢＯ1；１，５−ヘキサンジオール、２−メチル−（Ｃ７）Ｅ6-8；１，５−ヘキサンジオール、２−メチル−（Ｃ７）ＰＯ1；１，５−ヘキサンジオール、２−メチル−（Ｃ７）ｎ−ＢＯ2-3；１，５−ヘキサンジオール、３−メチル−（Ｃ７）Ｅ6-8；１，５−ヘキサンジオール、３−メチル−（Ｃ７）ＰＯ1；１，５−ヘキサンジオール、３−メチル−（Ｃ７）ｎ−ＢＯ2-3；１，５−ヘキサンジオール、４−メチル−（Ｃ７）Ｅ6-8；１，５−ヘキサンジオール、４−メチル−（Ｃ７）ＰＯ1；１，５−ヘキサンジオール、４−メチル−（Ｃ７）ｎ−ＢＯ2-3；１，５−ヘキサンジオール、５−メチル−（Ｃ７）Ｅ6-8；１，５−ヘキサンジオール、５−メチル−（Ｃ７）ＰＯ1；１，５−ヘキサンジオール、５−メチル−（Ｃ７）ｎ−ＢＯ2-3；１，６−ヘキサンジオール（Ｃ６）（Ｍｅ−Ｅ1-2）；１，６−ヘキサンジオール（Ｃ６）ＰＯ1-2；１，６−ヘキサンジオール（Ｃ６）ｎ−ＢＯ4；１，６−ヘキサンジオール、２−メチル−（Ｃ７）Ｅ2-5；１，６−ヘキサンジオール、２−メチル−（Ｃ７）ｎ−ＢＯ1；１，６−ヘキサンジオール、３−メチル−（Ｃ７）Ｅ2-5；１，６−ヘキサンジオール、３−メチル−（Ｃ７）ｎ−ＢＯ1；２，３−ヘキサンジオール（Ｃ６）Ｅ2-5；２，３−ヘ���サンジオール（Ｃ６）ｎ−ＢＯ1；２，４−ヘキサンジオール（Ｃ６）（Ｍｅ−Ｅ5-8）；２，４−ヘキサンジオール（Ｃ６）ＰＯ3；２，４−ヘキサンジオール、２−メチル−（Ｃ７）（Ｍｅ−Ｅ1-2）；２，４−ヘキサンジオール、２−メチル−（Ｃ７）ＰＯ1-2；２，４−ヘキサンジオール、３−メチル−（Ｃ７）（Ｍｅ−Ｅ1-2）；２，４−ヘキサンジオール、３−メチル−（Ｃ７）ＰＯ1-2；２，４−ヘキサンジオール、４−メチル−（Ｃ７）（Ｍｅ−Ｅ1-2）；２，４−ヘキサンジオール、４−メチル−（Ｃ７）ＰＯ1-2；２，４−ヘキサンジオール、５−メチル−（Ｃ７）（Ｍｅ−Ｅ1-2）；２，４−ヘキサンジオール、５−メチル−（Ｃ７）ＰＯ1-2；２，５−ヘキサンジオール（Ｃ６）（Ｍｅ−Ｅ5-8）；２，５−ヘキサンジオール（Ｃ６）ＰＯ3；２，５−ヘキサンジオール、２−メチル−（Ｃ７）（Ｍｅ−Ｅ1-2）；２，５−ヘキサンジオール、２−メチル−（Ｃ７）ＰＯ1-2；２，５−ヘキサンジオール、３−メチル−（Ｃ７）（Ｍｅ−Ｅ1-2）；２，５−ヘキサンジオール、３−メチル−（Ｃ７）ＰＯ1-2；３，４−ヘキサンジオール（Ｃ６）ＥＯ2-5；３，４−ヘキサンジオール（Ｃ６）ｎ−ＢＯ1；
５．  １，３−ヘプタンジオール（Ｃ７）Ｅ3-6；１，３−ヘプタンジオール（Ｃ７）ＰＯ1；１，３−ヘプタンジオール（Ｃ７）ｎ−ＢＯ2；１，４−ヘプタンジオール（Ｃ７）Ｅ3-6；１，４−ヘプタンジオール（Ｃ７）ＰＯ1；１，４−ヘプタンジオール（Ｃ７）ｎ−ＢＯ2；１，５−ヘプタンジオール（Ｃ７）Ｅ3-6；１，５−ヘプタンジオール（Ｃ７）ＰＯ1；１，５−ヘプタンジオール（Ｃ７）ｎ−ＢＯ2；１，６−ヘプタンジオール（Ｃ７）Ｅ3-6；１，６−ヘプタンジオール（Ｃ７）ＰＯ1；１，６−ヘプタンジオール（Ｃ７）ｎ−ＢＯ2；１，７−ヘプタンジオール（Ｃ７）Ｅ1-2；１，７−ヘプタンジオール（Ｃ７）ｎ−ＢＯ1；２，４−ヘプタンジオール（Ｃ７）Ｅ7-10；２，４−ヘプタンジオール（Ｃ７）（Ｍｅ−Ｅ1）；２，４−ヘプタンジオール（Ｃ７）ＰＯ1；２，４−ヘプタンジオール（Ｃ７）ｎ−ＢＯ3；２，５−ヘプタンジオール（Ｃ７）Ｅ7-10；２，５−ヘプタンジオール（Ｃ７）（Ｍｅ−Ｅ1）；２，５−ヘプタンジオール（Ｃ７）ＰＯ1；２，５−ヘプタンジオール（Ｃ７）ｎ−ＢＯ3；２，６−ヘプタンジオール（Ｃ７）Ｅ7-10；２，６−ヘプタンジオール（Ｃ７）（Ｍｅ−Ｅ1）；２，６−ヘプタンジオール（Ｃ７）ＰＯ1；２，６−ヘプタンジオール（Ｃ７）ｎ−ＢＯ3；３，５−ヘプタンジオール（Ｃ７）Ｅ7-10；３，５−ヘプタンジオール（Ｃ７）（Ｍｅ−Ｅ1）；３，５−ヘプタンジオール（Ｃ７）ＰＯ1；３，５−ヘプタンジオール（Ｃ７）ｎ−ＢＯ3；
６．  １，３−ブタンジオール、３−メチル−２−イソプロピル−（Ｃ８）ＰＯ1；２，４−ペンタンジオール、２，３，３−トリメチル−（Ｃ８）ＰＯ1；１，３−ブタンジオール、２，２−ジメチル−（Ｃ８）Ｅ2-5；２，４−ヘキサンジオール、２，３−ジメチル−（Ｃ８）Ｅ2-5；２，４−ヘキサンジオール、２，４−ジメチル−（Ｃ８）Ｅ2-5；２，４−ヘキサンジオール、２，５−ジメチル−（Ｃ８）Ｅ2-5；２，４−ヘキサンジオール、３，３−ジメチル−（Ｃ８）Ｅ2-5；２，４−ヘキサンジオール、３，４−ジメチル−（Ｃ８）Ｅ2-5；２，４−ヘキサンジオール、３，５−ジメチル−（Ｃ８）Ｅ2-5；２，４−ヘキサンジオール、４，５−ジメチル−（Ｃ８）Ｅ2-5；２，４−ヘキサンジオール、５，５−ジメチル−（Ｃ８）Ｅ2-5；２，５−ヘキサンジオール、２，３−ジメチル−（Ｃ８）Ｅ2-5；２，５−ヘキサンジオール、２，４−ジメチル−（Ｃ８）Ｅ2-5；２，５−ヘキサンジオール、２，５−ジメチル−（Ｃ８）Ｅ2-5；２，５−ヘキサンジオール、３，３−ジメチル−（Ｃ８）Ｅ2-5；２，５−ヘキサンジオール、３，４−ジメチル−（Ｃ８）Ｅ2-5；３，５−ヘプタンジオール、３−メチル−（Ｃ８）Ｅ2-5；１，３−ブタンジオール、２，２−ジエチル−（Ｃ８）ｎ−ＢＯ1-2；２，４−ヘキサンジオール、２，３−ジメチル−（Ｃ８）ｎ−ＢＯ1-2；２，４−ヘキサンジオール、２，４−ジメチル−（Ｃ８）ｎ−ＢＯ1-2；２，４−ヘキサンジオール、２，５−ジメチル−（Ｃ８）ｎ−ＢＯ1-2；２，４−ヘキサンジオール、３，３−ジメチル−（Ｃ８）ｎ−ＢＯ1-2；２，４−ヘキサンジオール、３，４−ジメチル−（Ｃ８）ｎ−ＢＯ1-2；２，４−ヘキサンジオール、３，５−ジメチル−（Ｃ８）ｎ−ＢＯ1-2；２，４−ヘキサンジオール、４，５−ジメチル−（Ｃ８）ｎ−ＢＯ1-2；２，４−ヘキサンジオール、５，５−ジメチル−、ｎ−ＢＯ1-2；２，５−ヘキサンジオール、２，３−ジメチル−（Ｃ８）ｎ−ＢＯ1-2；２，５−ヘキサンジオール、２，４−ジメチル−（Ｃ８）ｎ−ＢＯ1-2；２，５−ヘキサンジオール、２，５−ジメチル−（Ｃ８）ｎ−ＢＯ1-2；２，５−ヘキサンジオール、３，３−ジメチル−（Ｃ８）ｎ−ＢＯ1-2；２，５−ヘキサンジオール、３，４−ジメチル−（Ｃ８）ｎ−ＢＯ1-2；３，５−ヘプタンジオール、３−メチル−（Ｃ８）ｎ−ＢＯ1-2；１，３−プロパンジオール、２−（１，２−ジメチルプロピル）−（Ｃ８）ｎ−ＢＯ1；１，３−ブタンジオール２−エチル−２，３−ジメチル−（Ｃ８）ｎ−ＢＯ1；１，３−ブタンジオール、２−メチル−２−イソプロピル−（Ｃ８）ｎ−ＢＯ1；１，４−ブタンジオール、３−メチル−２−イソプロピル−（Ｃ８）ｎ−ＢＯ1；１，３−ペンタンジオール、２，２，３−トリメチル−（Ｃ８）ｎ−ＢＯ1；１，３−ペンタンジオール、２，２，４−トリメチル−（Ｃ８）ｎ−ＢＯ1；１，３−ペンタンジオール、２，４，４−トリメチル−（Ｃ８）ｎ−ＢＯ1；１，３−ペンタンジオール、３，４，４−トリメチル−（Ｃ８）ｎ−ＢＯ1；１，４−ペンタンジオール、２，２，３−トリメチル−（Ｃ８）ｎ−ＢＯ1；１，４−ペンタンジオール、２，２，４−トリメチル−（Ｃ８）ｎ−ＢＯ1；１，４−ペンタンジオール、２，３，３−トリメチル−（Ｃ８）ｎ−ＢＯ1；１，４−ペンタンジオール、２，３，４−トリメチル−（Ｃ８）ｎ−ＢＯ1；１，４−ペンタンジオール、３，３，４−トリメチル−（Ｃ８）ｎ−ＢＯ1；２，４−ペンタンジオール、２，３，４−トリメチル−（Ｃ８）ｎ−ＢＯ1；２，４−ヘキサンジオール、４−エチル−（Ｃ８）ｎ−ＢＯ1；２，４−ヘプタンジオール、２−メチル−（Ｃ８）ｎ−ＢＯ1；２，４−ヘプタンジオール、３−メチル−（Ｃ８）ｎ−ＢＯ1；２，４−ヘプタンジオール、４−メチル−（Ｃ８）ｎ−ＢＯ1；２，４−ヘプタンジオール、５−メチル−（Ｃ８）ｎ−ＢＯ1；２，４−ヘプタンジオール、６−メチル−（Ｃ８）ｎ−ＢＯ1；２，５−ヘプタンジオール、２−メチル−（Ｃ８）ｎ−ＢＯ1；２，５−ヘプタンジオール、３−メチル−（Ｃ８）ｎ−ＢＯ1；２，５−ヘプタンジオール、４−メチル−（Ｃ８）ｎ−ＢＯ1；２，５−ヘプタンジオール、５−メチル−（Ｃ８）ｎ−ＢＯ1；２，５−ヘプタンジオール、６−メチル−（Ｃ８）ｎ−ＢＯ1；２，６−ヘプタンジオール、２−メチル−（Ｃ８）ｎ−ＢＯ1；２，６−ヘプタンジオール、３−メチル−（Ｃ８）ｎ−ＢＯ1；２，６−ヘプタンジオール、４−メチル−（Ｃ８）ｎ−ＢＯ1；３，５−ヘプタンジオール、２−メチル−（Ｃ８）ｎ−ＢＯ1；１，３−プロパンジオール、２−（１，２−ジメチルプロピル）−（Ｃ８）Ｅ1-3；１，３−ブタンジオール、２−エチル−２，３−ジメチル−（Ｃ８）Ｅ1-3；１，３−ブタンジオール、２−メチル−２−イソプロピル−（Ｃ８）Ｅ1-3；１，４−ブタンジオール、３−メチル−２−イソプロピル−（Ｃ８）Ｅ1-3；１，３−ペンタンジオール、２，２，３−トリメチル−（Ｃ８）Ｅ1-3；１，３−ペンタンジオール、２，２，４−トリメチル−（Ｃ８）Ｅ1-3；１，３−ペンタンジオール、２，４，４−トリメチル−（Ｃ８）Ｅ1-3；１，３−ペンタンジオール、３，４，４−トリメチル−（Ｃ８）Ｅ1-3；１，４−ペンタンジオール、２，２，３−トリメチル−（Ｃ８）Ｅ1-3；１，４−ペンタンジオール、２，２，４−トリメチル−（Ｃ８）Ｅ1-3；１，４−ペンタンジオール、２，３，３−トリメチル−（Ｃ８）Ｅ1-3；１，４−ペンタンジオール、２，３，４−トリメチル−（Ｃ８）Ｅ1-3；１，４−ペンタンジオール、３，３，４−トリメチル−（Ｃ８）Ｅ1-3；２，４−ペンタンジオール、２，３，４−トリメチル−（Ｃ８）Ｅ1-3；２，４−ヘキサンジオール、４−エチル−（Ｃ８）Ｅ1-3；２，４−ヘプタンジオール、２−メチル−（Ｃ８）Ｅ1-3；２，４−ヘプタンジオール、３−メチル−（Ｃ８）Ｅ1-3；２，４−ヘプタンジオール、４−メチル−（Ｃ８）Ｅ1-3；２，４−ヘプタンジオール、５−メチル−（Ｃ８）Ｅ1-3；２，４−ヘプタンジオール、６−メチル−（Ｃ８）Ｅ1-3；２，５−ヘプタンジオール、２−メチル−（Ｃ８）Ｅ1-3；２，５−ヘプタンジオール、３−メチル−（Ｃ８）Ｅ1-3；２，５−ヘプタンジオール、４−メチル−（Ｃ８）Ｅ1-3；２，５−ヘプタンジオール、５−メチル−（Ｃ８）Ｅ1-3；２，５−ヘプタンジオール、６−メチル−（Ｃ８）Ｅ1-3；２，６−ヘプタンジオール、２−メチル−（Ｃ８）Ｅ1-3；２，６−ヘプタンジオール、３−メチル−（Ｃ８）Ｅ1-3；２，６−ヘプタンジオール、４−メチル−（Ｃ８）Ｅ1-3；および／または３，５−ヘプタンジオール、２−メチル−（Ｃ８）Ｅ1-3；および
７．  それらの混合物。
ノナン異性体の中で、２，４−ペンタンジオール、２，３，３，４−テトラメチル−は高度に好ましい。
上記および下記において論ずる、脂肪族ジオールの主要溶剤、およびそれらのアルコキシル化誘導体のあるものに加えて、いくつかの特定のジオールエーテルは、また、本発明の液状の濃厚な布帛柔軟剤組成物の配合に適当な主要溶剤であることが見出された。脂肪族ジオールの主要溶剤と同様に、各主要溶剤の適切さは、例えば、特定のジオールエーテル分子における炭素数に依存して、非常に選択的であることが発見された。例えば、表ＶＩに記載されているように、式ＨＯＣＨ2−ＣＨＯＨ−ＣＨ2−Ｏ−Ｒ（式中ＲはＣ2−Ｃ8アルキルである）を有するグリセリルエーテルシリーズについて、式ＨＯＣＨ2−ＣＨＯＨ−ＣＨ2−Ｏ−Ｃ5Ｈ11（３−ペンチルオキシ−１，２−プロパンジオール）（式中Ｃ5Ｈ11基は異なるペンチル異性体を構成する）をもつモノペンチルエーテルにみは約０．２５〜約０．６２の好ましいＣｌｏｇＰ値の範囲内のＣｌｏｇＰ値を有し、そして本発明の液状の濃厚な布帛柔軟剤組成物の配合に適当である。また、シクロヘキシル誘導体は好適であるが、シクロペンチル誘導体は不適当であることが見出された。同様に、選択性はアリールグリセリルエーテルの選択において示される。多数の可能な芳香族基の中で、わずかのフェノール誘導体のみが適当である。
同一の狭い選択性は、また、ジ（ヒドロキシアルキル）エーテルについて見出された。ビス（２−ヒドロキシブチル）エーテルは適当であるが、ビス（２−ヒドロキシシクロペンチル）エーテルは不適当であることが発見された。ジ（環状ヒドロキシアルキル）類似体について、ビス（２−ヒドロキシシクロペンチル）エーテルは適当であるが、ビス（２−ヒドロキシシクロヘキシル）エーテルは不適当である。いくつかの好ましいジ（ヒドロキシアルキル）エーテルの製造する合成法の非限定的例を下に記載する。
ブチルモノグリセロールエーテル（また、３−ブチルオキシ−１，２−プロパンジオールと命名される）は、本発明の液状の濃厚な布帛柔軟剤の形成に適当ではないであろう。しかしながら、そのポリエトキシル化誘導体、好ましくは約トリエトキシル化〜約ノナエトキシル化誘導体、より好ましくはペンタエトキシル化〜オクタエトキシル化誘導体は、表ＶＩに記載するように、適当主要な溶剤である。
識別された好ましいアルキルグリセリルエーテルおよび／またはジ（ヒドロキシアルキル）エーテルのすべては表ＶＩに記載されており、そして最も好ましいものは下記の通りである：１，３−プロパンジオール、３−（ｎ−ペンチルオキシ）−；１，２−プロパンジオール、３−（２−ペンチルオキシ）−；１，２−プロパンジオール、３−（３−ペンチルオキシ）−；１，２−プロパンジオール、３−（２−メチル−１−ブチルオキシ）−；１，２−プロパンジオール、３−（イソ−アミルオキシ）−；１，２−プロパンジオール、３−（３−メチル−１−ブチルオキシ）−；１，２−プロパンジオール、３−（シクロヘキシルオキシ）−；１，２−プロパンジオール、３−（１−シクロヘキシ−１−エニルオキシ）−；１，３−プロパンジオール、２−（ペンチルオキシ）−；１，３−プロパンジオール、３−（２−ペンチルオキシ）−；１，３−プロパンジオール、２−（３−ペンチルオキシ）−；１，３−プロパンジオール、２−（２−メチル−１−ブチルオキシ）−；１，３−プロパンジオール、２−（イソ−アミルオキシ）−；１，３−プロパンジオール、２−（３−メチル−２−ブチルオキシ）−；１，３−プロパンジオール、２−（シクロヘキシルオキシ）−；１，３−プロパンジオール、２−（１−シクロヘキシ−１−エニルオキシ）−；１，２−プロパンジオール、３−（ブチルオキシ）−、ペンタエトキシル化；１，２−プロパンジオール、３−（ブチルオキシ）−、ヘキサエトキシル化；１，２−プロパンジオール、３−（ブチルオキシ）−、ヘプタエトキシル化；１，２−プロパンジオール、３−（ブチルオキシ）−、オクタエトキシル化；１，２−プロパンジオール、３−（ブチルオキシ）−、ノナエトキシル化；１，２−プロパンジオール、３−（ブチルオキシ）−、モノプロポキシル化；１，２−プロパンジオール、３−（ブチルオキシ）−、ジブチレンオキシ化；および／または１，２−プロパンジオール、３−（ブチルオキシ）−、トリブチレンオキシ化。好ましい芳香族グリセリルエーテルは下記のものを包含する：１，２−プロパンジオール、３−フェニルオキシ−；１，２−プロパンジオール、３−ベンジルオキシ−；１，２−プロパンジオール、３−（２−フェニルエチルオキシ）−；１，２−プロパンジオール、１，３−プロパンジオール、２−（ｍ−クレジルオキシ）−；１，３−プロパンジオール、２−（ｐ−クレジルオキシ）−；１，３−プロパンジオール、２−ベンジルオキシ−；１，３−プロパンジオール、２−（２−フェニルエチルオキシ）−；およびそれらの混合物。より好ましい芳香族グリセリルエーテルは下記のものを包含する：１，２−プロパンジオール、３−フェニルオキシ−；１，２−プロパンジオール、３−ベンジルオキシ−；１，２−プロパンジオール、３−（２−フェニルエチルオキシ）−；１，２−プロパンジオール、１，３−プロパンジオール、２−（ｍ−クレジルオキシ）−；１，３−プロパンジオール、２−（ｐ−クレジルオキシ）−；１，３−プロパンジオール、２−（２−フェニルエチルオキシ）−；およびそれらの混合物。最も好ましいジ（ヒドロキシアルキル）エーテルは下記のものを包含する：ビス（２−ヒドロキシブチル）エーテル；およびビス（２−ヒドロキシシクロペンチル）エーテル。
好ましいアルキルおよびアリールモノグリセリルエーテルの例示および非限定的例を下に記載する。
好ましい脂環式ジオールおよびそれらの誘導体は下記のものを包含する：（１）下記のものを包含する飽和ジオールおよびそれらの誘導体：１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロブタンジオール；１，２−ジメチル−１，２−シクロブタンジオール；１，４−ジメチル−１，２−シクロペンタンジオール；２，４，５−トリメチル−１，３−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス−（ヒドロキシメチル）シクロヘキサン；１，２−ジメチル−１，３−シクロヘキサンジオール；１，３−ビス（ヒドロキシメチル）シクロヘキサン；１，３−ジメチル−１，３−シクロヘキサンジオール；１，６−ジメチル−１，３−シクロヘキサンジオール；１−ヒドロキシ−シクロヘキサンエタノール；１−ヒドロキシ−シクロヘキサンメタノール；１−エチル−１，３−シクロヘキサンジオール；１−メチル−１，２−シクロヘキサンジオール；２，２−ジメチル−１，３−シクロヘキサンジオール；２，３−ジメチル−１，４−シクロヘキサンジオール；２，４−ジメチル−１，３−シクロヘキサンジオール；２，５−ジメチル−１，３−シクロヘキサンジオール；２，６−ジメチル−１，４−シクロヘキサンジオール；２−エチル−１，３−シクロヘキサンジオール；２−ヒドロキシシクロヘキサンエタノール；２−ヒドロキシエチル−１−シクロヘキサノール；２−ヒドロキシメチルシクロヘキサノール；３−ヒドロキシエチル−１−シクロヘキサノール；３−ヒドロキシシクロヘキサンエタノール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−ヒドロキシメチルシクロヘキサノール；４−メチル−１，３−シクロヘキサンジオール；５，５−ジメチル−１，３−シクロヘキサンジオール；５−エチル−１，３−シクロヘキサンジオール；１，２−シクロヘプタンジオール；２−メチル−１，３−シクロヘプタンジオール；２−メチル−１，４−シクロヘプタンジオール；４−メチル−１，３−シクロヘプタンジオール；５−メチル−１，３−シクロヘプタンジオール；５−メチル−１，４−シクロヘプタンジオール；６−メチル−１，４−シクロヘプタンジオール；１，３−シクロオクタンジオール；１，４−シクロオクタンジオール；１，５−シクロオクタンジオール；１，２−シクロヘキサンジオール、ジエトキシレート；１，２−シクロヘキサンジオール、トリエトキシレート；１，２−シクロヘキサンジオール、テトラエトキシレート；１，２−シクロヘキサンジオール、ペンタエトキシレート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；１，２−シクロヘキサンジオール、モノブチレンオキシレート；１，２−シクロヘキサンジオール、ジブチレンオキシレート；および／または１，２−シクロヘキサンジオール、トリブチレンオキシレート。最も好ましい飽和脂環式ジオールおよびそれらの誘導体は下記の通りである：１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロペンタンジオール；１，２−ジメチル−１，２−シクロペンタンジオール；１，４−ジメチル−１，２−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス（ヒドロキシメチル）シクロヘキサン；１，２−ジメチル−１，３−ヘキサンジオール；１，３−ビス（ヒドロキシメチル）シクロヘキサン；１−ヒドロキシシクロヘキサンメタノール；１−メチル−１，２−シクロヘキサンジオール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−ヒドロキシメチルシクロヘキサノール；４−メチル−１，２−シクロヘキサンジオール；１，２−ヘプタンジオール；１，２−シクロヘキサンジオール、ペンタエトキシレート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；および／または１，２−シクロヘキサンジオール、ジブチレンオキシレート。
好ましい芳香族ジオールは下記のものを包含する：１−フェニル−１，２−エタンジオール；１−フェニル−１，２−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；１−フェニル−１，３−ブタンジオール；３−フェニル−１，３−ブタンジオール；および／または１−フェニル−１，４−ブタンジオール、それらのうちで１−フェニル−１，３−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；および／または１−フェニル−１，４−ペンタンジオールは最も好ましい。
前述したように、同一の関係により、すなわち、対応する飽和主要溶剤よりも１つ多いＣＨ2を有しかつ有効なＣｌｏｇＰ範囲内に残ることにより、本明細書における好ましい他の主要溶剤に関係する不飽和物質のすべては好ましい。しかしながら、特定の好ましい不飽和ジオール主要溶剤は下記の通りである：１，３−ブタンジオール、２，２−ジアリル−；１，３−ブタンジオール、２−（１−エチル−１−プロペニル）−；１，３−ブタンジオール、２−（２−ブテニル）−２−メチル−；１，３−ブタンジオール、２−（３−メチル−２−ブテニル）−；１，３−ブタンジオール、２−エチル−２−（２−プロペニル）−；１，３−ブタンジオール、２−メチル−２−（１−メチル−２−プロペニル）−；１，４−ブタンジオール、２，３−ビス（１−メチルエチリデン）−；１，３−ペンタンジオール、２−エテニル−３−エチル−；１，３−ペンタンジオール、２−エテニル−４，４−ジメチル−；１，４−ペンタンジオール、３−メチル−２−（２−プロペニル）−；４−ペンテン−１，３−ジオール、２−（１，１−ジメチルエチル）−；４−ペンテン−１，３−ジオール、２−エチル−２，３−ジメチル−；１，４−ヘキサンジオール、４−エチル−２−メチレン−；１，５−ヘキサンジエン−３，４−ジオール、２，３，５−トリメチル−；１，５−ヘキサンジオール、２−（１−メチルエテニル）−；２−ヘキセン−１，５−ジオール、４−エテニル−２，５−ジメチル−；１，４−ヘプタンジオール、６−メチル−５−メチレン−；２，４−ヘプタンジエン−２，６−ジオール、４，６−ジメチル−；２，６−ヘプテジエン−１，４−ジオール、２，５，５−トリメチル−；２−ヘプテン−１，４−ジオール、５，６−ジメチル−；３−ヘプテン−１，５−ジオール、４，６−ジメチル−；５−ヘプテン−１，３−ジオール、２，４−ジメチル−；５−ヘプテン−１，３−ジオール、３，６−ジメチル−；５−ヘプテン−１，４−ジオール、２，６−ジメチル−；５−ヘプテン−１，４−ジオール、３，６−ジメチル−；６−ヘプテン−１，３−ジオール、２，２−ジメチル−；６−ヘプテン−１，４−ジオール、５，６−ジメチル−；６−ヘプテン−１，５−ジオール、２，４−ジメチル−；６−ヘプテン−１，５−ジオール、２−エチリデン−６−メチル−；６−ヘプテン−２，４−ジオール、４−（２−プロペニル）−；１−オクテン−３，６−ジオール、３−エテニル−；２，４，６−オクタトリエン−１，８−ジオール、２，７−ジメチル−；２，５−オクタンジエン−１，７−ジオール、２，６−ジメチル−；２，５−オクタンジエン−１，７−ジオール、３，７−ジメチル−；２，６−オクタンジエン−１，４−ジオール、３，７−ジメチル−（Ｒｏｓｉｒｉｄｏｌ）；２，６−オクタンジエン−１，８−ジオール、２−メチル−；２，７−オクタンジエン−１，４−ジオール、３，７−ジメチル−；２，７−オクタンジエン−１，５−ジオール、２，６−ジメチル−；２，７−オクタンジエン−１，６−ジオール、２，６−ジメチル−（８−ヒドロキシリナロール）；２，７−オクタンジエン−１，６−ジオール、２，７−ジメチル−；２−オクテン−１，７−ジオール、２−メチル−６−��チレン−；３，５−オクタンジエン−２，７−ジオール、２，７−ジメチル−；３，５−オクタンジオール、４−メチレン−；３，７−オクタンジエン−１，６−ジオール、２，６−ジメチル−；４−オクテン−１，８−ジオール、２−メチレン−；６−オクテン−３，５−ジオール、２−メチル−；６−オクテン−３，５−ジオール、４−メチル−；７−オクテン−２，４−ジオール、２−メチル−６−メチレン−；７−オクテン−２，５−ジオール、７−メチル−；７−オクテン−３，５−ジオール、２−メチル−；１−ノナン−３，５−ジオール；１−ノナン−３，７−ジオール；３−ノナン−２，５−ジオール；４−ノナン−２，８−ジオール；６，８−ノナジエン−１，５−ジオール；７−ノネン−２，４−ジオール；８−ノネン−２，４−ジオール；８−ノネン−２，５−ジオール；１，９−デカジエン−３，８−ジオール；および／または１，９−デカジエン−４，６−ジオール。
前記主要な溶剤は、また、好ましくは下記のものから成る群より選択することができる：２，５−ジメチル−２，５−ヘキサンジオール；２−エチル−１，３−ヘキサンジオール；２−メチル−２−プロピル−１，３−プロパンジオール；１，２−ヘキサンジオール；およびそれらの混合物。より好ましくは、前記主要な溶剤は下記のものから成る群より選択される：２−エチル−１，３−ヘキサンジオール；２−メチル−２−プロピル−１，３−プロパンジオール；１，２−ヘキサンジオール；およびそれらの混合物。なおより好ましくは、前記主要な溶剤は下記のものから成る群より選択される：２−エチル−１，３−ヘキサンジオール；１，２−ヘキサンジオール；およびそれらの混合物。
異なるアルキレンオキシ基を有する同一ジオールのいくつかの誘導体、例えば、２〜５つのエチレンオキシ基、または２つのプロピレンオキシ基、または１つのブチレンオキシ基を有する２−メチル−２，３−ブタンジオールを使用できるとき、最小数の基を有する誘導体、すなわち、この場合において１つのブチレンオキシ基を有する誘導体を使用することが好ましい。しかしながら、すぐれた配合性を提供するために約１〜約４つのみのエチレンオキシ基を必要とするとき、このような誘導体は、また、好ましい。
不飽和ジオール
驚くべきことには、飽和ジオールおよび、より高い分子量を有する、その不飽和同族体、または類似体の許容性（配合性）の間の明瞭な類似性が存在することが見出された。不飽和同族体／類似体は、不飽和主要な溶剤が化学式において各二重結合について１つの追加のメチレン（すなわち、ＣＨ2）を有する場合、親の飽和主要な溶剤と同一の配合性を有する。換言すると、明らかな「追加のルール」が存在し、ここで透明な濃厚な布帛柔軟剤組成物の配合ために適当である、本発明の各すぐれた飽和の主要溶剤について、１またはそれ以上のＣＨ2基が付加されるが、付加された各ＣＨ2基について、分子中の隣接する炭素原子から２つの水素原子が除去されて、１つの炭素−炭素二重結合を形成し、こうして「親の」飽和主要溶剤の化学式に関して分子中の水素原子数を一定に保持する、好適な不飽和主要溶剤が存在する。これは下記のような驚くべき事実のためである。すなわち、溶剤の化学式に−ＣＨ2−基を付加することはそのＣｌｏｇＰ値を約０．５３だけ増加するという効果を有するが、隣接する２つの水素原子を除去して二重結合を形成することはほぼ同様な量、すなわち、約０．４８だけ、そのＣｌｏｇＰ値を減少させ、こうしてＣＨ2−付加をほぼ補償する。したがって、好ましい飽和主要溶剤から、各追加のＣＨ2基から１つの二重結合を挿入し、こうして、新規な溶剤のＣｌｏｇＰ値が有効な０．１５〜０．６４、好ましくは約０．２５〜約０．６２、より好ましくは約０．４０〜約０．６０の範囲内に止まるかぎり、水素原子の合計数を親の飽和主要溶剤における合計数と同一に保持することによって、少なくとも１つ多い炭素原子を含有する、好ましいより高い分子量の不飽和類似体／同族体に到達する。いくつかの例示的例は下記の通りである。
２，２−ジメチル−６−ヘプテン−１，３−ジオール（ＣＡＳ  Ｎｏ．１４０１９２−３９−８）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：２−メチル−１，３−ヘプタンジオールまたは２，２−ジメチル−１，３−ヘキサンジオール。
２，４−ジメチル−５−ヘプテン−１，３−ジオール（ＣＡＳ  Ｎｏ．１２３３６３−６９−９）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：２−メチル−１，３−ヘプタンジオールまたは２，４−ジメチル−１，３−ヘキサンジオール。
２−（１−エチル−１−プロペニル）−１，３−ブタンジオール（ＣＡＳ  Ｎｏ．１１６１０３−３５−６）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：２−（１−エチルプロピル）−１，３−プロパンジオールまたは２−（１−メチルプロピル）−１，３−ブタンジオール。
２−エテニル−３−エチル−１，３−プロパンジオール（ＣＡＳ  Ｎｏ．１０４６８３−３７−６）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：２−（１−エチルプロピル）−１，３−プロパンジオールまたは２−（１−メチルプロピル）−１，３−ブタンジオール。
３，６−ジメチル−５−ヘプテン−１，４−ジオール（例えば、ＣＡＳ  Ｎｏ．１０６７７７−９９−５）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：３−メチル−１，４−ヘプタンジオール；６−メチル−１，４−ヘプタンジオール；または３，５−ジメチル−１，４−ヘキサンジオール。
５，６−ジメチル−６−ヘプテン−１，４−ジオール（例えば、ＣＡＳ  Ｎｏ．１５２３４４−１６−６）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：５−メチル−１，４−ヘプタンジオール；６−メチル−１，４−ヘプタンジオール；または４，５−ジメチル−１，４−ヘキサンジオール。
４−メチル−６−オクテン−３，５−ジオール（ＣＡＳ  Ｎｏ．１５６４１４−２５−４）は好ましいＣ９−ジオールの主要な溶剤であり、そして下記の好ましいＣ８−ジオールの主要な溶剤のいずれかにＣＨ2基および二重結合を適当に付加することによって誘導されると考えることができる：３，５−オクタンジオール、３−メチル−２，４−ヘプタンジオールまたは４−メチル−３，５−ヘプタンジオール。
ロシリドール（ＣＡＳ  Ｎｏ．１０１３９１−０１−９）およびイソロシリドール（ＣＡＳ  Ｎｏ．１４９２５２−１５−３）は３，７−ジメチル−２，６−オクタンジエン−１，４−ジオールの２つの異性体であり、そして好ましいＣ１０−ジオールの主要な溶剤である。それらは下記の好ましいＣ８−ジオールの主要な溶剤の任意のものに２つのＣＨ2基および２つの二重結合を適当に付加することによって誘導されると考えることができる：２−メチル−１，３−ヘプタンジオール；６−メチル−１，３−ヘプタンジオール；３−メチル−１，４−ヘプタンジオール；６−メチル−１，４−ヘプタンジオール；２，５−ジメチル−１，３−ヘキサンジオール；または３，５−ジメチル−１，４−ヘキサンジオール。
８−ヒドロキシリナロール（１０３６１９−０６−３、２，６−ジメチル−２，７−オクタンジエン−１，６−ジオール）は好ましいＣ１０−ジオールの主要な溶剤であり、そして下記の好ましいＣ８−ジオールの主要な溶剤の任意のものに２つのＣＨ2基および２つの二重結合を適当に付加することによって誘導されると考えることができる：２−メチル−１，５−ヘプタンジオール；５−メチル−１，５−ヘプタンジオール；２−メチル−１，６−ヘプタンジオール；６−メチル−１，６−ヘプタンジオール；または２，４−ジメチル−１，４−ヘキサンジオール。
２，７−ジメチル−３，７−オクタンジエン−２，５−ジオール（ＣＡＳ  Ｎｏ．１７１４３６−３９−８）は好ましいＣ１０−ジオールの主要な溶剤であり、そして下記の好ましいＣ８−ジオールの主要な溶剤の任意のものに２つのＣＨ2基および２つの二重結合を適当に付加することによって誘導されると考えることができる：２，５−オクタンジオール；６−メチル−１，４−ヘプタンジオール；２−メチル−２，４−ヘプタンジオール；６−メチル−２，４−ヘプタンジオール；２−メチル−２，５−ヘプタンジオール；６−メチル−２，５−ヘプタンジオール；および２，５−ジメチル−２，４−ヘキサンジオール。
劣った、使用不可能な飽和溶剤から誘導される、より高い分子量の不飽和同族体がそれ自体劣った溶剤である場合に、同一の事柄が適用される。例えば、３，５−ジメチル−５−ヘキセン−２，４−ジオール（例えば、ＣＡＳ  Ｎｏ．１６０４２９−４０−３）は劣った不飽和Ｃ８溶剤であり、そして下記の劣った飽和Ｃ７溶剤から誘導されると考えることができる：３−メチル−２，４−ヘキサンジオール；５−メチル−２，４−ヘキサンジオール；または２，４−ジメチル−１，３−ペンタンジオール；そして２，６−ジメチル−５−ヘプテン−１，４−ジオール（例えば、ＣＡＳ  Ｎｏ．１４１５０５−７１−７）は劣った不飽和Ｃ９溶剤であり、そして下記の劣った飽和Ｃ７溶剤から誘導されると考えることができる：２−メチル−１，２−ヘプタンジオール；６−メチル−１，２−ヘプタンジオール；または２，５−ジメチル−１，２−ヘキサンジオール。
また、飽和の主要溶剤が常に同一程度の許容性を有する不飽和類似体／同族体を有する、上記の付加のルールの例が存在することが、驚くべきことには、見出された。この例外は、２つの隣接する炭素原子上に位置する２つのヒドロキシル基を有する、飽和ジオールの主要な溶剤に関する。ある場合において、しかし常にではないが、劣った溶剤の２つの隣接するヒドロキシル基の間に１またはそれ以上のＣＨ2基を挿入すると、透明な濃厚な布帛柔軟剤配合物にいっそう適当な、より高い分子量の不飽和同族体が生する。例えば、隣接するヒドロキシル基をもたない、好ましい不飽和６，６−ジメチル−１−ヘプテン−３，５−ジオール（ＣＡＳ  Ｎｏ．１０９７８８−０１−４）は、使用不可能な隣接するヒドロキシル基を有する２，２−ジメチル−３，４−ヘプタンジオールから誘導されると考えることができる。この場合において、６，６−ジメチル−１−ヘプテン−３，５−ジオールは２−メチル−３，５−ヘプタンジオールまたは５，５−ジメチル−２，４−ヘキサンジオール（これらの双方は好ましい溶剤であり、そして隣接するヒドロキシル基をもたない）から誘導されると考えることはいっそう信頼性がある。逆に、好ましい主要な溶剤の隣接するヒドロキシル基の間にＣＨ2基を挿入すると、使用不可能なより高い分子量の不飽和ジオール溶剤を生ずることがある。例えば、２つの隣接するヒドロキシル基を有する、使用不可能な不飽和２，４−ジメチル−５−ヘキセン−２，４−ジオール（ＣＡＳ  Ｎｏ．８７６０４−２４−８）は、好ましい隣接するヒドロキシル基を有する２，３−ジメチル−２，３−ペンタンジオールから誘導されると考えることができる。この場合において、２−メチル−２，４−ヘキサンジオールまたは４−メチル−２，４−ヘキサンジオール（これらの双方は使用不可能な溶剤であり、そして隣接するヒドロキシル基をもたない）から、使用不可能な不飽和２，４−ジメチル−５−ヘキセン−２，４−ジオールを誘導することはいっそう信頼性がある。また、隣接するヒドロキシル基をもたない使用不可能な不飽和溶剤が、隣接するヒドロキシル基を有する使用不可能な溶剤、例えば、対の４，５−ジメチル−６−ヘキセン−１，３−ジオールおよび３，４−ジメチル−１，２−プロパンジオールから誘導されると考えることができる場合が存在する。したがって、隣接するヒドロキシル基をもたない不飽和溶剤の配合性を推定するために、また、隣接するヒドロキシル基をもたない低分子量飽和同族体から出発すべきである。すなわち、一般に、２つのヒドロキシル基の距離／関係が維持されるとき、関係はいっそう信頼性がある。すなわち、また、隣接するヒドロキシル基を有する高分子量不飽和同族体の配合性を推定するために、隣接するヒドロキシル基を有する飽和溶剤から出発することが信頼性がある。
これらの特定の主要な溶剤を使用すると、驚くべきほどに低い主要な溶剤レベル、すなわち、組成物の約４０重量％低いレベルにおいて、透明な、低い粘度の、安定な布帛柔軟剤組成物を製造できることが発見された。また、主要なアルコール溶剤を使用すると、安定でありかつ、例えば、約２：１〜約１０：１に希釈して、なお安定なより低いレベルの柔軟剤を有する組成物を製造することができる、高度に濃厚な布帛柔軟剤組成物を生成できることが発見された。
上記の主要な溶剤の混合物は、大量の溶剤に関連する問題の１つが安全性であるので、特に好ましい。混合物は存在する任意の１つの物質の量を減少させる。臭気および易燃性は、また、特に主要な溶剤の１つが、低分子量の物質の場合のように、揮発性であり、および／または臭気を有するとき、混合物の使用により最小とすることができる。透明な生成物を生成するために十分でないであろうレベルにおいて使用できる適当溶剤は、２，２，４−トリメチル−１，３−ペンタンジオール；２，２，４−トリメチル−１，３−ペンタンジオールのエトキシレート、ジエトキシレート、またはトリエトキシレートの誘導体；および／または２−エチル−１，３−ヘキサンジオールである。本発明の目的に対して、これらの溶剤は安定な、または透明な生成物を提供しないようなレベルにおいてのみ使用すべきである。好ましい混合物は、溶剤の大部分が上記において最も好ましいとして識別された、１またはそれ以上である混合物である。溶剤の混合物の使用は、また、特に好ましい主要な溶剤の１またはそれ以上のが室温において固体であるとき、好ましい。この場合において、混合物は流体であるか、またはより低い融点を有し、こうして柔軟剤組成物の加工性を改良する。
また、本発明の１またはそれ以上の使用可能な主要な溶剤の有効量が液状の濃厚な布帛柔軟剤組成物の中になお存在するかぎり、それら自体が本発明の主要な溶剤として使用不可能である第２溶剤または第２溶剤の混合物を、本発明の主要な溶剤または主要な溶剤の混合物の一部分の代わりに使用することができることが発見された。本発明の１またはそれ以上の使用可能な主要な溶剤の有効量は、少なくとも約１５％の柔軟剤活性が、また、存在するとき、組成物の少なくとも約５％より多く、好ましくは約７％より多く、より好ましくは約１０％より多い。１またはそれ以上の代替溶剤は任意のレベルにおいて使用できるが、好ましくは、布帛柔軟剤組成物の中に存在する、上記において定義した、使用可能な主要な溶剤の量にほぼ等しいか、またはそれより少ない。
例えば、１，２−ペンタンジオール、１，３−オクタンジオール、および下記式：
ＨＯ−ＣＨ2−Ｃ（ＣＨ3）2−ＣＨ2−Ｏ−ＣＯ−Ｃ（ＣＨ3）2−ＣＨ2−ＯＨ
（ＣＡＳ  Ｎｏ．１１１５−２０−４）
を有するヒドロキシピバリルピバレート（以後、ＨＰＨＰ）は本発明に従い使用可能なであるが、これらの溶剤と主要な溶剤、例えば、好ましい１，２−ヘキサンジオールの主要な溶剤との混合物（ここで１，２−ヘキサンジオールの主要な溶剤は有効レベルにおいて存在する）は、また、液状の濃厚な布帛柔軟剤組成物を提供する。
使用できる第２溶剤のあるものは、上記および下記において使用不可能であるとして列挙されたもの、ならびに表ＶＩＩＩＡ〜ＶＩＩＩＥに開示されているいくつかの親の、非アルコキシル化溶剤である。
主要な溶剤は半透明または透明な組成物の製造に使用することができるか、または組成物が半透明または透明である温度を低下するために使用することができる。したがって、本発明は、また、主要な溶剤を、前に示したレベルにおいて、半透明または透明でないか、または不安定性が生ずる温度、すなわち、半透明または透明な組成物の製造に使用するためには高過ぎる温度、を有する組成物に添加するか、または、組成物が、例えば、周囲温度、または低い特定の温度において透明な柔軟剤配合物であるとき添加して、不安定性が生ずる温度を、好ましくは少なくとも約５℃だけ、より好ましい少なくとも約１０℃だけ、低下させるすることができる。主要な溶剤の主要な利点は、それが所定の重量の溶剤について最大の利点を提供することである。「溶剤」は、本明細書において使用するとき、主要な溶剤の効果を言及し、そして所定の温度における物理的形態を言及しない。なぜなら、主要な溶剤のあるものは周囲温度において固体であるからである。
乳酸アルキル
乳酸アルキルエステル、例えば、乳酸エチルおよび乳酸イソプロピルは約０．１５〜約０６４の効果範囲内のＣｌｏｇＰ値を有し、そして本発明の布帛柔軟化活性を有する液状の濃厚な布帛柔軟剤組成物を形成できるが、１，２−ヘキサンジオールのような、より有効なジオール溶剤よりもわずかにより高いレベルにおいて使用することが必要である。それらは、また、本発明の他の主要な溶剤の一部分の代わりに使用して、液状の濃厚な布帛柔軟剤組成物を形成することができる。
これらの特定の溶剤を布帛柔軟化活性に対して特定のモル比、すなわち、約３以上の主要な溶剤／布帛柔軟化活性のモル比において使用すると、驚くべきほどに低い粘度を有しかつきわめてすぐれた水分散性を有する最終組成物が得られることが発見された。また、これらの特定の溶剤を布帛柔軟化活性に対して特定のモル比において使用すると、透明かつ安定な布帛柔軟剤組成物が得られることが発見された。溶剤／布帛柔軟化活性のモル比が３以上であるかぎり、主要な溶剤の量は制限されない。好ましくは、高度に濃厚な布帛柔軟剤組成物を製造するために、本発明の組成物は組成物の約５０重量％の以下のような低い溶剤レベルを有する。低いレベルにおける溶剤の使用は高いコストの濃縮を排除する。また、この型のより低いレベルの溶剤は、高いレベルの慣用の非水性溶剤、例えば、エタノール、イソプロパノール、および他の短鎖アルコールを含有する濃厚な存在に関連させることができる易燃性の問題を軽減することを促進することがある。
ＩＩＩ．  任意の成分
（Ａ）  低分子量の水溶性溶剤
低分子量の水溶性溶剤は、また、０％〜約１２％、好ましくは約１％〜約１０％、より好ましくは約２％〜約８％のレベルにおいて使用することができる。水溶性溶剤は本発明において定義する主要な溶剤の同一の低いレベルにおいて透明な生成物を提供することができないが、主要な溶剤が完全に透明な生成物を提供するために十分ではないとき、透明な生成物を提供することができる。したがって、これらの水溶性溶剤の存在は高度に望ましい。このような溶剤はエタノール；イソプロパノール；１，２−プロパンジオール；１，３−プロパンジオール；プロピレンカーボネート；およびその他を包含するが、主要な溶剤（Ｂ）のいずれをも包含しない。これらの水溶性溶剤は柔軟剤活性のような疎水性物質の存在下に水に対して主要な溶剤よりも大きい親和性を有する。
（Ｂ）  増白剤
本明細書における組成物は、また、必要に応じて、染料転移抑制作用をまた提供する親水性蛍光増白剤のある種のタイプを約０．００５〜５重量％のレベルで含有することができる。使用する場合、本発明における組成物は好ましくは約０．００１〜１重量％のこのような蛍光増白剤を含むであろう。
本発明において有用な親水性蛍光増白剤は、下記の構造式を有するものである。
0003935933.tif 000075
式中Ｒ1はアニリノ、Ｎ−２−ビス−ヒドロキシエチルおよびＮＨ−２−ヒドロキシエチルから選択され、Ｒ2はＮ−２−ビス−ヒドロキシエチル、Ｎ−２−ヒドロキシエチル−Ｎ−メチルアミノ、モルホリノ、クロロおよびアミノであり、そしてＭは塩形成カチオン、例えば、ナトリウムまたはカリウムである。
上記式において、Ｒ1がアニリノであり、Ｒ2がＮ−２−ビス−ヒドロキシエチルでありかつＭがナトリウムのようなカチオンであるとき、増白剤は４，４’−ビス［（４−アニリノ−６−（Ｎ−２−ビス−ヒドロキシエチル）−ｓ−トリアジン−２−イル）アミノ］−２，２’−スチルベンジスルホン酸および２ナトリウム塩である。この特定の増白剤種はチバ−ガイギーコーポレーションから商品名Ｔｉｎｏｐａｌ−ＵＮＰＡ−ＧＸRで商業的に市販されている。Ｔｉｎｏｐａｌ−ＵＮＰＡ−ＧＸは、本発明におけるすすぎ添加組成物において有用な好ましい親水性蛍光増白剤である。
上記式において、Ｒ1がアニリノであり、Ｒ2がＮ−２−ヒドロキシエチル−Ｎ−２−メチルアミノでありかつＭがナトリウムのようなカチオンであるとき、増白剤は４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸２ナトリウム塩である。この特定の増白剤種はチバ−ガイギーコーポレーションから商品名Ｔｉｎｏｐａｌ  ５ＢＭ−ＧＸRで商業的に市販されている。
上記式において、Ｒ1がアニリノであり、Ｒ2がモルホリノでありかつＭがナトリウムのようなカチオンであるとき、増白剤は４，４’−ビス［（４−アニリノ−６−モルホリノ−ｓ−トリアジン−２−イル）アミノ］２，２’−スチルベンジスルホン酸、ナトリウム塩である。この特定の増白剤種はチバ−ガイギーコーポレーションから商品名Ｔｉｎｏｐａｌ  ＡＭＳ−ＧＸRで商業的に市販されている。
（Ｃ）  分散助剤
本発明は、必要に応じて、分散助剤、例えば、モノ長鎖アルキルカチオン性第四級アンモニウム化合物、モノ長鎖アルキルアミン、およびそれらの混合物から成る群より選択される分散助剤を含有することができる。前記分散助剤が存在するとき、それは典型的には組成物の約２〜約２５重量％、好ましくは約３〜約１７重量％、より好ましい約４〜約１５重量％、なおより好ましくは約５〜約１３重量％の合計レベルで存在する。これらの助剤はＰ＆Ｇの同時継続米国出願第０８／４６１，２０７号（１９９５年６月５日提出、Ｗａｈｌ  ｅｔ  ａｌ．）特に第１４ページ、第１２行〜第２０ページ、第１２行（これは引用することによって本明細書の一部とされる）に記載されている。
これらの物質は活性な柔軟剤の原料（式（１））、例えば、モノ長鎖アルキルカチオン性界面活性剤の一部分として添加することができるか、または別の成分として添加することができる。分散助剤の合計レベルは、成分（１）の一部分として存在することができる量を包含する。
（１）  モノ−アルキルカチオン性第四級アンモニウム化合物
モノ−アルキルカチオン性第四級アンモニウム化合物が存在するとき、それは典型的には組成物の約２〜約２５重量％、好ましくは約３〜約１７重量％、より好ましい約４〜約１５重量％、なおより好ましくは約５〜約１３重量％の合計レベルで存在し、合計のモノ−アルキルカチオン性第四級アンモニウム化合物は少なくとも有効レベルで存在する。
本発明におけるこのようなモノ−アルキルカチオン性第四級アンモニウム化合物は、好ましくは、下記の一般式の第四級アンモニウム塩である：
［Ｒ4Ｎ+（Ｒ5）3］Ｘ-
式中、Ｒ4はＣ8−Ｃ22アルキルまたはアルケニル基、好ましくはＣ10−Ｃ18アルキルまたはアルケニル基、より好ましくはＣ10−Ｃ14またはＣ16−Ｃ18アルキルまたはアルケニル基である；各Ｒ5はＣ1−Ｃ6アルキルまたは置換アルキル基（例えば、ヒドロキシアルキル）、好ましくはＣ1−Ｃ3アルキル基、例えば、メチル（最も好ましくは）、エチル、プロピル、およびその他、ベンジル基、水素、約２〜約２０のオキシエチレン単位、好ましくは約２．５〜約１３のオキシエチレン単位、より好ましくは約３〜約１０オキシエチレン単位を有するポリエトキシル化鎖、またはそれらの混合物である；そしてＸ-は上記において定義した通りである（式（１）について）。
特に好ましい分散助剤は、ウィトコ（Ｗｉｔｃｏ）から商品名ＶａｒｉｓｏｆｔR４７１で入手可能な塩化モノラウリルアンモニウムおよび塩化モノタロウトリメチルアンモニウムおよびウィトコから商品名ＶａｒｉｓｏｆｔR４１７で入手可能な塩化モノオレイルアンモニウムである。
また、Ｒ4基は、成分（１）およびその他の濃縮性の増加に望ましい、１またはそれ以上のエステル、アミド、エーテル、アミン、およびその他の結合基を通して、カチオン性窒素原子に結合することができる。このような結合基は、好ましくは、窒素原子の約１〜約３つの炭素原子内である。
モノ−アルキルカチオン性第四級アンモニウム化合物は、また、Ｃ8−Ｃ22アルキルコリンエステルを包含する。この型の好ましい分散助剤は、下記式を有する：
Ｒ1Ｃ（Ｏ）−Ｏ−ＣＨ2ＣＨ2Ｎ+（Ｒ）3Ｘ-
式中Ｒ1、ＲおよびＸ-は上記において定義した通りである。
高度に好ましい分散助剤は、Ｃ12−Ｃ14コココリンエステルおよびＣ16−Ｃ18タロウコリンエステルを包含する。
長鎖中にエステル結合を含有する適当な生物分解性単一鎖アルキル分散助剤は、米国特許第４，８４０，７３８号（ＨａｒｄｙおよびＷａｌｌｅｙ、１９８９年６月２０日発行）（これは引用することによって本明細書の一部とされる）に記載されている。
分散助剤がアルキルコリンエステルからなるとき、好ましくは組成物は、また、少量の、好ましくは組成物の約２〜約５重量％の有機酸を含有する。有機酸は欧州特許出願第４０４，４７１号（Ｍａｃｈｉｎ  ｅｔ  ａｌ．、１９９０年１２月２７日発行、上掲）（これは引用することによって本明細書の一部とされる）に記載されている。好ましくは、有機酸は、グリコール酸、酢酸、クエン酸、およびそれらの混合物から成る群より選択される。
分散助剤として働くことができるエトキシル化第四級アンモニウム化合物は下記のものを包含する：１７モルのエチレンオキシドを有するエチルビス（ポリエトキシエタノール）アルキルアンモニウムエチル硫酸、シェレックス・ケミカル・カンパニー（Ｓｈｅｒｅｘ  Ｃｈｅｍｉｃａｌ  Ｃｏｍｐａｎｙ）から商品名ＶａｒｉｑｕａｔR６６で入手可能である；塩化ポリエチレングリコール（１５）オレアンモニウム、アクゾ（Ａｋｚｏ）から商品名ＥｔｈｏｑｕａｄR０／２５で入手可能である；および塩化ポリエチレングリコール（１５）ココアンモニウム、アクゾから商品名ＥｔｈｏｑｕａｄRＣ／２５で入手可能である。
分散助剤の主要な機能はエステル柔軟剤の分散性を増加することであるが、好ましくは本発明の分散助剤は、また、組成物の柔軟化性能を増強する柔軟化特性を多少有する．したがって、好ましくは本発明の組成物は、組成物の全体の非窒素のエトキシル化非イオン分散助剤を本質的に含まない。
また、単一の長いアルキル鎖を有する第四級化合物は、洗浄溶液からすすぎ液の中にキャリオーバーされるアニオン界面活性剤および／または洗浄ビルダーとの相互作用からカチオン柔軟剤を保護することができる。
（２）  アミンオキシド
適当なアミンオキシドは、約８〜約２２個、好ましくは約１０〜約１８個、より好ましい約８〜約１４個の炭素原子のアルキルまたはヒドロキシアルキル部分の１つ、および約１〜約３個の炭素原子をもつ脂肪族基およびヒドロキシアルキル基から成る群より選択されるアルキル部分の２つを有するアミンオキシドである。
例は下記のものを包含する：ジメチルオクチルアミンオキシド、ジエチルデシルアミンオキシド、ビス（２−ヒドロキシエチル）ドデシル−アミンオキシド、ジメチルドデシルアミンオキシド、ジプロピルテトラデシルアミンオキシド、メチルエチルヘキサデシルアミンオキシド、ジメチル−２−ヒドロキシオクタデシルアミンオキシド、およびココナツ脂肪族アルキルジメチルアルキル。
（Ｄ）  安定剤
安定剤は本発明の組成物中に存在することができる。用語「安定剤」は、本明細書において使用するとき、酸化防止剤、キレート化剤、および還元剤を包含する。これらの安定剤は、酸化防止剤について０％〜約２％、好ましくは約０．０１％〜約０．２％、より好ましくは約０．０３５〜約０．１％のレベルにおいて、そして還元剤について、より好ましくは約０．０１〜約０．２％のレベルにおいて存在する。これらは長期間の貯蔵条件下にすぐれた臭気安定性を保証する。酸化防止剤および還元剤の安定剤は、香りのないまたは低い臭気の製品（香料を含まないか、またはわずかの香料を含む）について特に重要である。
本発明の組成物に添加できる酸化防止剤の例は下記のものを包含する：アスコルビン酸、アスコルビン酸パルミテート、プロピルガレートの混合物、イーストマン・ケミカル・プロダクツ・インコーポレーテッド（Ｅａｓｔｍａｎ  Ｃｈｅｍｉｃａｌ  Ｐｒｏｄｕｃｔｓ，Ｉｎｃ．）から商品名ＴｅｎｏｘRＰＧおよびＴｅｎｏｘRＳ−１で入手可能である；ＢＨＴ（ブチル化ヒドロキシトルエン）、ＢＨＡ（ブチル化ヒドロキシアニソール）、プロピルガレート、およびクエン酸の混合物、イーストマン・ケミカル・プロダクツ・インコーポレーテッドから商品名ＴｅｎｏｘR−６で入手可能である；ブチル化ヒドロキシトルエン、ＵＯＰプロセス・ディビジョン（Ｐｒｏｃｅｓｓ  Ｄｉｖｉｓｉｏｎ）から商品名ＳｕｓｔａｎｅRＢＨＡで入手可能である；ｔ−ブチルヒドロキシキノン、イーストマン・ケミカル・プロダクツ・インコーポレーテッドから商品名ＴｅｎｏｘRＴＢＨＱで入手可能である；天然のトコフェロール、イーストマン・ケミカル・プロダクツ・インコーポレーテッドから商品名ＴｅｎｏｘR−ＧＴ−１／ＧＴ−２で入手可能である；およびブチル化ヒドロキシアニソール、イーストマン・ケミカル・プロダクツ・インコーポレーテッドから商品名ＢＨＡで入手可能である；没食子酸の長鎖エステル（例えば、Ｃ8−Ｃ11）、例えば、没食子酸ドデシル；ＩｒｇａｎｏｘR１０１０；ＩｒｇａｎｏｘR１０３５；ＩｒｇａｎｏｘR１１７１；ＩｒｇａｎｏｘR１４２５；ＩｒｇａｎｏｘR３１１４；ＩｒｇａｎｏｘR３１２５；およびそれらの混合物；好ましくはＩｒｇａｎｏｘR３１２５；ＩｒｇａｎｏｘR１４２５；ＩｒｇａｎｏｘR３１１４、およびそれらの混合物、より好ましくはＩｒｇａｎｏｘR３１２５単独またはそれとクエン酸および／または他のキレート化剤、例えば、クエン酸イソプロピルとの混合物、ＤｅｑｕｅｓｔR２０１０、モンサント（Ｍｏｎｓａｎｔｏ）から１−ヒドロキシエチリデン−１、１−ジホスホン酸（エチドロン酸）の化学名で入手可能である、およびＴｉｒｏｎR、コダック（Ｋｏｄａｋ）から４，５−ジヒドロキシ−ｍ−ベンゼンスルホン酸／ナトリウム塩の化学名で入手可能である、およびＤＴＰＡR、アルドリッヒ（Ａｌｄｒｉｃｈ）からジエチレントリアミンペンタ酢酸の化学名で入手可能である。ジエチレントリアミンペンタ酢酸は、いかなる活性剤が存在しても、存在することが好ましい、好ましい物質である。
本発明の組成物において使用することができる上記安定剤のいくつかについての化学名およびＣＡＳ  Ｎｏ．を下記表Ｉに列挙する。
（Ｅ）  汚れ解放剤
本発明において、任意の汚れ解放剤（再付着防止剤）を添加することができる。汚れ解放剤はプレミックスと組み合わせて、酸／水のシート（ｓｅａｔ）と組み合わせて、電解質の添加の前または後に、または最終組成物の製造後に、添加することができる。本明細書における本発明の方法により製造された柔軟化組成物は、０％〜約１０％、好ましくは０．２％〜約５％の汚れ解放剤を含有することができる。好ましくは、このような汚れ解放剤はポリマーである。本発明において有用なポリマーの汚れ解放剤は、テレフタレートおよびポリエチレンオキシドまたはポリプロピレンオキシドのコポリマーのブロック、およびその他を含む。
好ましい汚れ解放剤は、テレフタレートおよびポリエチレンオキシドのブロックを有するコポリマーである。さらに詳しくは、これらのポリマーは２５：７５〜約３５：６５のエチレンテレフタレート単位／ポリエチレンオキシドテレフタレート単位のモル比においてエチレンテレフタレートおよびポリエチレンオキシドテレフタレートの反復単位から構成されており、前記ポリエチレンオキシドテレフタレートは約３００〜約２０００の分子量を有するポリエチレンオキシドのブロックを含有する。このポリマーの汚れ解放剤の分子量は、約５，０００〜約５５，０００の範囲である。
他の好ましい前混合汚れ解放剤は、約３００〜約６，０００の平均分子量のポリエチレングリコールから誘導された、約１０〜約１５重量％のエチレンテレフタレート単位と、約１０〜約５０重量％のポリオキシエチレンテレフタレート単位とを含有するエチレンテレフタレート単位の反復単位を有する結晶化可能なポリエステルであり、そして結晶化可能なポリマー化合物中のエチレンテレフタレート／ポリオキシエチレンテレフタレート単位のモル比は２：１〜６：１である。このポリマーの例は、商業的に入手可能な材料Ｚｅｌｃｏｎ  ４７８０R（デュポン社から）およびＭｉｌｅａｓｅ  ＴR（ＩＣＩから）である。
高度に好ましい汚れ解放剤は下記の一般式のポリマーである：
0003935933.tif 000076
式中各Ｘは適当なキャッピング基であることができ、各Ｘは典型的にはＨ、および約１〜約４個の炭素原子を含有するアルキルまたはアシル基から成る群より選択される。ｐは水溶性について選択され、そして一般に約６〜約１１３、好ましくは約２０〜約５０である。ｕは比較的高いイオン強度を有する液状組成物の配合に対して臨界的である。ｕが１０より大きい非常にわずかの物質が存在するであろう。さらに、ｕが約３〜約５の範囲である少なくとも２０％、好ましくは少なくとも４０％の物質が存在するであろう。
Ｒ14部分は本質的に１，４−フェニレン部分である。本明細書において使用するとき、用語「Ｒ14は本質的に１，４−フェニレン部分である」は、Ｒ14部分が完全に１，４−フェニレン部分から成るか、または部分的に他のアリーレンまたはアルキルアリーレン部分、アルキレン部分、アルケニレン部分、またはそれらの混合物で置換されている化合物を言及する。１，４−フェニレンを部分的に置換できるアリーレンまたはアルキルアリーレン部分は、１，３−フェニレン、１，２−フェニレン、１，８−ナフチレン、１，４−ナフチレン、２，２−ビフェニレン、およびそれらの混合物を包含する。１，４−フェニレンを部分的に置換できるアルキレンおよびアルケニレン部分は、１，２−プロピレン、１，４−ブチレン、１，５−ペンチレン、１，６−ヘキサメチレン、１，７−ヘプタメチレン、１，８−オクタメチレン、１，４−シクロヘキシレン、およびそれらの混合物を包含する。
Ｒ14部分について、１，４−フェニレン以外の部分による部分的置換の程度は、化合物の汚れ解放性がいかなる大きい程度にも悪影響を受けないような程度であるべきである。一般に、許容できる部分的置換の程度は、化合物の主鎖の長さに依存する、すなわち、主鎖が長いほと１，４−フェニレン部分の部分的置換の程度は大きくなる。通常、Ｒ14が約５０％〜約１００％の１，４−フェニレン部分（０％〜約５０％の１，４−フェニレン以外の部分）からなる化合物は適切な汚れ解放活性を有する。例えば、イソフタル酸（１，３−フェニレン）／テレフタル酸（１，４−フェニレン）のモル比が４０：６０である本発明に従い製造されたポリエステルは適切な汚れ解放活性を有する。しかしながら、繊維の製造に使用される大部分のポリエステルはエチレンテレフタレート単位を含むので、汚れ解放活性を最良とするためには、１，４−フェニレン以外の部分による部分的置換の程度を最小とすることが通常望ましい。好ましくは、Ｒ14部分は完全に（すなわち、１００％の）１，４−フェニレン部分から成る、すなわち、各Ｒ14は１，４−フェニレンである。
Ｒ15部分について、適当なエチレンまたは置換エチレン部分は、エチレン、１，２−プロピレン、１，２−ブチレン、１，２−ヘキシレン、３−メトキシ−１，２−プロピレン、およびそれらの混合物を包含する。好ましくは、Ｒ15部分は本質的にエチレン部分、１，２−プロピレン部分、またはそれらの混合物である。エチレン部分の包含百分率が大きくなると、化合物の汚れ解放活性は改良される傾向がある。驚くべきことには、１，２−プロピレン部分の包含百分率が大きくなると、化合物の水溶性が改良される傾向がある。
したがって、１，２−プロピレン部分または同様な分枝鎖状同等部分の使用は、液状布帛柔軟剤組成物の中に任意の実質的部分の汚れ解放成分を混入するために望ましい。好ましくは、約７５％〜約１００％は１，２−プロピレン部分である。
各ｐの値は少なくとも約６、好ましくは少なくとも約１０である。各ｎの値は通常約１２〜約１１３である。典型的には、各ｐの値は約１２〜約４３の範囲である。
汚れ解放剤のいっそう完全な開示は下記の文献に記載されている：米国特許第４，６６１，２６７号（Ｄｅｃｋｅｒ、Ｋｏｎｉｇ、Ｓｔｒａａｔｈｏｆ、およびＧｒｏｓｓｅｌｉｎｋ、１９８７年４月２８日発行）；米国特許第４，７１１，７３０号（ＧｒｏｓｓｅｌｉｎｋおよびＤｉｅｈｌ、１９８７年１２月８日発行）；米国特許第４，７４９，５９６号（Ｅｖａｎｓ、Ｈｕｎｔｉｎｇｔｏｎ、Ｓｔｅｗａｒｔ、およびＺｉｍｍｅｒｅｒ、１９８８年６月７日発行）；米国特許第４，８１８，５６９号（Ｔｒｉｎｈ、Ｇｏｓｓｅｌｉｎｋ、およびＲａｔｔｉｎｇｅｒ、１９８９年４月４日発行）；米国特許第４，８７７，８９６号（Ｍａｌｄｏｎａｄｏ、Ｔｒｉｎｈ、およびＧｏｓｓｅｌｉｎｋ、１９８９年１０月３１日発行）；米国特許第４，９５６，４４７号（Ｇｏｓｓｅｌｉｎｋ  ｅｔ  ａｌ．、１９８９年９月１１日発行）；および米国特許第４，９７６，８７９号（Ｍａｌｄｏｎａｄｏ、Ｔｒｉｎｈ、およびＧｏｓｓｅｌｉｎｋ、１９９０年１２月１１日発行）；前記特許のすべては引用することによって本明細書の一部とされる。
これらの汚れ解放剤は、また、浮き泡分散助剤として作用することができる。
（Ｆ）  浮き泡分散剤
本発明において、プレミックスを汚れ解放剤以外の任意の浮き泡（浮きかす）分散剤と組み合わせ、１またはそれ以上の成分の融点またはそれより高い温度に加熱することができる。
本発明における好ましい浮き泡分散剤は、疎水性物質を高度にエトキシル化することによって形成される。疎水性物質は脂肪族アルコール、脂肪酸、脂肪族アミン、脂肪酸アミド、アミンオキシド、第四級アンモニウム化合物、または汚れ解放ポリマーの形成に使用される疎水性部分であることができる。好ましい浮き泡分散剤は、高度にエトキシル化され、例えば、平均分子当たり約１７モルより多い、好ましくは約２５モルより多い、より好ましくは約４０モルより多いエチレンオキシドでエトキシル化され、ポリエチレンオキシド部分は合計の分子量の約７６％〜約９７％、好ましくは約８１％〜約９４％である。
浮き泡分散剤のレベルは、浮き泡を消費者にとって許容できる程度に、好ましくは感知できない程度に、使用条件下のレベルに、しかし柔軟化に悪影響を及ぼさないレベルに、保持するために十分である。ある目的に対して、浮き泡は非存在であることが望ましい。典型的な洗濯プロセスの洗浄サイクルにおいて使用されるアニオン洗剤または非イオン洗剤およびその他の量、本発明における組成物の導入の前のすすぎ工程の効率、および水硬度に依存して、アニオンまたは非イオン洗剤界面活性剤および洗浄力ビルダー（特にリン酸塩およびゼオライト）の量は変化するであろう。通常、最小量の浮き泡分散剤を使用して、柔軟化特性に対する悪影響を回避すべきである。典型的には、浮き泡分分散は、柔軟剤活性のレベルに基づいて、少なくとも約２％、好ましくは少なくとも約４％（最大の浮き泡回避について少なくとも６％、好ましくは少なくとも１０％）を必要とする。しかしながら、約１０％（柔軟剤物質に関して）またはそれ以上のレベルにおいて、特に布帛が洗浄操作の間に吸収された非イオン界面活性剤を高度に比率で含有するとき、生成物の柔軟化効能を損失する危険がある。
好ましい浮き泡分散剤下記の通りである：Ｂｒｉｊ  ７００R；Ｖａｒｏｎｉｃ  Ｕ−２５０R；Ｇｅｎａｐｏｌ  Ｔ−５００R；Ｇｅｎａｐｏｌ  Ｔ−８００R；Ｐｌｕｒａｆａｃ  Ａ−７９R；およびＮｅｏｄｏｌ  ２５−５０R。
（Ｇ）  殺菌剤
本発明の組成物において使用される殺菌剤の例は下記のものを包含する：グルタルアルデヒド、ホルムアルデヒド、２−ブロモ−２−ニトロ−プロパン−１，３−ジオール、イノレクス・ケミカルズ（Ｉｎｏｌｅｘ  Ｃｈｅｍｉｃａｌｓ、ペンシルバニア州フィラデルフィア）から商品名ＢｒｏｎｏｐｏｌRで販売されている、および５−クロロ−２−メチル−４−イソチアゾリン−３−オンと２−メチル−４−イソチアゾリン−３−オンとの混合物、ローム・アンド・ハース・カンパニー（Ｒｏｈｍ  ＆  Ｈａａｓ  Ｃｏｍｐａｎｙ）から商品名ＫａｔｈｏｎRで販売されている、約１〜約１，０００重量ｐｐｍの殺菌剤。
（Ｈ）  香料
本発明は任意の柔軟剤適合性香料を含有することができる。適当な香料は米国特許第５，５００，１３８号（Ｂａｃｏｎ  ｅｔ  ａｌ．、１９９６年３月１９日発行）（これは引用することによって本明細書の一部とされる）に開示されている。
本明細書において使用するとき、香料は下記のものを包含する芳香物質または芳香物質の混合物を包含する：天然の（すなわち、花（ｆｌｏｗｅｒｓ）、ハーブ、葉、樹皮、木材、花（ｂｌｓｓｏｍｓ）および植物の抽出により得られた）、人工的（すなわち、異なる天然油または油構成成分の混合物）および合成の（すなわち、合成的に製造された）芳香を放つ物質。このような物質はしばしば補助物質、例えば、定着剤、増量剤、安定剤および溶剤を付随する。このような補助物質は、また、本明細書において使用される「香料」の意味の中に含まれる。典型的には、香料は複数の有機化合物の複雑な混合物である。
香料は仕上げられた組成物の０〜約１０重量％、好ましくは約０．１〜約５重量％、より好ましい約０．２〜約３重量％のレベルで存在することができる。本発明の布帛柔軟化組成物は、改良された布帛香料付着を提供する。
（１）  キレート化剤
本発明における組成物および方法は、必要に応じて、安定剤の一部分であるキレート化剤の外に、１種または２種以上の銅および／またはニッケルのキレート化剤（「キレート剤」）を使用することができる。このような水溶性キレート化剤は、アミノカルボン酸塩、アミノホスホネート、多官能的に置換された芳香族キレート化剤およびそれらの混合物（すべては下記において定義される）から成る群より選択されることができる。布帛の白色性および／または増白性はこのようなキレート化剤により改良または回復され、そして組成物中の物質の安定性は改良される。
本発明においてキレート化剤として有用なカルボン酸塩は下記のものを包含する：エチレンジアミン四酢酸（ＥＤＴＡ）、Ｎ−ヒドロキシエチレンジアミン三酢酸、ニトリロトリ酢酸（ＮＴＡ）、エチレンジアミン四プロピオン酸、エチレンジアミン−Ｎ，Ｎ’−ジグルタメート、２−ヒドロキシプロピレンジアミン−Ｎ，Ｎ’−ジスクシネート、トリエチレンテトラアミン六酢酸、ジエチレントリアミン五酢酸（ＤＥＴＰＡ）、およびエタノールジグリシン、それらの水溶性塩、例えば、アルカリ金属、アンモニウム、および置換アンモニウムの塩およびそれらの混合物を包含する。
アミノホスホネートは、また、少なくとも低いレベルの合計のリンが洗剤組成物において許されるとき、本発明の組成物におけるキレート化剤として使用するために適当であり、そしてエチレンジアミンテトラキス（メチレンホスホネート）、ジエチレントリアミン−Ｎ，Ｎ，Ｎ’，Ｎ”，Ｎ”−ペンタキス（メチレンホスホネート）（ＤＥＴＭＰ）および１−ヒドロキシエタン−１，１−ジホスホネート（ＤＥＤＰ）。好ましくは、これらのアミノホスホネートは約６個以下の炭素原子を有するアルキルまたはアルケニル基を含有しない。
キレート化剤は、典型的には、本発明のすすぎ法において約２ｐｐｍ〜約２５ｐｐｍのレベルにおいて、１分から数時間までのソーキングの間において使用される。
本発明における使用に好ましいＥＤＤＳ（また、エチレンジアミン−Ｎ，Ｎ’−ジコハク酸塩として知られている）は、米国特許第４，７０４，２３３号（上記において引用された）に記載されている物質であり、そして下記式を有する：
0003935933.tif 000077
この特許において論じられているように、ＥＤＤＳは無水マレイン酸およびエチレンジアミンを使用して製造することができる。ＥＤＤＳの好ましい生物分解性［Ｓ，Ｓ］異性体は、Ｌ−アスパラギン酸を１，２−ジブロモエタンと反応させることによって製造することができる。ＥＤＤＳは銅およびニッケルの双方のカチオンをキレート化するために有効であり、生物分解性の形態で入手可能であり、そしてリンを含有しないという利点を有する。本発明において使用するＥＤＤＳは典型的には塩の形態である、すなわち、４つの酸性水素の１または２以上を水溶性カチオンＭ、例えば、ナトリウム、カリウム、アンモニウム、トリエタノールアンモニウム，およびその他で置換された形態である。前述したように、ＥＤＤＳキレート化剤は、また、典型的には本発明のすすぎ法において約２ｐｐｍ〜約２５ｐｐｍのレベルにおいて、１分から数時間までのソーキングの間において使用される。あるｐＨにおいて、ＥＤＤＳは好ましくは亜鉛カチオンと組み合わせて使用される。
上記から理解できるように、広範な種類のキレート化剤を本発明において使用することができる。事実、簡単なポリカルボン酸塩、例えば、クエン酸塩、オキシジスクシネート、およびその他をまた使用できるが、このようなキレート化剤は、重量基準において、アミノカルボン酸塩およびホスホネートほど有効ではない。
したがって、使用レベルはキレート化有効性の異なる程度を考慮して調節することができる。本発明におけるキレート化剤は好ましくは銅イオンについて少なくとも約５、好ましくは少なくとも７の安定性定数（完全にイオン化されたキレート化剤の）を有する。典型的には、キレート化剤は本発明における組成物の約０．５〜約１０重量％、より好ましくは約０．７〜約５重量％を構成するであろう。好ましいキレート化剤はＤＥＴＭＰ、ＤＥＴＰＡ、ＮＴＡ、ＥＤＤＳおよびそれらの混合物を包含する。
（Ｊ）  他の任意の成分
本発明は、繊維材料の処理組成物において慣用されている任意の成分、例えば、下記のものを含むことができる：着色剤；保存剤；界面活性剤；防縮剤；布帛けん縮剤；スポッティング剤；殺菌剤；防止かび剤；酸化防止剤、例えば、ブチル化ヒドロキシトルエン；腐蝕防止剤；およびその他。
特に好ましい成分は、水溶性カルシウムおよび／またはマグネシウム化合物（これらは安定性を提供する）を包含する。塩化物塩は好ましいが、酢酸塩、硝酸塩およびその他の塩を使用することができる。前記カルシウムおよび／またはマグネシウムの塩のレベルは、０％〜約２％、好ましくは約０．０５％〜約０．５％、より好ましくは約０．１％〜約０．２５％である。
本発明は、また、他の適合性成分を含むことができ、これらの成分は下記の同時継続米国出願に開示されているものを包含する：第０８／３７２，０６８号（１９９５年１月１２提出、Ｒｕｓｃｈｅ、ｅｔ  ａｌ．）；第０８／３７２，４９０号（１９９５年１月１２提出、Ｓｈａｗ、ｅｔ  ａｌ．）；および第０８／２７７，５５８号（１９９４年７月１９提出、Ｈａｒｔｍａｎ、ｅｔ  ａｌ．（これらは引用することによって本明細書の一部とされる）。
本明細書におけるすべての百分率、比および比率は、特記しない限り、重量による。引用されたすべての文献は、関係する部分において、引用することによって本明細書の一部とされる。
実  施  例
下記の実施例における組成物は、まず、柔軟剤活性を、例えば、約１３０〜１５０°Ｆ（約５５〜６６℃）に加熱して溶融して、柔軟剤プレミックスを調製することによって作られる。ＩＫＡ  ＲＷ  ２５Rミキサーを使用して、溶融された柔軟剤を約２〜約５分間約１５０ｒｐｍにおいて混合する。別に、ＨＣｌを脱イオン（ＤＩ）水と混合し、この混合物を約１００°Ｆ（約３８℃）に加熱し、前記温度を水浴で維持することによって、酸／水シート（ｓｅａｔ）を調製する。１またはそれ以上の主要な溶剤（それらの融点が室温より高い場合、適当な温度において溶融した）を柔軟剤プレミックスに添加し、前記プレミックスを約５分間混合する。次いで、酸／水シートを柔軟剤プレミックスに添加し、約２０〜約３０分間、または組成物が透明かつ均質となるまで、混合する。組成物を周囲温度に空気冷却させる。
実施例Ｉ
布帛柔軟化活性／主要な溶剤の広い範囲のモル比を有する組成物の相の挙動（成分の透明度、均質性、および粘度）を下記表に示す。
注：  下記の表において、各希釈は冷水（２５℃）により行った。
柔軟剤の用量は５．３１ｇ／５０Ｌであり、これは柔軟化溶液中で１０６ｐｐｍである。
活性（ＤＥＱＡ1、生成物中の４２．５％）：４５ｐｐｍ。
主要な溶剤（生成物中の３０％）：３２４５ｐｐｍ。
0003935933.tif 000078
上記化合物の中で、実施例１〜４の各化合物は、低い粘度を有する透明な、均質な生成物を示す；比較例
５〜７の各化合物は許容できる粘度をもたない。
実施例ＩＩ
下記は本発明の非限定的実施例である：
下記の実施例は、低い粘度を有する透明かつ均質な生成物を示す。
0003935933.tif 000079
実施例２の組成物の各々は、室温および約４０°Ｆ（約４℃）の双方において低い粘度を有する透明な、均質な組成物である。
商業的目的で、上記組成物を容器、特にびん、さらに詳しくは、ポリプロピレン（ガラス、延伸ポリエチレン、およびその他を代わりに使用できる）から作られた透明なびん（半透明のびんを使用できるが）の中に導入し、びんは、存在するか、または貯蔵の間に発生することがある）黄色を補償するために薄い青色の色味付けを有し（短時間であるが、色味付けまたは他の色味付けをもたない透明な容器を使用することができる）、そして内部の物質、特に高度に不飽和の活性物質に対する紫外線の作用を最小にするためにびんの中に紫外線吸収剤を有する（また、吸収剤は表面上に存在することができる）。透明度および容器の全体の効果は、組成物の透明度を証明し、こうして生成物の品質を消費者に保証する。